(57)【特許請求の範囲】
【請求項１】
グラントフリー伝送用のユーザ機器（ＵＥ）のための方法であって、
アップリンクグラントフリー伝送リソース構成を示す無線リソース制御（ＲＲＣ）シグナリングをネットワーク機器から受信する段階であって、前記アップリンクグラントフリー伝送リソース構成は、伝送反復の回数Ｋを含む、段階と、
第１のダウンリンク制御情報（ＤＣＩ）メッセージを前記ネットワーク機器から受信する段階であって、前記第１のＤＣＩメッセージは、前記ＵＥがアップリンクグラントフリーデータ伝送を実行することを許可されていることを示すアクティブ化インジケーションと、参照信号（ＲＳ）値のグループから割り当てられる前記ＵＥに対するＲＳ値とを含む、段階と、
前記ＲＲＣシグナリングに示される前記アップリンクグラントフリー伝送リソース構成及び前記第１のＤＣＩメッセージに基づいて、アップリンクグラントフリー伝送リソースを取得する段階と、
前記アップリンクグラントフリー伝送リソースを用いて、かつ前記ＲＳ値に基づいて決定されたＲＳを用いて、アップリンクデータを前記ネットワーク機器に伝送する段階と
を備える方法。
【請求項２】
前記方法は、
第２のＤＣＩメッセージを前記ネットワーク機器から受信する段階であって、前記第２のＤＣＩメッセージは、前記ＵＥがアップリンクグラントフリー伝送を実行することを許可されていないことを示す非アクティブ化インジケーションを含む、段階と、
前記アップリンクグラントフリー伝送リソースを用いた伝送を停止する段階と
をさらに備える、請求項１に記載の方法。
【請求項３】
前記第１のＤＣＩメッセージは、リソースブロック情報と、変調及び符号化スキーム（ＭＣＳ）情報とをさらに有する、請求項１又は２に記載の方法。
【請求項４】
前記方法は、
前記ネットワーク機器から第３のＤＣＩメッセージを受信する段階であって、前記第３のＤＣＩメッセージは、前記アップリンクデータの再伝送に対するアップリンクグラントを示す、段階
をさらに備える、請求項１から３のいずれか一項に記載の方法。
【請求項５】
前記ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、請求項１から４のいずれか一項に記載の方法。
【請求項６】
前記ＵＥに対する前記ＲＳ値は、別のＵＥに対するＲＳ値とは異なる、請求項１から５のいずれか一項に記載の方法。
【請求項７】
前記ＲＳ値のグループから割り当てられる前記ＲＳ値は、直交ＲＳシーケンスから生成される、請求項１から６のいずれか一項に記載の方法。
【請求項８】
グラントフリー伝送用に構成されるユーザ機器（ＵＥ）であって、
プロセッサと、
前記プロセッサによる実行のためのプログラミング命令を格納するコンピュータ可読記憶媒体と
を備え、前記プログラミング命令は、
アップリンクグラントフリー伝送リソース構成を示す無線リソース制御（ＲＲＣ）シグナリングをネットワーク機器から受信する命令であって、前記アップリンクグラントフリー伝送リソース構成は、伝送反復の回数Ｋを含む、命令と、
第１のダウンリンク制御情報（ＤＣＩ）メッセージを前記ネットワーク機器から受信する命令であって、前記第１のＤＣＩメッセージは、前記ＵＥがアップリンクグラントフリーデータ伝送を実行することを許可されていることを示すアクティブ化インジケーションと、前記ＵＥに割り当てられる参照信号（ＲＳ）を示すＲＳ値とを含む、命令と、
前記ＲＲＣシグナリングに示される前記アップリンクグラントフリー伝送リソース構成及び前記第１のＤＣＩメッセージに基づいて、アップリンクグラントフリー伝送リソースを取得する命令と、
前記アップリンクグラントフリー伝送リソースを用いて、かつ前記ＲＳ値に基づいて決定されたＲＳを用いて、アップリンクデータを前記ネットワーク機器に伝送する命令と
を含む、ＵＥ。
【請求項９】
前記プログラミング命令は、
第２のＤＣＩメッセージを前記ネットワーク機器から受信する命令であって、前記第２のＤＣＩメッセージは、前記ＵＥがアップリンクグラントフリー伝送を実行することを許可されていないことを示す非アクティブ化インジケーションを含む、命令と、
前記アップリンクグラントフリー伝送リソースを用いた伝送を停止する命令と
をさらに含む、請求項８に記載のＵＥ。
【請求項１０】
前記第１のＤＣＩメッセージは、リソースブロック情報と、変調及び符号化スキーム（ＭＣＳ）情報とをさらに有する、請求項８又は９に記載のＵＥ。
【請求項１１】
前記プログラミング命令は、
前記ネットワーク機器から第３のＤＣＩメッセージを受信する命令であって、前記第３のＤＣＩメッセージは、前記アップリンクデータの再伝送に対するアップリンクグラントを示す、命令
をさらに含む、請求項８から１０のいずれか一項に記載のＵＥ。
【請求項１２】
前記ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、請求項８から１１のいずれか一項に記載のＵＥ。
【請求項１３】
前記ＵＥに対するＲＳ値は、別のＵＥに対するＲＳ値とは異なる、請求項８から１２のいずれか一項に記載のＵＥ。
【請求項１４】
ＲＳ値のグループから割り当てられる前記ＲＳ値は、直交ＲＳシーケンスから生成される、請求項８から１３のいずれか一項に記載のＵＥ。
【請求項１５】
グラントフリー伝送用のネットワーク機器のための方法であって、
アップリンクグラントフリー伝送リソース構成を示す無線リソース制御（ＲＲＣ）シグナリングをユーザ機器（ＵＥ）に伝送する段階であって、前記アップリンクグラントフリー伝送リソース構成は、伝送反復の回数Ｋを含む、段階と、
第１のダウンリンク制御情報（ＤＣＩ）メッセージを前記ＵＥに伝送する段階であって、前記第１のＤＣＩメッセージは、前記ＵＥがアップリンクグラントフリー伝送を実行することを許可されていることを示すアクティブ化インジケーションと、前記ＵＥに割り当てられる参照信号（ＲＳ）を示すＲＳ値とを含む、段階と、
前記ＲＲＣシグナリング及び前記第１のＤＣＩメッセージに基づいて割り当てられたアップリンクグラントフリー伝送リソースを用いて、かつ前記ＲＳ値に基づいて決定されたＲＳを用いて伝送されるアップリンクデータを前記ＵＥから受信する段階と
を備える方法。
【請求項１６】
前記方法は、
第２のＤＣＩメッセージを前記ＵＥに伝送する段階であって、前記第２のＤＣＩメッセージは、前記ＵＥがアップリンクグラントフリー伝送を実行することを許可されていないことを示す非アクティブ化インジケーションを含む、段階
をさらに備える、請求項１５に記載の方法。
【請求項１７】
前記第１のＤＣＩメッセージは、リソースブロック情報と、変調及び符号化スキーム（ＭＣＳ）情報とをさらに有する、請求項１５又は１６に記載の方法。
【請求項１８】
前記方法は、
前記ＵＥに第３のＤＣＩメッセージを伝送する段階であって、前記第３のＤＣＩメッセージは、前記アップリンクデータの再伝送に対するアップリンクグラントを示す、段階
をさらに備える、請求項１５から１７のいずれか一項に記載の方法。
【請求項１９】
前記ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、請求項１５から１８のいずれか一項に記載の方法。
【請求項２０】
前記ＵＥに対するＲＳ値は、別のＵＥに対するＲＳ値とは異なる、請求項１５から１９のいずれか一項に記載の方法。
【請求項２１】
ＲＳ値のグループから割り当てられる前記ＲＳ値は、直交ＲＳシーケンスから生成される、請求項１５から２０のいずれか一項に記載の方法。
【請求項２２】
グラントフリー伝送用に構成されるネットワーク機器であって、
プロセッサと、
前記プロセッサによる実行のためのプログラミング命令を格納するコンピュータ可読記憶媒体と
を備え、前記プログラミング命令は、
アップリンクグラントフリー伝送リソース構成を示す無線リソース制御（ＲＲＣ）シグナリングをユーザ機器（ＵＥ）に伝送する命令であって、前記アップリンクグラントフリー伝送リソース構成は、伝送反復の回数Ｋを含む、命令と、
第１のダウンリンク制御情報（ＤＣＩ）メッセージを前記ＵＥに伝送する命令であって、前記第１のＤＣＩメッセージは、前記ＵＥがアップリンクグラントフリー伝送を実行することを許可されていることを示すアクティブ化インジケーションと、前記ＵＥに割り当てられる参照信号（ＲＳ）を示すＲＳ値とを含む、命令と、
前記ＲＲＣシグナリング及び前記第１のＤＣＩメッセージに基づいて割り当てられるアップリンクグラントフリー伝送リソースを用いて、かつ前記ＲＳ値に基づいて決定されたＲＳを用いて伝送されるアップリンクデータを前記ＵＥから受信する命令と
を含む、ネットワーク機器。
【請求項２３】
前記プログラミング命令は、
第２のＤＣＩメッセージを前記ＵＥに伝送する命令であって、前記第２のＤＣＩメッセージは、前記ＵＥがアップリンクグラントフリー伝送を実行することを許可されていないことを示す非アクティブ化インジケーションを含む、命令
をさらに含む、請求項２２に記載のネットワーク機器。
【請求項２４】
前記第１のＤＣＩメッセージは、リソースブロック情報と、変調及び符号化スキーム（ＭＣＳ）情報とをさらに有する、請求項２２又は２３に記載のネットワーク機器。
【請求項２５】
前記プログラミング命令は、
前記ＵＥに第３のＤＣＩメッセージを伝送する命令であって、前記第３のＤＣＩメッセージは、前記アップリンクデータの再伝送に対するアップリンクグラントを示す、命令
をさらに含む、請求項２２から２４のいずれか一項に記載のネットワーク機器。
【請求項２６】
前記ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、請求項２２から２５のいずれか一項に記載のネットワーク機器。
【請求項２７】
前記ＵＥに対するＲＳ値は、別のＵＥに対するＲＳ値とは異なる、請求項２２から２６のいずれか一項に記載のネットワーク機器。
【請求項２８】
ＲＳ値のグループから割り当てられる前記ＲＳ値は、直交ＲＳシーケンスから生成される、請求項２２から２７のいずれか一項に記載のネットワーク機器。
【発明の詳細な説明】
【技術分野】
【０００１】
［関連出願］
本願は、２０１７年１月９日に出願された米国仮出願第６２／４４４，２１０号、２０１７年１月１７日に出願された米国仮出願第６２／４４７，４３７号、２０１７年１月１８日に出願された米国仮出願第６２／４４７，９０６号、及び、２０１７年１２月４日に出願された米国特許出願第１５／８３０，９２８号の優先権を主張し、それらの全体における参照により、本明細書においてすべて組み込まれる。
【０００２】
本開示は、大まかに無線通信に関し、特定の実施形態では、グラントフリーアップリンク伝送のための方法及びシステムに関する。
【背景技術】
【０００３】
いくつかの無線通信システムにおいて、ユーザ機器（ＵＥ）は、基地局と無線で通信して、基地局にデータを送信し、及び／又は、基地局からデータを受信する。ＵＥから基地局への無線通信は、アップリンク通信と称される。基地局からＵＥへの無線通信は、ダウンリンク通信と称される。
【０００４】
アップリンク及びダウンリンク通信を実行するためには、リソースが必要とされる。例えば、ＵＥは、特定の周波数で、及び／又は、時間における特定のスロットの間中、アップリンク伝送において、基地局にデータを無線で伝送し得る。用いられる周波数及びタイムスロットがリソースの例である。
【０００５】
いくつかの無線通信システムでは、ＵＥが基地局にデータを伝送することを望む場合、ＵＥは、基地局からアップリンクリソースを要求する。基地局は、アップリンクリソースをグラント（ｇｒａｎｔ）し、そして、ＵＥは、グラントされたアップリンクリソースを用いてアップリンク伝送を送信する。基地局によりグラントされ得るアップリンクリソースの例は、アップリンク直交周波数分割多元接続（ＯＦＤＭＡ）フレーム内の時間−周波数位置のセットである。
【０００６】
基地局がＵＥに対してこれらのアップリンクリソースを具体的にグラントしたので、基地局は、グラントされたアップリンクリソースを用いて、アップリンク伝送を送信するそのＵＥの識別情報を認識する。しかしながら、どのＵＥが、もしあれば、あるアップリンクリソースを用いてアップリンク伝送を送信しようとしているかを基地局が知らないスキームがあってもよい。例は、リソースの使用を具体的に要求することなく、かつ、基地局によりリソースが具体的にグラントされることなく、複数のＵＥにより共有されるあるアップリンクリソースを用いて、複数のＵＥがアップリンク伝送を送信し得るグラントフリーアップリンク伝送スキームである。したがって、どのＵＥが、もしあれば、リソースを用いてグラントフリーアップリンク伝送を送信しようとしているかを基地局は知らない。
【０００７】
いくつかの場合、特定のＵＥがグラントフリーアップリンク伝送を送信するときに、基地局は、アップリンク伝送においてデータをデコードすることができないかもしれない。
【発明の概要】
【０００８】
技術的な利点は、アップリンク（ＵＬ）グラントフリー伝送のための統合されたリソース及び参照信号（ＲＳ）割り当てに関するシステム及び方法を説明する本開示の実施形態により大まかに実現される。
【０００９】
本開示の一実施形態によれば、グラントフリー伝送用のユーザ機器（ＵＥ）のための方法が提供され、当該方法は、アップリンクデータの伝送及び再伝送のためのアップリンクグラントフリー伝送リソース構成を示す無線リソース制御（ＲＲＣ）シグナリングをネットワーク機器から受信する段階であって、アップリンクグラントフリー伝送リソース構成は、時間リソース、周波数リソース、参照信号（ＲＳ）リソース情報及び２つのグラントフリー伝送機会の間隔を含む、段階を含む。方法は、アップリンクデータの初期伝送のためのダウンリンク制御情報（ＤＣＩ）を受信することなく、ＲＲＣシグナリングに基づいて、アップリンクグラントフリー伝送リソースを取得する段階をさらに含む。方法は、アップリンクグラントフリー伝送リソースを用いて、アップリンクデータをネットワーク機器に伝送する段階をさらに含む。
【００１０】
いくつかの実施形態において、方法は、アップリンクデータの再伝送に対するグラントを示すＤＣＩメッセージをネットワーク機器から受信する段階と、グラントに基づいて、アップリンクデータをネットワーク機器に再伝送する段階とをさらに含む。
【００１１】
いくつかの実施形態において、ＲＲＣシグナリングは、グラントフリーＵＥ識別子をさらに含み、方法は、グラントフリーＵＥ識別子を用いてＤＣＩメッセージをデコードする段階をさらに含む。
【００１２】
いくつかの実施形態において、ＤＣＩメッセージは、アップリンクデータの再伝送に対するグラントを示す１の値に設定された新たなデータインジケータフィールドを有する。
【００１３】
いくつかの実施形態において、ＲＲＣシグナリングは、アップリンクデータの伝送反復の回数をさらに含む。
【００１４】
いくつかの実施形態において、ＲＲＣシグナリングは、構成されたＨＡＲＱプロセスの回数をさらに含む。
【００１５】
いくつかの実施形態において、ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに含む。
【００１６】
いくつかの実施形態において、方法は、アップリンクデータの再伝送に対するアップリンクグラントを示すＤＣＩメッセージが受信されていない場合又は受信されていないときに、アップリンクグラントフリー伝送リソースを用いてアップリンクデータを再伝送する段階をさらに含む。
【００１７】
いくつかの実施形態において、方法は、伝送反復の回数に達するまで、アップリンクグラントフリー伝送リソースを用いてアップリンクデータを再伝送する段階をさらに含む。
【００１８】
本開示の一実施形態によれば、グラントフリー伝送用に構成されるユーザ機器（ＵＥ）が提供され、ＵＥは、プロセッサとコンピュータ可読記憶媒体とを含む。コンピュータ可読記憶媒体は、プロセッサによる実行のためのプログラミング命令を格納する。プログラミングは、ネットワーク機器から無線リソース制御（ＲＲＣ）シグナリングをネットワーク機器から受信する命令であって、ＲＲＣシグナリングは、アップリンクデータの伝送及び再伝送のためのアップリンクグラントフリー伝送リソース構成を示し、アップリンクグラントフリー伝送リソース構成は、時間リソース、周波数リソース、参照信号（ＲＳ）リソース情報及び２つのグラントフリー伝送機会の間隔を含む、命令を含む。プログラミングは、アップリンクデータの初期伝送のためのダウンリンク制御情報（ＤＣＩ）を受信することなく、ＲＲＣシグナリングに基づいて、アップリンクグラントフリー伝送リソースを取得する命令を含む。プログラミングは、アップリンクグラントフリー伝送リソースを用いて、アップリンクデータをネットワーク機器に伝送する命令を含む。
【００１９】
いくつかの実施形態において、コンピュータ可読媒体は、プロセッサにより実行される場合、ＵＥに、アップリンクデータの再伝送に対するアップリンクグラントを示す第１のＤＣＩメッセージをネットワーク機器から受信させ、グラントに基づいて、アップリンクデータをネットワーク機器に再伝送させる追加のコンピュータ実行可能命令をそこに格納する。
【００２０】
いくつかの実施形態において、ＲＲＣシグナリングは、グラントフリーＵＥ識別子をさらに含み、コンピュータ可読媒体は、プロセッサにより実行される場合、ＵＥに、グラントフリーＵＥ識別子を用いてＤＣＩメッセージをデコードさせるコンピュータ実行可能命令をそこに格納する。
【００２１】
いくつかの実施形態において、ＤＣＩメッセージは、アップリンクデータの再伝送に対するグラントを示す１の値に設定された新たなデータインジケータフィールドを有する。
【００２２】
いくつかの実施形態において、ＲＲＣシグナリングは、アップリンクデータの伝送反復の回数をさらに含む。
【００２３】
いくつかの実施形態において、ＲＲＣシグナリングは、構成されたＨＡＲＱプロセスの回数をさらに含む。
【００２４】
いくつかの実施形態において、ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに含む。
【００２５】
いくつかの実施形態において、コンピュータ可読媒体は、プロセッサにより実行される場合、ＵＥに、アップリンクデータの再伝送に対するアップリンクグラントを示すＤＣＩメッセージが受信されていない場合又は受信されていないときに、アップリンクグラントフリー伝送リソースを用いてアップリンクデータを再伝送させるコンピュータ実行可能命令をそこに格納する。
【００２６】
いくつかの実施形態において、コンピュータ可読媒体は、プロセッサにより実行される場合、ＵＥに、伝送反復の回数に達するまで、アップリンクグラントフリー伝送リソースを用いてアップリンクデータを再伝送させるコンピュータ実行可能命令をそこに格納する。
【００２７】
本開示の一実施形態によれば、グラントフリー伝送用のネットワーク機器のための方法が提供され、当該方法は、アップリンクデータの伝送及び再伝送のためのアップリンクグラントフリー伝送リソース構成を示す無線リソース制御（ＲＲＣ）シグナリングをユーザ機器（ＵＥ）に伝送する段階であって、アップリンクグラントフリー伝送リソース構成は、少なくとも時間リソース、周波数リソース、参照信号（ＲＳ）リソース情報及び２つのグラントフリー伝送機会の間隔を含む、段階を含む。方法は、アップリンクデータの初期伝送のためのダウンリンク制御情報（ＤＣＩ）をネットワーク機器が伝送することなく、ＲＲＣシグナリングに基づいて割り当てられたアップリンクグラントフリー伝送リソースを用いて伝送されるアップリンクデータをＵＥから受信する段階も含む。
【００２８】
いくつかの実施形態において、方法は、アップリンクデータの再伝送に対するアップリンクグラントを示すＤＣＩメッセージをＵＥに伝送する段階と、グラントに基づいて再伝送されたアップリンクデータをＵＥから受信する段階とをさらに含む。
【００２９】
いくつかの実施形態において、ＲＲＣシグナリングは、グラントフリーＵＥ識別子をさらに有する。
【００３０】
いくつかの実施形態において、ＤＣＩメッセージは、アップリンクデータの再伝送に対するアップリンクグラントを示す１の値に設定された新たなデータインジケータフィールドを有する。
【００３１】
いくつかの実施形態において、ＲＲＣシグナリングは、アップリンクデータの伝送反復の回数をさらに含む。
【００３２】
いくつかの実施形態において、ＲＲＣシグナリングは、構成されたＨＡＲＱプロセスの回数をさらに含む。
【００３３】
いくつかの実施形態において、ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに含む。
【００３４】
いくつかの実施形態において、方法は、アップリンクグラントフリー伝送リソースを用いてアップリンクデータの再伝送を受信する段階をさらに含む。
【００３５】
いくつかの実施形態において、方法は、伝送反復の回数に達するまで、アップリンクグラントフリー伝送リソースを用いてアップリンクデータの再伝送を受信する段階をさらに含む。
【００３６】
本開示の一実施形態によれば、グラントフリー伝送用に構成されるネットワーク機器が提供され、ネットワーク機器は、プロセッサと、プロセッサによる実行のためのプログラミング命令を格納するコンピュータ可読記憶媒体とを含む。プログラミングは、アップリンクデータの伝送及び再伝送のためのアップリンクグラントフリー伝送リソース構成を示す無線リソース制御（ＲＲＣ）シグナリングをユーザ機器（ＵＥ）に伝送する命令であって、アップリンクグラントフリー伝送リソース構成は、時間リソース、周波数リソース、参照信号（ＲＳ）リソース情報及び２つのグラントフリー伝送機会の間隔を含む、命令を含む。プログラミングは、アップリンクデータの初期伝送ためのダウンリンク制御情報（ＤＣＩ）をネットワーク機器が伝送することなく、ＲＲＣシグナリングに基づいて割り当てられたアップリンクグラントフリー伝送リソースを用いて伝送されるアップリンクデータをＵＥから受信する命令も含む。
【００３７】
いくつかの実施形態において、コンピュータ可読媒体は、プロセッサにより実行される場合、ネットワーク機器に、アップリンクデータの再伝送に対するグラントを示すＤＣＩメッセージをＵＥに伝送させ、グラントに基づいて、再伝送されるアップリンクデータをＵＥから受信させるコンピュータ実行可能命令をそこに格納する。
【００３８】
いくつかの実施形態において、ＲＲＣシグナリングは、グラントフリーＵＥ識別子をさらに有する。
【００３９】
いくつかの実施形態において、ＤＣＩメッセージは、アップリンクデータの再伝送に対するグラントを示す１の値に設定された新たなデータインジケータフィールドを有する。
【００４０】
いくつかの実施形態において、ＲＲＣシグナリングは、アップリンクデータの伝送反復の回数をさらに含む。
【００４１】
いくつかの実施形態において、ＲＲＣシグナリングは、構成されたＨＡＲＱプロセスの回数をさらに含む。
【００４２】
いくつかの実施形態において、ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに含む。
【００４３】
いくつかの実施形態において、コンピュータ可読媒体は、プロセッサにより実行される場合、ネットワーク機器に、アップリンクグラントフリー伝送リソースを用いてアップリンクデータの再伝送を受信させるコンピュータ実行可能命令をそこに格納する。
【００４４】
いくつかの実施形態において、コンピュータ可読媒体は、プロセッサにより実行される場合、ネットワーク機器に、伝送反復の回数に達するまで、アップリンクグラントフリー伝送リソースを用いてアップリンクデータの再伝送を受信させるコンピュータ実行可能命令をそこに格納する。
【００４５】
本開示の一実施形態によれば、グラントフリー伝送用のユーザ機器のための方法が提供され、当該方法は、アップリンクグラントフリー伝送リソース構成を示す無線リソース制御（ＲＲＣ）シグナリングをネットワーク機器から受信する段階であって、当該構成は、伝送反復の回数Ｋを含む、段階を含む。方法は、第１のダウンリンク制御情報（ＤＣＩ）メッセージをネットワーク機器から受信する段階であって、ＤＣＩメッセージは、ＵＥがアップリンクグラントフリーデータ伝送を実行することを許可されていることを示すアクティブ化インジケーションと、ＵＥに割り当てられる参照信号（ＲＳ）を示すＲＳ情報とを含む、段階をさらに含む。方法は、ＲＲＣシグナリングに示されるアップリンクグラントフリー伝送リソース構成及びＤＣＩメッセージに基づいて、アップリンクグラントフリー伝送リソースを取得する段階をさらに含む。方法は、アップリンクグラントフリー伝送リソースを用いて、アップリンクデータをネットワーク機器に伝送する段階をさらに含む。
【００４６】
いくつかの実施形態において、方法は、第２のＤＣＩメッセージをネットワーク機器から受信する段階であって、第２のＤＣＩメッセージは、ＵＥがアップリンクグラントフリーデータ伝送を実行することを許可されていないことを示す非アクティブ化インジケーションを含む、段階と、アップリンクグラントフリー伝送リソースを用いたアップリンクデータ伝送を停止する段階とをさらに含む。
【００４７】
いくつかの実施形態において、ＤＣＩメッセージは、リソースブロック情報と、変調及び符号化スキーム（ＭＣＳ）情報とをさらに含む。
【００４８】
いくつかの実施形態において、方法は、ネットワーク機器から第３のＤＣＩメッセージをネットワーク機器から受信する段階であって、第３のＤＣＩメッセージは、アップリンクデータの再伝送に対するアップリンクグラントを示す、段階をさらに含む。
【００４９】
方法は、ＲＲＣシグナリングが、２つのグラントフリー伝送機会の間隔と、電力制御関連パラメータと、構成されたＨＡＲＱプロセスの回数と、グラントフリーＵＥ識別子とのうちの少なくとも１つを含むことをさらに含む。
【００５０】
本開示の一実施形態によれば、グラントフリー伝送用に構成されるユーザ機器（ＵＥ）が提供され、ＵＥは、プロセッサと、プロセッサによる実行のためのプログラミング命令を格納するコンピュータ可読記憶媒体とを含む。プログラミングは、アップリンクグラントフリー伝送リソース構成を示す無線リソース制御（ＲＲＣ）シグナリングをネットワーク機器から受信する命令であって、当該構成は伝送反復の回数Ｋを含む、命令を含む。プログラミングは、第１のダウンリンク制御情報（ＤＣＩ）メッセージをネットワーク機器から受信する命令であって、ＤＣＩメッセージは、ＵＥがアップリンクグラントフリーデータ伝送を実行することを許可されていることを示すアクティブ化インジケーションと、ＵＥに割り当てられる参照信号（ＲＳ）を示すＲＳ情報とを含む、命令を含む。プログラミングは、ＲＲＣシグナリングに示されるアップリンクグラントフリー伝送リソース構成及びＤＣＩメッセージに基づいて、アップリンクグラントフリー伝送リソースを取得する命令を含む。プログラミングは、アップリンクグラントフリー伝送リソースを用いて、アップリンクデータをネットワーク機器に伝送する命令を含む。
【００５１】
いくつかの実施形態において、コンピュータ可読媒体は、プロセッサにより実行される場合、ＵＥに、第２のＤＣＩメッセージをネットワーク機器から受信させるコンピュータ実行可能命令であって、第２のＤＣＩメッセージは、ＵＥがアップリンクグラントフリーデータ伝送を実行することを許可されていないことを示す非アクティブ化インジケーションを含む、コンピュータ実行可能命令と、アップリンクグラントフリー伝送リソースを用いたアップリンクデータ伝送を停止させるコンピュータ実行可能命令とをそこに格納する。
【００５２】
いくつかの実施形態において、ＤＣＩメッセージは、リソースブロック情報と、変調及び符号化スキーム（ＭＣＳ）情報とをさらに含む。
【００５３】
いくつかの実施形態において、コンピュータ可読媒体は、プロセッサにより実行される場合、ＵＥに、ネットワーク機器から第３のＤＣＩメッセージをネットワーク機器から受信させるコンピュータ実行可能命令であって、第３のＤＣＩメッセージは、アップリンクデータの再伝送に対するアップリンクグラントを示す、コンピュータ実行可能命令をそこに格納する。
【００５４】
いくつかの実施形態において、ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む。
【００５５】
本開示の一実施形態によれば、グラントフリー伝送用のネットワーク機器のための方法が提供され、当該方法は、アップリンクグラントフリー伝送リソース構成を示す無線リソース制御（ＲＲＣ）シグナリングをユーザ機器（ＵＥ）に伝送する段階であって、当該構成は、伝送反復の回数Ｋを含む、段階を含む。方法は、第１のダウンリンク制御情報（ＤＣＩ）メッセージをＵＥに伝送する段階であって、ＤＣＩメッセージは、ＵＥがアップリンクグラントフリーデータ伝送を実行することを許可されていることを示すアクティブ化インジケーションと、ＵＥに割り当てられる参照信号（ＲＳ）を示すＲＳ情報とを含む、段階をさらに含む。方法は、ＲＲＣシグナリング及びＤＣＩメッセージに基づいて割り当てられたアップリンクグラントフリー伝送リソースを用いて伝送されるアップリンクデータをＵＥから受信する段階をさらに含む。
【００５６】
いくつかの実施形態において、方法は、第２のＤＣＩメッセージをＵＥに伝送する段階であって、第２のＤＣＩメッセージは、ＵＥがアップリンクグラントフリーデータ伝送を実行することを許可されていないことを示す非アクティブ化インジケーションを含む、段階をさらに含む。
【００５７】
いくつかの実施形態において、方法は、ＤＣＩメッセージがリソースブロック情報と、変調及び符号化スキーム（ＭＣＳ）情報とをさらに含むことをさらに含む。
【００５８】
いくつかの実施形態において、方法は、ネットワーク機器から第３のＤＣＩメッセージをＵＥに伝送する段階であって、第３のＤＣＩメッセージは、アップリンクデータの再伝送に対するアップリンクグラントを示す、段階をさらに含む。
【００５９】
いくつかの実施形態において、方法は、ＲＲＣシグナリングが、２つのグラントフリー伝送機会の間隔と、電力制御関連パラメータと、構成されたＨＡＲＱプロセスの回数と、グラントフリーＵＥ識別子とのうちの少なくとも１つを含むことをさらに含む。
【００６０】
本開示の一実施形態によれば、グラントフリー伝送用に構成されるネットワーク機器が提供され、ネットワーク機器は、プロセッサと、プロセッサによる実行のためのプログラミング命令を格納するコンピュータ可読記憶媒体とを含む。プログラミングは、アップリンクグラントフリー伝送リソース構成を示す無線リソース制御（ＲＲＣ）シグナリングをユーザ機器（ＵＥ）に伝送する命令であって、当該構成は伝送反復の回数Ｋを含む、命令を含む。プログラミングは、第１のダウンリンク制御情報（ＤＣＩ）メッセージをＵＥに伝送する命令であって、ＤＣＩメッセージは、ＵＥがアップリンクグラントフリーデータ伝送を実行することを許可されていることを示すアクティブ化インジケーションと、ＵＥに割り当てられる参照信号（ＲＳ）を示すＲＳ情報とを含む、命令も含む。プログラミングは、ＲＲＣシグナリング及びＤＣＩメッセージに基づいて割り当てられたアップリンクグラントフリー伝送リソースを用いて伝送されるアップリンクデータをＵＥから受信する命令も含む。
【００６１】
いくつかの実施形態において、コンピュータ可読媒体は、プロセッサにより実行される場合、ネットワーク機器に、第２のＤＣＩメッセージをＵＥに伝送させるコンピュータ実行可能命令であって、第２のＤＣＩメッセージは、ＵＥがアップリンクグラントフリーデータ伝送を実行することを許可されていないことを示す非アクティブ化インジケーションを含む、コンピュータ実行可能命令をそこに格納する。
【００６２】
いくつかの実施形態において、ＤＣＩメッセージは、リソースブロック情報と、変調及び符号化スキーム（ＭＣＳ）情報とをさらに有する。
【００６３】
いくつかの実施形態において、コンピュータ可読媒体は、プロセッサにより実行される場合、ネットワーク機器に、ネットワーク機器から第３のＤＣＩメッセージをＵＥに伝送させるコンピュータ実行可能命令であって、第３のＤＣＩメッセージは、アップリンクデータの再伝送に対するアップリンクグラントを示す、コンピュータ実行可能命令をそこに格納する。
【００６４】
いくつかの実施形態において、ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む。
【図面の簡単な説明】
【００６５】
本開示及びそれらの利点のより十分な理解のために、ここでは、添付図面と共に行われる以下の説明に対する参照が行われる。
【００６６】
【図１】データを通信するためのネットワークを示す。
【００６７】
【図２Ａ】実施形態の電子デバイス（ＥＤ）、例えばユーザ機器（ＵＥ）、の略図を示す。
【００６８】
【図２Ｂ】実施形態の基地局の略図を示す。
【００６９】
【図２Ｃ】データを通信するためのネットワークを示す。
【００７０】
【図３Ａ】本開示の実施形態に係るグラントフリー伝送に関する方法の例についてのフローチャートを示す。
【図３Ｂ】本開示の実施形態に係るグラントフリー伝送に関する方法の例についてのフローチャートを示す。
【図３Ｃ】本開示の実施形態に係るグラントフリー伝送に関する方法の例についてのフローチャートを示す。
【図３Ｄ】本開示の実施形態に係るグラントフリー伝送に関する方法の例についてのフローチャートを示す。
【図３Ｅ】本開示の実施形態に係るグラントフリー伝送に関する方法の例についてのフローチャートを示す。
【図３Ｆ】本開示の実施形態に係るグラントフリー伝送に関する方法の例についてのフローチャートを示す。
【図３Ｇ】本開示の実施形態に係るグラントフリー伝送に関する方法の例についてのフローチャートを示す。
【図３Ｈ】本開示の実施形態に係るグラントフリー伝送に関する方法の例についてのフローチャートを示す。
【図３Ｉ】本開示の実施形態に係るグラントフリー伝送に関する方法の例についてのフローチャートを示す。
【図３Ｊ】本開示の実施形態に係るグラントフリー伝送に関する方法の例についてのフローチャートを示す。
【図３Ｋ】本開示の実施形態に係るグラントフリー伝送に関する方法の例についてのフローチャートを示す。
【００７１】
【図４】例示的なグラントフリー伝送スキームのフローチャートを示す。
【００７２】
【図５Ａ】本開示の実施形態に係るリソース割り当てパターンの例を示す。
【図５Ｂ】本開示の実施形態に係るリソース割り当てパターンの例を示す。
【図５Ｃ】本開示の実施形態に係るリソース割り当てパターンの例を示す。
【図５Ｄ】本開示の実施形態に係るリソース割り当てパターンの例を示す。
【００７３】
【図５Ｅ】本開示の実施形態に係る例示的な参照信号（ＲＳ）空間拡張スキームを示す。
【００７４】
【図５Ｆ】本開示の実施形態に係る例示的な固定されたリソースグループ化パターンを示す。
【００７５】
【図５Ｇ】本開示の実施形態に係る例示的なグラントフリーリソースの半静的な更新を示す。
【００７６】
【図６Ａ】本開示の実施形態に係る例示的なメッセージ用のフォーマットを示す。
【００７７】
【図６Ｂ】本開示の実施形態に係る追加の例示的なメッセージ用のフォーマットを示す。
【００７８】
【図７】本開示の実施形態に係るコンピューティングシステムの略図を示す。
【００７９】
【図８】本開示の実施形態に係る、複数のＵＥに割り当てられる例示的なグラントフリー伝送リソースを示す。
【００８０】
【図９】ＵＥが本開示の実施形態に従って一貫した方式でグループ化される複数のＵＥに割り当てられる例示的なグラントフリー伝送リソースを示す。
【００８１】
別途示されない限り、異なる図において対応する番号及び記号は、概して、対応する部分を指す。図は、実施形態の関連する態様を明確に示すために描かれており、必ずしも縮尺通りに描かれていない。
【発明を実施するための形態】
【００８２】
本実施形態の構造、製造及び使用が以下に詳細に説明される。しかしながら、本開示は多種多様な固有のコンテキストで具現化され得る多くの適用可能な発明の概念を提供することを理解されたい。説明される特定の実施形態は、本開示を構成して使用するために、単に固有のやり方を例示したものに過ぎず、本開示の範囲を制限するものではない。
【００８３】
本開示において、グラントフリー伝送は、例えば、物理アップリンク制御チャネル（ＰＵＣＣＨ）又は物理ダウンリンク制御チャネル（ＰＤＣＣＨ）などの動的な制御チャネルにおいてグラントベースのシグナリングを通信することなく実行されるデータ伝送を指す。グラントフリー伝送は、アップリンク又はダウンリンク伝送を含むことができ、特に指定がない限り、そのようなものとして解釈されるはずである。
【００８４】
図１は、例示的な通信システム１００を示す。一般に、システム１００は、複数の無線又は有線ユーザデバイスがデータ及び他のコンテンツを伝送及び受信することを可能にする。システム１００は、１又は複数のチャネルアクセス方法、例えば、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）又はシングルキャリアＦＤＭＡ（ＳＣ‐ＦＤＭＡ）を実装してよい。
【００８５】
この例では、通信システム１００は、電子デバイス（ＥＤ）１１０ａ−１１０ｃ、無線アクセスネットワーク（ＲＡＮ）１２０ａ−１２０ｂ、コアネットワーク１３０、公衆交換電話網（ＰＳＴＮ）１４０、インターネット１５０及び他のネットワーク１６０を含む。一定の数のこれらのコンポーネント又はエレメントが図１に示されているが、任意の数のこれらのコンポーネント又はエレメントがシステム１００に含まれてよい。
【００８６】
ＥＤ１１０ａ−１１０ｃは、システム１００において動作及び／又は通信するように構成される。例えば、ＥＤ１１０ａ−１１０ｃは、無線又は有線通信チャネルを介して伝送及び／又は受信するように構成される。各ＥＤ１１０ａ−１１０ｃは、任意の適切なエンドユーザデバイスを表し、ユーザ機器／デバイス（ＵＥ）、無線送受信ユニット（ＷＴＲＵ）、移動局、固定又はモバイル式の加入者ユニット、携帯電話、パーソナルデジタルアシスタント（ＰＤＡ）、スマートフォン、ラップトップ、コンピュータ、タッチパッド、無線センサ又は家庭用電子デバイスとして、（又は、と称され得る）そのようなデバイスを含んでよい。
【００８７】
ここで、ＲＡＮ１２０ａ−１２０ｂは、基地局１７０ａ−１７０ｂをそれぞれ含む。各基地局１７０ａ−１７０ｂは、ＥＤ１１０ａ−１１０ｃのうちの１又は複数を無線インタフェースで接続して、バックホールネットワークへのアクセスを可能にするように構成され、図１のバックホールネットワークは、コアネットワーク１３０、ＰＳＴＮ１４０、インターネット１５０及び／又は他のネットワーク１６０を有する。例として、バックホールネットワークは、５Ｇ通信システムネットワーク又は将来の次期発展システムネットワークを有することができる。例えば、基地局１７０ａ−１７０ｂは、いくつかの周知のデバイス、例えば、ベーストランシーバ基地局（ＢＴＳ）、ノードＢ（ＮｏｄｅＢ）、進化型ノードＢ（ｅＮｏｄｅＢ）、ホームＮｏｄｅＢ、ホームｅＮｏｄｅＢ、サイトコントローラ、アクセスポイント（ＡＰ）又は無線ルータのうちの１又は複数を含んで（又は、であって）よい。ＥＤ１１０ａ−１１０ｃは、インターネット１５０とインタフェース接続して通信するように構成され、コアネットワーク１３０、ＰＳＴＮ１４０及び／又は他のネットワーク１６０にアクセスしてよい。
【００８８】
図１に示される実施形態において、基地局１７０ａは、ＲＡＮ１２０ａの一部を形成し、それは、他の基地局、エレメント及び／又はデバイスを含んでよい。また、基地局１７０ｂは、ＲＡＮ１２０ｂの一部を形成し、それは、他の基地局、エレメント及び／又はデバイスを含んでよい。各基地局１７０ａ−１７０ｂは、場合により「セル」と称される特定の地理的な地域又はエリア内で無線信号を伝送及び／又は受信するように動作する。いくつかの実施形態において、セル毎に複数の送受信機を有する多入力多出力（ＭＩＭＯ）技術が採用されてよい。
【００８９】
基地局１７０ａ−１７０ｂは、無線通信リンクを用いる１又は複数のエアインタフェース１９０を介してＥＤ１１０ａ−１１０ｃのうちの１又は複数と通信する。エアインタフェース１９０は、任意の適切な無線アクセス技術を利用してよい。
【００９０】
システム１００は、上述のように、そのようなスキームを含むマルチチャネルアクセス機能を用いてよいと考えられる。特定の実施形態において、基地局及びＥＤは、ＬＴＥ、ＬＴＥ‐Ａ及び／又はＬＴＥ‐Ｂを実現する。もちろん、他の多元接続スキーム及び無線プロトコルが利用されてよい。
【００９１】
ＲＡＮ１２０ａ−１２０ｂは、コアネットワーク１３０と通信して、音声、データ、アプリケーション、ボイス・オーバー・インターネットプロトコル（ＶｏＩＰ）又は他のサービスをＥＤ１１０ａ−１１０ｃに提供する。理解できるように、ＲＡＮ１２０ａ−１２０ｂ及び／又はコアネットワーク１３０は、１又は複数の他のＲＡＮ（不図示）と直接的又は間接的な通信を行ってよい。コアネットワーク１３０は、他のネットワーク（例えば、ＰＳＴＮ１４０、インターネット１５０及び他のネットワーク１６０）に対するゲートウェイアクセスとしての機能も果たし得る。さらに、ＥＤ１１０ａ−１１０ｃのいくつか又はすべてが、種々の無線技術及び／又はプロトコルを用いる種々の無線リンクを介して種々の無線ネットワークと通信するための機能を含んでもよい。無線通信の代わりに（又は、これに加えて）、ＥＤ１１０ａ−１１０ｃは、サービスプロバイダ又はスイッチ（不図示）及びインターネット１５０に有線通信チャネルを介して通信してよい。
【００９２】
図１は、通信システムの一例を示すが、様々な変更が図１に対して行われてよい。例えば、通信システム１００は、任意の適切な構成において、任意の数のＥＤ、基地局、ネットワーク又は他のコンポーネントを含み得る。
【００９３】
図２Ａ及び図２Ｂは、本開示に係る方法及び教示内容を実現し得る例示的なデバイスを示す。特に、図２Ａは、１１０ａ、１１０ｂ、１１０ｃに対応する例示的なＥＤ１１０を示し、図２Ｂは、１７０ａ又は１７０ｂに対応する例示的な基地局１７０を示す。これらのコンポーネントは、システム１００又は任意の他の適切なシステムにおいて用いられ得る。
【００９４】
図２Ａに示されるように、ＥＤ１１０は、少なくとも１つの処理ユニット２００を含む。処理ユニット２００は、ＥＤ１１０の様々な処理動作を実装する。例えば、処理ユニット２００は、信号符号化、データ処理、電力制御、入力／出力処理又はＥＤ１１０がシステム１００において動作することを可能にする任意の他の機能を実行し得る。処理ユニット２００は、上記及び下記でより詳細に説明される方法及び教示もサポートする。各処理ユニット２００は、１又は複数のオペレーションを実行するように構成される任意の適切な処理デバイス又はコンピューティングデバイスを含む。各処理ユニット２００は、例えば、マイクロプロセッサ、マイクロコントローラ、デジタル信号プロセッサ、フィールドプログラマブルゲートアレイ又は特定用途向け集積回路を含み得る。
【００９５】
ＥＤ１１０は、少なくとも１つの送受信機２０２も含む。送受信機２０２は、少なくとも１つのアンテナ２０４又はＮＩＣ（ネットワークインタフェースコントローラ）による伝送のために、データ又は他のコンテンツを変調するように構成される。送受信機２０２はまた、少なくとも１つのアンテナ２０４により受信されたデータ又は他のコンテンツを復調するように構成される。各送受信機２０２は、無線又は有線伝送用の信号を生成するための、及び／又は、無線で又は有線により受信された信号を処理するための任意の適切な構造を含む。各アンテナ２０４は、無線又は有線信号を伝送及び／又は受信するための任意の適切な構造を含む。１又は複数の送受信機２０２は、ＥＤ１１０において用いられ得、１又は複数のアンテナ２０４は、ＥＤ１１０において用いられ得る。単一の機能ユニットとして示されるが、送受信機２０２はまた、少なくとも１つの送信機及び少なくとも１つの別個の受信機を用いて実現され得る。
【００９６】
ＥＤ１１０は、１又は複数の入力／出力デバイス２０６又はインタフェース（例えば、インターネット１５０への有線インタフェース）をさらに含む。入力／出力デバイス２０６は、ネットワークにおいて、ユーザデバイス又は他のデバイスとのインタラクション（ネットワーク通信）を容易にする。各入力／出力デバイス２０６は、ネットワークインタフェース通信を含むスピーカ、マイク、キーパッド、キーボード、ディスプレイ又はタッチスクリーンなどのユーザに情報を提供するための、又は、これらから情報を受信／提供するための任意の適切な構造を含む。
【００９７】
さらに、ＥＤ１１０は、少なくとも１つのメモリ２０８を含む。メモリ２０８は、ＥＤ１１０により使用、生成又は収集される命令及びデータを格納する。例えば、メモリ２０８は、処理ユニット２００により実行されるソフトウェア又はファームウェア命令、及び、入ってくる信号内の干渉を減らす又は取り除くために用いられるデータを格納し得る。各メモリ２０８は、任意の適切な揮発性及び／又は不揮発性ストレージ及び検索デバイスを含む。例えば、ランダムアクセスメモリ（ＲＡＭ）、リードオンリメモリ（ＲＯＭ）、ハードディスク、光ディスク、加入者識別モジュール（ＳＩＭ）カード、メモリスティック及びセキュアデジタル（ＳＤ）メモリカードなど、任意の適切なタイプのメモリが用いられてよい。
【００９８】
図２Ｂに示されるように、基地局１７０は、少なくとも１つの処理ユニット２５０、少なくとも１つの送信機２５２、少なくとも１つの受信機２５４、１又は複数のアンテナ２５６、少なくとも１つのメモリ２５８及び１又は複数の入力／出力デバイス又はインタフェース２６６を含む。当業者により理解されるであろうスケジューラはまた、処理ユニット２５０に結合され得る。スケジューラは、基地局１７０内に含まれ得る、又は、基地局１７０とは別個に動作され得る。処理ユニット２５０は、基地局１７０の様々な処理動作、例えば、信号符号化、データ処理、電力制御、入力／出力処理又は任意の他の機能を実施する。処理ユニット２５０は、上記でより詳細に説明した方法及び教示をサポートすることもできる。各処理ユニット２５０は、１又は複数のオペレーションを実行するように構成される任意の適切な処理デバイス又はコンピューティングデバイスを含む。各処理ユニット２５０は、例えば、マイクロプロセッサ、マイクロコントローラ、デジタル信号プロセッサ、フィールドプログラマブルゲートアレイ又は特定用途向け集積回路を含み得る。
【００９９】
各送信機２５２は、１又は複数のＥＤ又は他のデバイスへの無線又は有線伝送用の信号を生成するための任意の適切な構造を含む。各受信機２５４は、１又は複数のＥＤ又は他のデバイスから無線で又は有線により受信した信号を処理するための任意の適切な構造を含む。別個の送信機２５２及び受信機２５４として示されるが、これら２つのデバイスは、送受信機として組み合わせられ得る。各アンテナ２５６は、無線又は有線信号を伝送及び／又は受信するための任意の適切な構造を含む。ここでは、共通のアンテナ２５６が送信機２５２に結合されるように示されるが、１又は複数のアンテナ２５６は、受信機２５２に結合され得、別個のアンテナ２５６が別個のコンポーネントとして送信機及び受信機に結合されることを可能にする。各メモリ２５８は、任意の適切な揮発性及び／又は不揮発性ストレージ及び検索デバイスを含む。各入力／出力デバイス２６６は、ネットワークにおいて、ユーザデバイス又は他のデバイスとのインタラクション（ネットワーク通信）を容易にする。各入力／出力デバイス２６６は、ユーザに情報を提供するための、又は、ユーザから情報を受信／提供するための任意の適切な構造を含み、ネットワークインタフェース通信を含む。
【０１００】
図２Ｃは、データを通信するための例示的なネットワーク２８０を示す。ネットワーク２８０は、カバレッジエリア２８１を有する基地局（ＢＳ）２８３、複数のモバイルデバイス２８２（２８２ａ、２８２ｂ）及びバックホールネットワーク２８４を有する。図示されるように、基地局２８３は、モバイルデバイス２８２とのアップリンク（長い破線）及び／又はダウンリンク（短い破線）接続を確立し、モバイルデバイス２８２からＢＳ２８３に、逆もまた同様に、データを搬送するようにサービス提供する。アップリンク／ダウンリンク接続を介して搬送されるデータは、モバイルデバイス２８２間で通信されるデータ、及びバックホールネットワーク２８４によってリモート側（不図示）との間で通信されるデータを含んでよい。
【０１０１】
ネットワーク２８０は、グラントフリーアップリンク伝送を実現し得る。グラントフリーアップリンク伝送は、場合により、「グラントレス（ｇｒａｎｔ‐ｌｅｓｓ）」、「スケジュールフリー（ｓｃｈｅｄｕｌｅ  ｆｒｅｅ）」又は「スケジュールレス（ｓｃｈｅｄｕｌｅ‐ｌｅｓｓ）」伝送と呼ばれる。グラントフリーアップリンク伝送は、「グラントなしＵＬ伝送（ＵＬ  ｔｒａｎｓｍｉｓｓｉｏｎ  ｗｉｔｈｏｕｔ  ｇｒａｎｔ）」、「動的なグラントなしＵＬ伝送（ＵＬ  ｔｒａｎｓｍｉｓｓｉｏｎ  ｗｉｔｈｏｕｔ  ｄｙｎａｍｉｃ  ｇｒａｎｔ）」、「動的なスケジューリングなし伝送（ｔｒａｎｓｍｉｓｓｉｏｎ  ｗｉｔｈｏｕｔ  ｄｙｎａｍｉｃ  ｓｃｈｅｄｕｌｉｎｇ）」、「構成グラントを用いた伝送（ｔｒａｎｓｍｉｓｓｉｏｎ  ｕｓｉｎｇ  ｃｏｎｆｉｇｕｒｅｄ  ｇｒａｎｔ）」とも称され得る。場合により、ＤＣＩシグナリングなしでＲＲＣにおいて構成されるグラントフリーリソースは、ＲＲＣ構成グラント（ＲＲＣ  ｃｏｎｆｉｇｕｒｅｄ  ｇｒａｎｔ）又は１つのタイプの構成グラントと呼ばれ得る。ＲＲＣ及びＤＣＩシグナリングの両方を用いて構成されるグラントフリーリソースは、構成グラント、ＤＣＩ構成グラント又は別のタイプの構成グラントとも呼ばれ得る。異なるモバイルデバイスからのグラントフリーアップリンク伝送は、同じ指定されたリソース、例えば、コンテンション伝送ユニット（ＣＴＵ）アクセス領域を用いて伝送されてよく、その場合、グラントフリーアップリンク伝送は、コンテンションベースの伝送である。１又は複数の基地局は、例えば、ＢＳ２８３は、グラントフリーアップリンク伝送に対してブラインド検出を実行してよい。
【０１０２】
グラントフリーアップリンク伝送は、モバイルデバイス２８２からＢＳ２８３に短いパケットを有するバースト性のトラフィックを伝送する、及び／又は、リアルタイム又は低レイテンシでＢＳ２８３へデータを伝送するのに適している可能性がある。グラントフリーアップリンク伝送スキームが利用され得る用途の例は、大容量マシンタイプ通信（ｍ−ＭＴＣ）、高信頼性低レイテンシ通信（ＵＲＬＬＣ）、スマート電気メータ、スマートグリッド内のテレプロテクション及び全自動運転を含む。しかしながら、グラントフリーアップリンク伝送スキームは、上記で説明した用途に限定されるものではない。
【０１０３】
ＢＳ２８３は、グラントフリーアップリンク伝送スキームを実装してよく、コンテンション伝送ユニット（ＣＴＵ）アクセス領域は、モバイルデバイス２８２が要求／グラントメカニズムなしでアップリンクリソースと競合及びアクセスし得るように規定され得る。グラントフリーアップリンク伝送スキームは、ＢＳにより規定され得る、又は、無線規格（例えば、３ＧＰＰ）において設定され得る。モバイルデバイス２８２は、衝突を回避するために、（すなわち、２つ又はそれより多くのモバイルデバイスが同じアップリンクリソース上でデータを伝送することを試みる場合）、様々なＣＴＵアクセス領域にマッピングされ得る。しかしながら、衝突が生じた場合、モバイルデバイス２８２は、非同期ＨＡＲＱ（ハイブリッド自動再送要求）方法を用いて衝突を解決し得る。ＢＳ２８３は、ブラインドで（すなわち、明示的なシグナリングなしで）、アクティブなモバイルデバイスを検出し、受信したアップリンク伝送をデコードしてよい。
【０１０４】
このスキームの下、モバイルデバイス２８２は、ＢＳ２８３が要求／グラントメカニズムにリソースを割り当てることなく、アップリンク伝送を送信してよい。したがって、総ネットワークオーバーヘッドリソースが節約され得る。さらに、このシステムは、要求／グラントスキームをバイパスすることにより、アップリンク中の時間を節約することを可能にし得る。１つのＢＳ２８３及び２つのモバイルデバイス２８２のみが図２Ｃに示されているが、典型的なネットワークは、その地理的なカバレッジエリア内で変化する多くのモバイルデバイスからの伝送をそれぞれがカバーする複数のＢＳを含んでよい。
【０１０５】
ネットワーク２８０は、様々なハイレベルシグナリングメカニズムを用いて、グラントフリー伝送を有効にして構成する。グラントフリー伝送ができるモバイルデバイス２８２は、この能力をＢＳ２８３にシグナリングしてよい。これは、ＢＳ２８３が、グラントフリー伝送及び従来の信号／グラント伝送（例えば、かつてのモバイルデバイスモデル用）の両方を同時にサポートすることを可能にし得る。関連するモバイルデバイスは、例えば、３ＧＰＰ（第３世代パートナーシッププロジェクト）規格において規定されたＲＲＣ（無線リソース制御）シグナリングにより、この能力をシグナリングし得る。モバイルデバイスがグラントフリー伝送をサポートするか否かを示すために、新たなフィールドがＲＲＣシグナリングにモバイルデバイスの能力リストを加えてもよい。代替的に、１又は複数の既存のフィールドは、グラントフリーサポートを示すために修正又は推測され得る。
【０１０６】
ＢＳ２８３は、ハイレベルメカニズム（例えば、ブロードキャストチャネル又は遅いシグナリングチャネル）を用いて、必要な情報をモバイルデバイス２８２に通知して、グラントフリー伝送スキームを有効にして構成してもよい。例えば、ＢＳ２８３は、それがグラントフリー伝送、（時間−周波数リソースを規定する）サーチスペース位置及びＣＴＵアクセス領域に対するアクセスコード、署名セットの最大のサイズ（すなわち、規定された署名の総数）、並びに、変調及び符号化スキーム（ＭＣＳ）設定などをサポートすることをシグナリングしてよい。さらに、ＢＳ２８３は、例えば、遅いシグナリングチャネル（例えば、時間間隔（ＴＴＩ）を伝送するたびに生じさせる代わりに、数百ミリ秒のオーダーで生じさせるだけのシグナリングチャネル）を用いて、時々この情報を更新してよい。
【０１０７】
１より多くのモバイルデバイスに共通のグラントフリーリソース情報は、ブロードキャストチャネル又はシステム情報において予め定められ得る又は規定され得る。どのようにシステム情報がＢＳにより伝送され得るかについての例は、システム情報ブロック（ＳＩＢ）を用いることを含む。システム情報は、限定されるものではないが、周波数のグラントフリー境界のグラントフリー周波数帯（開始及び終了）、及び、グラントフリー区分サイズを含み得る。
【０１０８】
ＳＩＢは、例えば、すべてのモバイルデバイスに対する総グラントフリー伝送リソースを規定するために、グラントフリー周波数伝送リソースの開始（ＧＦｆｒｅｑｕｅｎｃｙＳｔａｒｔ）及びグラントフリー周波数伝送リソースの終了（ＧＦｆｒｅｑｕｅｎｃｙＦｉｎｉｓｈ）を規定するために、フィールドを含んでよい。しかしながら、利用可能なグラントフリー伝送リソース全体を規定する他の方式があってよい。
【０１０９】
ＳＩＢは、例えば、グラントフリーＣＴＵサイズ、例えば、ＣＴＵ周波数サイズ（ＧＦＣＴＵＳｉｚｅＦｒｑｕｅｎｃｙ）及びＣＴＵ時間サイズ（ＧＦＣＴＵＳｉｚｅＴｉｍｅ）を規定するために、フィールドを含んでよい。
【０１１０】
上記のフィールドは、連続的なグラントフリーリソース割り当てを想定している。しかしながら、いくつかの実施形態において、グラントフリーリソースは、連続でなくてよく、ＧＦリソースを規定する他の方式であってもよい。上記のフィールドのいずれかは、リソースが予め定められ得るように、任意選択的であってもよい。
【０１１１】
グラントフリーモバイルデバイス用の制御チャネル（ＤＣＩ）に対するサーチスペース位置を規定することに関して、ダウンリンク制御情報（ＤＣＩ）のサーチスペース位置は、各サブフレーム／ＴＴＩ内の潜在的な制御チャネルエレメント（ＣＣＥ）のインデックスにより提供してよく、インデックスは、ＵＥに割り当てられるグラントフリーユーザ機器識別子（ＵＥ  ＩＤ）（例えば、ＧＦ＿ＲＮＴＩ）、又は、グラントフリーグループＩＤ（例えば、Ｇｒｏｕｐ＿ＲＮＴＩ）から導出された予め定められた関係を有してよい。この方法は、ロングタームエボリューション（ＬＴＥ）におけるＰＤＣＣＨサーチスペースの規定と同様であり得る。
【０１１２】
サーチスペースを規定する別のやり方は、ＤＣＩのサーチスペース位置を明示的にシグナリングすることであってよい。提供されるフォーマットは、時間−周波数領域であってよく、その範囲内で、グラントフリーＵＥ（すなわち、グラントフリーオペレーション用に構成されるＵＥ）は、すべてのＣＣＥを検索しなければならない。この明示的なシグナリングは、無線リソース制御（ＲＲＣ）シグナリングにおいて実行され得る。これは、ＬＴＥにおいて規定される、例えば、ＲＲＣシグナリング内のｅＰＤＣＣＨ＿Ｃｏｎｆｉｇにおいて規定される拡張ＰＤＣＣＨ（ｅＰＤＣＣＨ）サーチスペースと同様である。
【０１１３】
ＢＳ２８３により実現されるグラントフリー伝送アップリンクスキームは、モバイルデバイス１２０によるグラントフリー伝送を可能にするようにＣＴＵアクセス領域を規定してよい。ＣＴＵは、コンテンション伝送のためにネットワークにより予め定められた基本リソースである。メッセージは、多元接続（ＭＡ）リソースを用いて伝送される。ＭＡリソースは、ＭＡ物理リソース（例えば、時間−周波数ブロック）及び少なくとも１つのＭＡ署名で構成される。ＭＡ署名は、コードブック／コードワード、シーケンス、インタリーバ及び／又はマッピングパターン、復調参照信号（例えば、チャネル推定用の参照信号）、プリアンブル、空間的な次元及びパワー次元のうちの少なくとも１つを含んでよい（が、これらに限定されるものではない）。用語「パイロット」は、参照信号（ＲＳ）を少なくとも含む信号を指す。いくつかの実施形態において、パイロットは、場合により、チャネル推定指向のプリアンブル又はランダムアクセスチャネル（ＬＴＥのようなＲＡＣＨ）のプリアンブルと共に復調参照信号（ＤＭＲＳ）を含んでよい。
【０１１４】
ＣＴＵアクセス領域は、コンテンション伝送が生じる時間−周波数領域である。グラントフリーアップリンク伝送スキームは、ネットワーク、例えば、図１のネットワーク１００のための複数のＣＴＵアクセス領域を規定してよい。グラントフリー伝送アップリンクスキームは、ハイレベルシグナリング（例えば、ブロードキャストチャネル）を介してＢＳにより規定されてよく、又は、規格により予め定められてよく、かつ、ＵＥにおいて（例えば、ＵＥのファームウェアにおいて）実現されてよい。当該領域は、１又は複数の周波数帯（イントラバンド又はインターバンド）に存在してよく、アップリンク伝送帯域幅全体、又は、ＢＳ２８３の総伝送帯域幅の一部、又は、ＢＳ２８３によりサポートされているキャリアを占有してよい。帯域幅の一部のみを占有するＣＴＵアクセス領域は、従来の要求／グラントスキーム（例えば、グラントフリー伝送をサポートできないかつてのモバイルデバイスモデル）の下、ＢＳ２８３がアップリンク伝送を同時にサポートすることを可能にする。さらに、ＢＳ２８３は、要求／グラントスキームの下、スケジューリングされた伝送用に未使用のＣＴＵを利用してよい、又は、ＢＳ２８３は、アクセス領域の一部が時間の期間中に用いられていない場合、ＣＴＵアクセス領域のサイズを調整してよい。さらに、ＣＴＵアクセス領域は、周期的に周波数ホッピングし得る。ＢＳ２８３は、遅いシグナリングチャネル通じてモバイルデバイス２８２に、ＣＴＵアクセス領域サイズ及び周波数におけるこれらの変化をシグナリングしてよい。
【０１１５】
ＣＴＵアクセス領域は、すべての利用可能な時間−周波数領域内に規定され得る。図５Ａから図５Ｄは、時間枠内に規定された５つのＣＴＵ領域の例を示す。ＣＴＵ領域は、図５Ａに示されるように割り当てられる時間及び周波数リソースに関して、同じサイズを有していなくてもよい。ＣＴＵ領域は、時間枠内のＢＳ及びＵＥの両方に知られた予め定められたパターンによりインデックス付けされてよい。例えば、図５Ａの５つのＣＴＵ領域は、第１の時間間隔（時間間隔１）に示されるように、ＣＴＵ０−４としてインデックス付けされてよい。ＣＴＵ領域は、異なるリソースセットに区分けされてもよく、通常、各セットは時間間隔を表し、かつ、１つのリソース内にあり、異なる周波数帯を通常占有する複数のＣＴＵ領域があり得る。この場合、ＣＴＵ領域は、時間間隔インデックス及び周波数位置インデックスを包含する２次元インデックスによりインデックス付けされ得る。時間間隔は、通常、単位時間間隔として規定され、その範囲内で、ＵＥは、グラントフリーにアクセスすることができる所与の機会又はリソースであってよい。例えば、ＣＴＵ０からＣＴＵ４は、時間間隔インデックス０及び周波数位置インデックス０、１、２、３、４によりインデックス付けされてよい。同じタイムスロット又は周波数位置インデックスを有するＣＴＵは、実際の物理的な時間又は周波数領域において必ずしも位置合わせされる必要があるわけではない。しかしながら、周波数位置インデックス及び時間位置インデックスの組み合わせは、枠内でＣＴＵのインデックスを一意に決定でき、予め定められた物理的な周波数及び時間位置に対応する。例えば、図５Ｄでは、ＣＴＵ０、５、１０及び１５は、同じ周波数位置インデックス０を有するが、ＣＴＵ０及びＣＴＵ１０が物理的な周波数帯ｆ１にあり、ＣＴＵ５及びＣＴＵ１５が物理的な周波数帯ｆｎにあるといったように、それらの物理的な周波数位置は異なっている。これは、これらのＣＴＵ領域のうちの２つ又はそれより多くが同じＵＥに割り当てられる場合に、リソース周波数ホッピングを通じて周波数ダイバーシチ利得を提供するという利点を有する。例えば、ＣＴＵ０及びＣＴＵ６の両方は、同じＵＥ（ＵＥ１として示される）に割り当てられてよい。ＵＥ１は、ＣＴＵ０におけるパケットのグラントフリー初期伝送、及び、ＣＴＵ６における同じパケットの再伝送を実行してよい。ＢＳは、デコードするために、ＣＴＵ０内のＵＥ１及びＣＴＵ６から受信した信号を組み合わせる。ＣＴＵ０及びＣＴＵ６が異なる周波数帯に位置するので、ＣＴＵ０及びＣＴＵ６が同じ周波数帯を占有する場合と比較して、デコードに役立てるために周波数ダイバーシチ利得が取得され得る。
【０１１６】
ＣＴＵアクセス領域のいくつかの情報がＢＳによりシグナリングされてもよい。例えば、ＣＴＵアクセス領域は、すべての利用可能な帯域幅間で専用の周波数帯であってよい。この場合、ＢＳは、グラントフリーアクセスに割り当てられた帯域幅の開始及び／又は終了を示してよい。いくつかのシナリオでは、グラントフリーＣＴＵアクセス領域についての複数の予め定められたパターンがある。ＢＳは、用いられる予め定められたパターンのインデックスをグラントフリーＵＥにシグナリングしてよい。ＢＳは、シグナリングを通じて、ＣＴＵ領域規定についての情報を更新してもよい。シグナリング及びＣＴＵ領域に関する情報の更新は、ブロードキャストチャネル又は制御チャネルを通じて搬送され得る。
【０１１７】
グラントフリー伝送スキームを用いて、受信機は、送信機のパイロットの事前知識なしで、アクティビティ検出、チャネル推定及びデータのデコードを実行してよい。チャネル推定は、各モバイルデバイスから受信したパイロット信号に基づいて実行してよい。パイロット信号（例えば、Ｐ１、Ｐ２、...ＰＮ）に用いられる連続した値のセットは、パイロットシーケンスと称される。モバイルデバイスは、概して、所与のアップリンクフレームにおいて、パイロットシーケンスの１又は複数のインスタンスを伝送してよい。例示の目的で、４Ｇ  ＬＴＥでは、ＵＥは、概して、アップリンクサブフレームの２つのＯＦＤＭシンボルにおいて、２つのＺａｄｏｆｆ−Ｃｈｕパイロットシーケンスを伝送する。
【０１１８】
異なるモバイルデバイスからのパイロットシーケンス伝送間の干渉を緩和するために、モバイルデバイスは、パイロットシーケンスのプールからパイロットシーケンスを選択してよい。パイロットシーケンスの選択は、ランダムであってよく、又は、予め定められた選択ルールに基づいてもよい。パイロットシーケンスのプールは、同じルートで、Ｚａｄｏｆｆ−Ｃｈｕシーケンスを巡回的にシフトさせることにより生成されてよい。同じルートでＺａｄｏｆｆ−Ｃｈｕシーケンスの巡回シフトを用いて生成されたパイロットシーケンスは、互い直交する。したがって、このやり方で生成されたパイロットプールは、直交パイロットのみを包含する。直交パイロットは、直交パイロットを用いる２つのパイロット信号間の相互干渉が最小になるようにすることが望ましい。しかしながら、互いに直交するパイロットシーケンスの数は、所与のパイロットシーケンス長に対して制限され得る。異なるパイロットシーケンスが互いに非直交とすることが可能であれば、より多くのパイロットシーケンスが生成され得る。例えば、Ｚａｄｏｆｆ−Ｃｈｕシーケンスの異なるルートを用いて、より多くのパイロットシーケンスが生成され得る。このやり方で生成されたパイロットシーケンスは、互いに非直交であり得るが、依然として、低い相関関係を有する。
【０１１９】
パイロット衝突は、複数のモバイルデバイスが、同じパイロットシーケンスを用いることにより、同じ周波数−時間−署名リソースに同時にアクセスする場合に言及する。パイロット衝突は、グラントフリー伝送スキームにおいて、修復不可能な結果をもたらし得る。これは、ＢＳ２８３が同じパイロットを用いてモバイルデバイスの個々のチャネルを推定することができないので、パイロット衝突シナリオにおいて、ＢＳ２８３がモバイルデバイスの伝送情報をデコードすることができないことに起因している。例えば、２つのモバイルデバイス（モバイルデバイス２８２ａ及び２８２ｂ）が同じパイロットを有し、それらのチャネルがｈ１及びｈ２であると仮定すると、ＢＳ２８３は、モバイルデバイス２８２ａ及び２８２ｂの両方に対してｈ１＋ｈ２の品質のチャネルを推定できるだけである。したがって、伝送情報は、正確にデコードされる可能性が低い。様々な実施形態では、システムにおいてサポートされるモバイルデバイスの数に応じて、一意のパイロットの数を規定し得る。次世代ネットワークでは、多くのモバイルデバイスが同じアップリンクチャネルにアクセスし得るので、５Ｇに関するアップリンクグラントフリー多元接続伝送において異なる数のユーザをサポートするユニバーサルＲＳ及びリソースマッピングスキームが望ましい。
【０１２０】
本開示の実施形態は、アップリンクグラントフリー多元接続伝送において、異なる数のユーザをサポートするユニバーサルＲＳ及びリソースマッピングスキームを提供する。いくつかの実施形態において、ＵＥの数は、予め定められたルールに基づいて、グループの第１セットにグループ化され、時間−周波数リソースは、第１の時間間隔に対して各ＵＥのグループに割り当てられる。ＵＥは、再グループ化されてよく、第２の時間間隔用の時間−周波数リソースを再度割り当てられてよい。時間−周波数リソース割り当て結果は、ＵＥに伝送されてよい。ＲＳシーケンス割り当ては、同じ時間−周波数リソース上でのＲＳ衝突を回避するために、時間−周波数リソース割り当て結果に基づいて決定されてよい。ますます多くのＵＥがサポートされる必要がある場合、ＲＳプールは、直交パイロットシーケンスから非直交パイロットシーケンスに、そして、ランダムなパイロットシーケンスプールへと徐々に拡張してよい。
【０１２１】
すべてのＵＥへのシステム情報のブロードキャストは、すべてのグラントフリーＵＥにより用いられ得る情報を含んでよい。例えば、システム情報は、周波数のグラントフリー境界のグラントフリー周波数帯（開始及び終了）、及び、グラントフリー区分サイズを含み得る。しかしながら、そのような情報は、必ずしもシステム情報に含まれていなくてもよく、もし含まれない場合は、ＲＲＣシグナリングに含まれてよい。いくつかの他の実施形態において、共通のグラントフリーリソースについてのそのような情報は、予め定められてよい。ＲＲＣシグナリング情報は、ＵＥに固有又はグループに固有であり、情報、例えば、ＵＥ  ＩＤ、ＤＣＩサーチスペース、リソースホッピング、ＲＳホッピング並びに変調及び符号化情報（ＭＣＳ）情報のうちの１又は複数を含んでよい。さらなる制御シグナリングがＤＣＩメッセージにおいてＵＥに伝送されてよい。ＤＣＩは、ＭＣＳ情報、第１のＲＳ、第１の伝送リソース、ＡＣＫ、ＮＡＣＫ又は伝送情報に対するグラント、又は、場合により、グラントフリーリソース割り当てに関する追加の更新を送信するために用いられてよい。
【０１２２】
いくつかの実施形態において、グラントフリーＵＥは、割り当てられた伝送リソースを決定するために、１）ＲＲＣシグナリング情報及びシステム情報、２）ＲＲＣシグナリング情報及びＤＣＩ情報、又は、３）ＲＲＣシグナリング情報、システム情報及びＤＣＩ情報を組み合わせるように半静的に構成される。ＵＥに固有の情報がインデックス／シーケンスベースのフォーマットで提供されるか、又は、十分に規定されるかは、例えば、システム情報に規定される情報のタイプ、及び、相補ＤＣＩが利用可能か否かに依存し得る。
【０１２３】
タイムスロット毎に動作している動的なオプションと比較して、半静的が規定される。例えば、半静的とは、所与の期間内、例えば２００又はそれより長いタイムスロット内などで周期的であることを意味し得る。半静的とは、たまに一度だけそれを更新するように構成することも意味し得る。
【０１２４】
いくつかの実施形態において、ＬＴＥページングのような、又は、物理ブロードキャストチャネル（ＰＢＣＨ）のようなシグナリングが、リソース（再）構成シグナリングメッセージに用いられ得る半静的なやり方で、グラントフリーＵＥはリソースを構成できる。例えば、同じグループＩＤを有するＵＥのグループに関して、グループＩＤは、（ＤＣＩにおいて示される）ＤＬデータチャネル内のＤＣＩ構成インジケーション及びＲＲＣメッセージを用いて、又は、（周波数分割多重化（ＦＤＭ）又は時分割多重化（ＴＤＭ）における他のシステム情報を用いて多重化する）ＰＢＣＨのようなシグナリングメッセージを用いて、ＵＥのグループに対するグラントフリーリソースを構成又は更新するために用いられ得る。さらに、グループ内のＵＥは、マルチビームシステム内で同じ又は異なるビームと関連付けられることができ、ＵＥが異なるビームと関連付けられる場合、このページングのような又はＰＢＣＨのようなシグナリングメッセージは、異なるビームを用いてＵＥのグループをサポートすることができるように設計されるべきであり、例えば、半静的なリソース（再）構成に関する同じシグナリングメッセージは、サポートされた異なるビームを通じてＵＥに伝送され得る。
【０１２５】
いくつかの実施形態では、グラントなしのＵＬ伝送スキームに関して、少なくとも半静的なリソース（再）構成が用いられることができ、リソースは、少なくとも時間及び周波数領域内の物理リソース、及び、他のＭＡリソース／パラメータ、例えば、ＲＳ及びコードを含む。例えば、ＬＴＥ半永続的な構成のように、リソース構成シグナリングが行われ得る。さらに、ＲＳは、データと共に伝送され、グラントベースのデータ伝送及び／又はＬＴＥ  ＤＭＲＳ設計についてのチャネル構造は、開始点としてみなされ、強化したものが用いられ得る。グラントあり／なしのＵＬ伝送スキームに関して、予め構成されたリソースを有する同じトランスポートブロックに対するＫ回の反復（Ｋ≧１、すなわち、同じ又は異なる冗長バージョン（ＲＶ）及び／又は異なる複数のＭＣＳを有する）が用いられることができ、Ｋは、例えば、ＡＣＫが受信されるまでの伝送の回数、若しくは、予め構成された又は固定された回数により決定される。いくつかの実施形態では、伝送にわたるＵＥリソースホッピングが構成され得る。
【０１２６】
他の実施形態において、ＵＥは、スケジューリング要求（ＳＲ）及びＤＣＩシグナリングにより１又は複数回、グラントベースの伝送を用いてデータを伝送することを開始し、ＳＲシグナリングなしのデータの到着があると、リソースにわたってグラントフリー伝送に切り替えることができ、ＵＥのグラントフリーリソースは、ＲＲＣシグナリング、例えば、ＵＥの初期アクセスにより構成され、その後、半静的に更新され得る。これは、到着したパケットサイズが小さい場合に有益であり得る。これは、シグナリングオーバーヘッドを低減でき、レイテンシも低減できる。
【０１２７】
他の実施形態において、ＵＥは、半静的にグラントフリーリソースを構成し、グラントなしの初期データを伝送することを開始できる。そして、ＵＥは、基地局からＤＣＩシグナリングを常にモニタリングすることを開始できる。受信されたスケジューリンググラントがある場合、ＵＥは、グラントベースの伝送に動的に切り替えることができる。動的なグラントがない場合、例えば、グラントフリーありのデータを伝送した後の特定の期間を過ぎて、ＤＣＩシグナリングが受信された場合、ＵＥは、データの到着のためのグラントフリー伝送を用い続けてよい。
グラントフリーリソース割り当てに関するＲＲＣシグナリング単独での使用
【０１２８】
図３Ａは、データの初期伝送前に、ＵＥがダウンリンク制御情報（ＤＣＩ）をチェックする必要なしに、無線リソース制御（ＲＲＣ）情報を用いるアップリンク（ＵＬ）グラントフリー伝送に関する実施形態を示す。グラントフリーＵＥは、専用のＡＣＫ／ＮＡＣＫチャネル、例えば、物理ＨＡＲＱインジケーションチャネル（ＰＨＩＣＨ）、又は、ＤＣＩのいずれか一方を通じて、ＡＣＫ／ＮＡＣＫフィードバックをさらにチェックしてよい。
【０１２９】
ＲＲＣシグナリングは、ＵＥに固有及び／又はグループに固有の伝送リソース、及び／又は、参照信号構成をシグナリングするために用いられる。
【０１３０】
ＵＥに固有の情報に関して、ＲＲＣシグナリングは、グラントフリー伝送に関連する情報、例えば、限定されるものではないが、ＵＥ  ＩＤ、ＤＣＩサーチスペース、グラントフリー伝送リソース、ＲＳリソース、及び、例えば、ＭＣＳを含み得る他の関連情報に関して、グラントフリーＵＥに通知するために用いられてよい。
【０１３１】
ＲＲＣシグナリングは、グラントフリーＩＤフィールド（例えば、ＧＦ−ＲＮＴＩ）、及び、ＵＬに関して構成するため（ｇｆ−ＣｏｎｆｉｇＵＬ）、及び／又は、ダウンリンク（ＤＬ）関して構成するため（ｇｆ−ＣｏｎｆｉｇＤＬ）の１又は複数の構成フィールドを含んでよい。
【０１３２】
ＵＬ構成シグナリング内のフィールドは、限定されるものではないが、以下の例を含んでよい。
【０１３３】
サブフレームの数を単位としてリソースホッピングパターンの周期を規定するグラントフリーフレーム間隔ＵＬフィールド。フィールドが任意選択的であり得る場合に、フレーム長を用いてよい（デフォルトでシステムに規定されるフレーム長を用いる）。
【０１３４】
２つのグラントフリー伝送機会の間隔を規定するグラントフリースケジューリング間隔ＵＬフィールド。いくつかの実装において、指定されていない場合、フィールドのデフォルトは１である。間隔は、２つのグラントフリーリソース間の時間間隔であってよく、場合により、グラントフリーリソースの周期性と呼ばれる。
【０１３５】
ＬＴＥ半永続的なスケジューリング（ＳＰＳ）に用いられるものと同様の目的を果たし得る電力制御関連パラメータ用のフィールドがあってもよい。
【０１３６】
周波数領域内のＣＴＵ又はＣＴＵ領域ブロックサイズごとに用いられるリソースブロック（ＲＢ）の番号を規定するＣＴＵサイズ周波数フィールド。いくつかの実施形態において、グラントフリーリソースの周波数領域インジケーションは、リソースブロックインデックス（物理的なリソースブロックインデックス又は仮想的なリソースブロックインデックス）を示し得る。リソースブロックインデックスは、開始又は終了ＲＢインデックス及びＲＢの番号を用いて示されることもできる。いくつかの実装において、時間領域サイズは、サブフレーム又はＴＴＩに対してデフォルトであってよく、そのため、周波数領域サイズのみが必要とされる。当該フィールドは、ＳＩＢに規定されている場合、又は、相補ＤＣＩシグナリングがある場合には不要である。リソースの時間領域サイズ（例えば、ＴＴＩ）は、例えば、スロット、ミニスロット、複数のスロット、１つのＯＦＤＭシンボル又は複数のＯＦＤＭシンボルがＲＲＣにおいて規定されることもできる。グラントフリーリソースの時間領域位置を規定する別のフィールドがあってよい。例えば、ＲＲＣシグナリングにおいて、周期的なシグナリング以外にオフセット値があってもよい。オフセット値は、あるグラントフリーリソースの時間位置を示し、例えば、オフセット値は、システムフレーム番号（ＳＦＮ）＝０に対するグラントフリーリソースの時間位置（例えば、スロットインデックス）を示すことができる。いくつかの実施形態において、オフセットは、シグナリングされる必要はなくてよく、例えば、スロット０においてデフォルト値を有することができる。
【０１３７】
リソースホッピングパターンを規定するリソースホッピングパターンフィールド。いくつかの実施形態において、リソースホッピングパターンフィールドは、グラントフリースケジューリング間隔ＵＬ値に等しい単位時間を有する各フレーム及び各時間間隔における周波数位置インデックスのシーケンスにより規定される。いくつかの実施形態において、リソースホッピングパターンフィールドは、一般に、各時間間隔での各フレームにおける周波数位置インデックスのシーケンスとして規定される。時間間隔は、ＴＴＩ、スロット、タイムスロット、サブフレーム、ミニスロット、ＯＦＤＭシンボル、ＯＦＤＭシンボルの数又は任意の時間単位であり得る。時間間隔はまた、グラントフリーリソースの時間位置であり得、グラントフリーリソースの位置は、リソースの構成された周期性により分離され得る。例えば、リソースホッピングパターンは、フレーム内又はリソースホッピングパターンの周期内の各スロットにおける周波数区分又はサブバンドインデックスとして規定され得る。いくつかの実施形態において、リソースホッピングパターンフィールドは、各フレーム内の各時間間隔におけるＣＴＵインデックスのシーケンスにより規定される。リソースホッピングパターンは、１）予め定められたリソース割り当てルールから規定される単一のＵＥインデックス、２）各時間間隔の周波数インデックスを示すリソースホッピングインデックスシーケンス、又は、３）各タイムスロットにおいて用いられ得る実際の物理的な時間−周波数リソースの任意の暗黙的な又は明示的なシグナリングのうちのいずれか１つの形式でグラントフリーＵＥに提供されてよい。ここで、リソースホッピングパターンはまた、グラントフリーリソースの時間−周波数リソースのインジケーションを含む。 
【０１３８】
ＲＳホッピングシーケンスを規定するＲＳホッピングシーケンスフィールド。ＲＳホッピングシーケンスフィールドは、フレームｎにおいて用いられるＲＳのインデックスを含んでよい。ＲＳが時間間隔毎に変化する場合、当該フィールドは、各時間間隔でのインデックスのシーケンスを含んでよい。相補ＤＣＩが利用可能な場合には、ＲＳホッピングシーケンスは必要とされなくてよい。ＲＳホッピングシーケンスは、１）固定されたＲＳ、及び、２）各フレーム内のＲＳホッピングシーケンスのうちのいずれか１つの形式でグラントフリーＵＥに提供されてよい。ＲＳホッピングシーケンスは、一般に、異なるリソースにおける参照信号のインジケーションを指す。それは、異なる時間−周波数グラントフリーリソースにおける単一のＲＳインデックス又は異なるＲＳインデックスであり得る。異なる伝送又は再伝送ステータスのためにシグナリングされる複数のＲＳインデックスがあり得る。例えば、ＲＳインデックスは、初期のグラントフリー伝送のためにＵＥにシグナリングされてよく、別のＲＳインデックスは、反復／再伝送の残りのためにＵＥにシグナリングされてよい。
【０１３９】
相補ＤＣＩシグナリングが用いられない場合にＭＣＳ情報を提供するＭＣＳフィールド。
【０１４０】
グラントフリー識別子（ＧＦ＿ＩＤ）又はグループのグラントフリー識別子（Ｇｒｏｕｐ＿ＩＤ）により予め定められてもよい、さらなるＤＣＩグラント用のサーチスペースフィールド。
【０１４１】
ＲＲＣフォーマットは、ＵＥがグラントフリーＵＥであるか、又は、ＵＥがグラントフリーリソースを用いて伝送することが可能であるかのインジケーションを含んでよい。ＲＲＣフォーマットは、ＤＣＩを用いてさらなる命令をデコードするために用いられるグラントフリーＵＥ  ＩＤ（例えば、ＧＦ＿ＲＮＴＩ）又はグループベースのＩＤ（例えば、Ｇｒｏｕｐ＿ＲＮＴＩ）を含んでよい。
【０１４２】
図３Ａの例では、グラントフリーＵＥは、サーチスペース内のＤＣＩを常にチェックする必要はなく、グラントフリー伝送をアクティブ化するためにＤＣＩを必要としない。ＤＣＩシグナリングは、さらなる制御シグナリングをＵＥに提供できる。
【０１４３】
図３Ａから図３Ｈの段階の開始の前に、（上記で説明した）システム情報が基地局により周期的に伝送され得る。システム情報は、ＵＥにより用いられ得る情報を含んでよい。ＵＥにより用いられるであろう情報がシステム情報に規定されていない場合、その情報は、ＲＲＣシグナリング及び／又はＤＣＩメッセージにおいて提供される。
【０１４４】
図３Ａに示されるように、段階３００において、グラントフリー伝送が可能なＵＥは、まず、送受信ポイント（ＴＲＰ）又はＢＳによりサポートされるネットワークに入り、例えば、ＬＴＥネットワークのランダムアクセス手順の一部（ＲＡＣＨ）として、ランダムアクセス（ＲＡ）チャネルを通じてプリアンブルを送信することにより、初期アクセスを実行してよい。例えば、ＵＥが大量の小さなデータパケットを伝送することを予期する場合、ＵＥは、ＵＥがグラントフリー伝送可能であることを示すインジケーションをＢＳにシグナリングしてよい。
【０１４５】
段階３０１において、ＢＳは、ＲＡＣＨ  ＲＡプリアンブルを受信して、ＵＥにより用いられるＵＬ伝送リソースを選択してよい。本開示の実施形態は、フレームに予め定められたＭＡホッピングパターンを有するＵＬ伝送リソースを提供する。例えば、ＭＡホッピングパターンは、フレーム内の予め定められた時間−周波数リソースホッピングパターン及び／又は予め定められたＲＳホッピングパターンを含んでよい。ＭＡホッピングパターンは、アップリンクグラントフリー多元接続伝送において、異なる数のＵＥをサポートするユニバーサルＲＳ及び伝送リソースマッピングスキームを提供する。ＢＳは、例えば、ＭＡホッピングパターンを節約するために、ネットワークから予め定められたＭＡホッピングパターンを取得できる、又は、ＢＳは、予め定められたパターン生成スキーム又は予め定められたルールに基づいて、ＭＡホッピングパターンを生成することにより、ＭＡホッピングパターンを取得してよい。上述のように、ＭＡホッピングパターン加えて、ＵＥに伝送されるＲＲＣシグナリングに含まれる伝送リソースを規定するために用いられる様々な他のエレメントがある。
【０１４６】
図３Ａの段階３０２において、ＢＳは、グラントフリーＵＥに対して用いられる伝送リソースを選択した後に、ＲＲＣシグナリングを通じてＵＥにＵＬ伝送リソース割り当てを送信する。ＲＲＣシグナリングのメッセージコンテンツの例は、上記で説明されている。
【０１４７】
段階３０３において、グラントフリーＵＥは、すべてのＵＬ伝送リソースを取得する。いくつかの実施形態において、ＵＥは、伝送リソース割り当てを受信した後に、以下でより詳細に説明される予め定められたルールに基づいて、伝送リソースを導出できる。代替的に、ＵＥは、上記の伝送リソース割り当てを受信した後に、テーブル、及び、予め定められた伝送リソースホッピングパターンを検索できる。ＵＥは、予め定められた伝送リソースパターン及びテーブルを保存できる。さらに、ＵＥは、更新情報を指示するシグナリングを受信した後に、予め定められた伝送リソースパターン及びテーブルを更新できる。つまり、ＵＥは、リソースパラメータの更新を指示するシグナリングを受信した後に、グラントフリーリソースを更新できる。本開示において説明されたように、シグナリングは、ＤＣＩシグナリング又はＲＲＣシグナリングであり得る。
【０１４８】
段階３０３１において、ＢＳへの伝送のために第１のバッチデータがグラントフリーＵＥに到着する。
【０１４９】
段階３０４において、第１のバッチデータが到着した後に、ＵＥは、割り当てられたグラントフリー伝送リソースに基づいて第１のバッチデータ伝送を伝送する。グラントフリーリソースは、半静的にＵＥに割り当てられてよい。ここで、半静的が、タイムスロット毎に動作している「動的な」オプションと比較して用いられる。例えば、半静的であれば、所与の期間、つまり、２００又はそれより長いタイムスロットで周期的に動作できる。グラントフリーＵＥが割り当てられたリソースを取得すると、グラントを取得することなくデータが到着した直後に、割り当てられたリソースを用いてデータを伝送してよい。ＵＥは、割り当てられたＵＬ伝送リソースを用いて第１のバッチデータの初期伝送を伝送してよい。いくつかの実施形態において、第１のバッチデータがグラントフリーＵＥのバッファに到着すると、ＵＥは、次の時間間隔又はＵＥに割り当てられるリソースからアクセスできる早い機会のＣＴＵ領域を決定する。ＵＥは、データが到着した後に、ＣＴＵアクセスの次の時間間隔を決定し、ＵＥは、割り当てられたリソースホッピングシーケンスに基づいて、その時間間隔でＣＴＵ領域を探す。そして、ＵＥは、当該ＣＴＵ領域及びその領域に対して割り当てられたＲＳを用いてデータの第１のバッチの初期伝送を伝送してよい。伝送は、ＲＳ信号及びデータ信号を含んでよい。伝送されたデータフォーマットの例が、図６Ａ及び図６Ｂに示され、以下で説明される。
【０１５０】
段階３０５において、ＢＳは、第１のバッチデータ伝送を受信した後に、データを検出する。いくつかの実施形態において、ＵＥがＢＳにメッセージを送信した場合、ＢＳは、まず、ＭＡ署名を検出することを試みる。ＭＡ署名を検出することは、アクティビティ検出と称される。アクティビティ検出の実行が成功することより、ＢＳは、ＵＥがグラントフリーアップリンク伝送を送信したことを認識する。しかしながら、アクティビティ検出の成功は、ＵＥの身元を基地局に明らかにしてもよいし、しなくてもよい。例えば、以下の表８及び表９に示されるように、ＵＥとＭＡ署名との間に予め定められたＲＳパターンがある場合、アクティビティ検出の成功は、グラントフリーアップリンク伝送を送信するＵＥの身元を明らかにする。いくつかの実施形態において、アクティビティ検出は、例えば、ＵＥ  ＩＤがデータとは別個にエンコードされた場合、ＵＥ  ＩＤを取得することをさらに含み得る。
【０１５１】
アクティビティ検出が成功した後に、ＢＳは、ＭＡ署名と、データメッセージと共に任意選択的に多重化された追加の参照信号とに基づいてチャネル推定を実行することを試み、そして、データをデコードする。
【０１５２】
段階３０６において、ＢＳは、デコードした結果に基づいてＡＣＫ又はＮＡＣＫを送信する。ＢＳは、ＲＳ信号をデコードすることにより、まずアクティビティ検出を実行し、ＲＳ信号を用いてチャネル推定を実行し、そして、データをデコードすることを試みることにより、第１のバッチデータの初期伝送をデコードすることを試みる。ＢＳがデータのデコードに成功できた場合、ＢＳは、デコードに成功したことを確認するために、ＵＥにＡＣＫを送信してよい。ＢＳがデータのデコードに成功しなかった場合、ＢＳは、ＮＡＣＫをＵＥに送信してよい、又は、フィードバックを一切送信しない。いくつかの実施形態において、段階３０４におけるデータの第１のバッチの初期伝送の後に、段階３０３において、ＵＥは、リソース割り当てに従って、次に利用可能なリソースを用いて第１のバッチデータをすぐに再伝送することを選択してよい。いくつかの他の実施形態において、ＵＥは、予め定められた期間待機してよく、ＵＥが予め定められた期間内にＡＣＫを受信した場合、ＵＥは再伝送を実行しない。そうでない場合、ＵＥは、予め定められた期間の後に、次に利用可能なＣＴＵリソースにおいて第１のバッチデータを再伝送してよい。 
【０１５３】
ＵＥは、サーチスペースを検索することにより、専用のＡＣＫ／ＮＡＣＫチャネル、例えば、物理ＨＡＲＱインジケータチャネル（ＰＨＩＣＨ）、又は、ＤＣＩのいずれか一方を通じて、ＡＣＫ／ＮＡＣＫフィードバックをチェックしてよい。
【０１５４】
図３Ａにおいて、グラントフリーＵＥが、第２のバッチデータ伝送を受信しており、かつ、第１のバッチデータ伝送を再伝送していないので、ＢＳが段階３０６でＡＣＫを伝送したと仮定する。ＵＥは、通信することなく、取得した伝送リソースに基づいて、段階３０７において第２のバッチデータをネットワークエンティティに伝送し、対応する伝送リソース割り当ては、伝送リソースをＵＥに割り当てる。段階３０８において、ＢＳは、第２のバッチデータ伝送を受信した後に、データを検出する。段階３０７から段階３０９は、段階３０４から段階３０６と同様のアクティビティを実行する。
【０１５５】
ＢＳがＮＡＣＫを送信した場合、ＵＥは、ＲＲＣシグナリング又はＵＥに提供される代替的な伝送リソースにおいて規定される割り当てられた伝送リソースに基づいて第１のバッチデータ伝送を再伝送するであろう。
【０１５６】
図３Ａのいくつかの実施形態において、ＵＥは、ＰＨＩＣＨのような専用のＡＣＫ／ＮＡＣＫチャネルのみをチェックし得るが、第１の伝送の後に、ＤＣＩをチェックしない。したがって、ＵＥは、グラントフリー伝送及び再伝送のみを実行し得る。ＵＥは、第１の伝送の後でさえ、ＤＣＩをチェックする必要がないことにより、エネルギーを節約し得る。
再伝送のためのＲＲＣシグナリング及びＤＣＩ
【０１５７】
図３Ｂは、初期伝送の後に、ＲＲＣシグナリング及び相補ＤＣＩを用いることを含むＵＬのグラントフリー伝送に関する別の実施形態の手順を示す。図３Ａと同様の方式で、初期のリソース構成の一部として、グラントフリーＵＥはＢＳへの初期伝送の前にＤＣＩをチェックしない。初期伝送の後に、ＵＥは、可能な再伝送命令のためにＤＣＩをチェックする。いくつかの実施形態において、再伝送が必要である場合、ＢＳは、グラントベースのスキームに切り替えてよい。
【０１５８】
図３Ｂの段階３００、段階３０１、段階３０２、段階３０３、段階３０３１及び段階３０４は、図３Ａにあるのと同じである。
【０１５９】
図３Ｂの段階３０４１において、グラントフリーＵＥは、段階３０４の伝送の後に、指定された時間にＤＣＩシグナリングをチェックする。ＢＳから受信した情報、例えば、ＤＣＩメッセージが配置されるサーチスペースを規定するシステム情報及び／又は割り当てられたＵＥ  ＩＤに基づいて、グラントフリーＵＥはＤＣＩを検出する。そして、グラントフリーＵＥは、グラントフリーＵＥ  ＩＤ（例えば、ＧＦ＿ＲＮＴＩ）を用いて、ＤＣＩペイロード内のＣＲＣがスクランブルされていることをまず検証することにより、ＤＣＩをデコードする。ＣＲＣがグラントフリーＵＥ  ＩＤを含む場合、ＵＥは、すべての他のフィールドをデコードする。そうでない場合、ＤＣＩは、当該ＵＥの対象ではない。
【０１６０】
ＤＣＩメッセージは、必要に応じて、ＡＣＫ、ＮＡＣＫ又は再伝送に対するグラントを示し得る。グラントフリーＵＥにより検出されるＤＣＩシグナリングがない場合、段階３０４２に示されるように、ＵＥは、割り当てられた伝送リソースに基づいて、第１のバッチデータを再伝送してよい。
【０１６１】
段階３０５において、ＢＳがデータを検出すると、データの検出が成功したので、段階３０６１で、ＢＳは、ＤＣＩメッセージにおいてグラントフリーＵＥにＡＣＫを送信することが示される。
【０１６２】
ＵＥがＤＣＩをチェックし、ＡＣＫを検出すると３０４３、ＵＥは、計画されている可能性がある再伝送を停止できる。
【０１６３】
代替的に、ＢＳは、再伝送に対するグラントを送信し得る。そのような状況が図３Ｃに示される。
【０１６４】
図３Ｃは、ＲＲＣシグナリング及び再伝送のためのＤＣＩを用いることを含むＵＬのグラントフリー伝送に関する別の実施形態の手順を示す。図３Ｃは、データがＢＳにより成功裏に受信されず、ひいては、ＢＳがＵＥによる再伝送のために準備する場合の例を提供する。
【０１６５】
段階３００、段階３０１、段階３０２、段階３０３、段階３０３１及び段階３０４は、図３Ｂにあるのと同じである。
【０１６６】
段階３０５において、ＢＳがデータを検出すると、ＢＳがデータを検出することに成功していない場合、段階３０６に示されるように、ＢＳは、データの再伝送に対するグラントを含むＤＣＩメッセージを送信してよい。
【０１６７】
いくつかの実施形態において、ＤＣＩメッセージは、暗黙的に又は明示的にＮＡＣＫを含んでよい。再伝送に対するグラントなしで、ＵＥがＮＡＣＫを受信した場合、ＵＥは、段階３０２のＲＲＣシグナリングにおいて構成されたのと同じグラントフリーリソース上で再伝送してよい。いくつかの実施形態において、ＤＣＩメッセージは、失敗したパケット伝送を再度スケジューリングするために、新たなグラント及びインジケーションを規定してよい。いくつかの実施形態において、ＤＣＩメッセージは、再伝送するために、ＵＥ用のグラントフリー伝送のために以前に規定されたのと同じ伝送リソースを規定してよい。いくつかの実施形態において、ＤＣＩは、更新された伝送スキーム、例えば、ＵＥにより用いられるＭＣＳを含んでよい。
【０１６８】
段階３０４１において、グラントフリーＵＥは、ＤＣＩシグナリングをチェックする。これは、図３Ｂにあるものと同じであり、上記で説明されている。ＢＳから再伝送に対するグラントを検出したとき、段階３０４２において、ＵＥは、再伝送に対するグラントにおいて、割り当てられた伝送リソースに基づいて第１のバッチデータ伝送を再伝送してよい。
【０１６９】
段階３０８において、ＢＳがデータを検出すると、データの検出に成功した場合、ＢＳは、段階３０６１に示されるように、ＵＥにＡＣＫを送信する。データが成功しなかった場合、ＢＳは、ＮＡＣＫ又は再伝送に対する別のグラントを送信し、段階３０６、段階３０４１及び段階３０４２が繰り返されてよい。
【０１７０】
ＵＥがＡＣＫを検出すると、段階３１０において、ＵＥは、第１のバッチデータ伝送の再伝送を停止できる。
【０１７１】
ＤＣＩシグナリングフォーマットは、グラントベースの再伝送のために、典型的なＤＣＩフォーマットを含み得る。ＤＣＩフォーマットは、例えば、ＭＣＳ、用いられるリソースブロック、冗長バージョン（ＲＶ）、新たなデータインジケータ（ＮＤＩ）などを含み得る。グラントベースの再伝送用のＤＣＩフォーマットは、以下の表１のようなものであり得る。ＮＤＩを１に設定することは、これがＮＡＣＫであり、ＤＣＩに規定されるリソースを用いて再伝送がグラントされることを暗黙的に示し得る。
【表１】
0006838822.tif 000002
【０１７２】
より一般的には、再伝送のために用いられるＤＣＩメッセージ又はシグナリングは、再伝送がグラントフリー及び／又はグラントベースかを示し得る。例えば、単一のパケット再伝送について、ＤＣＩは、再伝送が、上記で示唆したような再伝送に対するグラントにおいて、割り当てられた伝送リソースを用いるグラントベースであるか、又は、予め構成されたグラントフリーリソースを用いるグラントフリーであるかを示す新たな又は既存のフィールドを含み得る。一実装例において、１のＮＤＩ値がグラントベースの再伝送を示す一方、異なるＮＤＩ値がグラントフリー再伝送を示す。いくつかの実施形態において、再伝送がグラントフリーであるか又はグラントベースであるかは、いくつかの既存のフィールドから暗黙的に導出され得る。
【０１７３】
代替的に、ＤＣＩシグナリングは、異なる再伝送に対して異なるリソースを示し得る。例えば、ＤＣＩシグナリングは、第１の再伝送について、グラントベースのリソース及び／又は予め構成されたグラントフリーリソースを用いる第２の（最大でＮ）再伝送について、グラントフリーリソースを（暗黙的に、又は、明示的に）示し得る。別の例では、ＤＣＩシグナリングは、第１の再伝送について、グラントベースのリソース、及び／又は、同じ又は異なるＤＣＩシグナリングにおける第２の（最大でＮ）再伝送について、異なるグラントベースのリソースを（暗黙的に、又は、明示的に）示し得る。再伝送がグラントフリーであるか又はグラントベースであるかを示すＤＣＩシグナリング、及び、用いられることが示されるリソースについて、他の可能性が存在する。
【０１７４】
いくつかの実施形態において、ＵＥは、あるパケットの初期（又は、第１のパケット）のグラントフリー伝送を開始し、１又は複数の反復は、ＵＥに対するグラントフリーリソース事前構成に基づいて、初期伝送に含まれ得る。初期伝送の後に、ＵＥは、ＢＳからのＡＣＫ、ＮＡＣＫ又はＤＣＩシグナリンググラントを待機する。ＮＡＣＫ（例えば、ＵＥパイロットに対する）メッセージが受信された又は何も受信されなかった場合、ＵＥは、構成された再伝送用のグラントフリーリソースを用いることができる。本開示に説明されるように、反復の回数は、ＵＥにより実行され、Ｋは、ＲＲＣシグナリングにおいて構成され得る。グラントフリー再伝送は、Ｋ回の反復の別のセットを含んでよい。ＤＣＩシグナリングがＵＬのグラントを含む場合、ＵＥは、グラントベースの再伝送に切り替えることができ、ＢＳは、別のＤＣＩベースのシグナリングを任意選択的に用いて、パケットに対するグラントベースの再伝送を、予め構成されたリソースを用いたグラントフリー再伝送に変更できる。
【０１７５】
別のＤＣＩシグナリングにより示される他の実施形態において、あるパケットの第１の再伝送には、グラントベースのリソースを用い、当該パケットの第２〜Ｎの再伝送（適用可能な場合）には、グラントフリー割り当てリソースを用いる。別の実施形態において、あるパケットの第１の再伝送には、あるＤＣＩシグナリングにより示されるグラントベースのリソースを用い、当該パケットの第２〜Ｎの再伝送（適用可能な場合）には、別のＤＣＩシグナリングにより示されるグラントフリー割り当てリソースを用いる。これらの変更は、他のインジケータ又はオプションにより示されることもできる。次の新たなデータパケット伝送に関して、ＵＥは、予め割り当てられた（又は、予め構成された）リソースと共にグラントフリー伝送を依然として用いる。これは、グラントフリースキームにおいて、ＵＥが、再伝送パケットに対してグラントベースの伝送に切り替えることをＢＳにより通知されるまで、新たなデータパケットがグラントフリー伝送及び再伝送を常に用いることを意味し得る。
【０１７６】
図３Ｂ及び図３Ｃの２つの例は、初期アクセス及び次に、単一のデータ伝送と、ＡＣＫ及び初期アクセスと、単一のデータ伝送及び再伝送に対するグラントとを示す。初期アクセスが各伝送の前に必要でないことが理解されるべきである。例は、明確にする目的で単一のシナリオをそれぞれが示し、ひいては、再伝送を発生させるための一連のＡＣＫ、ＮＡＣＫ又はグラントが、ＵＥからＢＳに伝送される一連のデータパケットを生じさせ得ることが理解されるだろう。
グループ割り当てを伴うＲＲＣシグナリング
【０１７７】
図３Ｄは、グループ割り当てを伴うＲＲＣシグナリングを用いることを含むＵＬのグラントフリー伝送に関する別の実施形態の手順を示す。ＲＲＣシグナリングは、グラントフリーＵＥにグループＩＤを割り当てる。ＲＲＣシグナリングがＵＥに固有なので、同じグループ内の他のＵＥは、他のＵＥの自身のそれぞれのＲＲＣシグナリングを通じて同じグループＩＤが与えられ得る。ＵＥは、グループＩＤが割り当てられたグラントフリーＵＥのグループに向けられたさらなるＤＣＩメッセージに対する伝送リソースの予め定められたサーチスペースを検索するように構成される。
【０１７８】
図３Ｄにおいて、ＵＥは、第１の伝送の前に、グループＤＣＩをチェックする必要はない。以下で説明される図３Ｅでは、ＵＥは、グループＤＣＩを常にチェックする必要があり、グループＤＣＩを取得した後に、グラントフリー伝送を実行できる。また、図３Ｅは、グラントフリーリソース割り当ての前にＤＣＩシグナリングを含む一方、図３Ｄは、ＲＲＣシグナリングのみに依存するので、シグナリングフォーマットが異なってもよい。
【０１７９】
段階３００及び段階３０１は、図３Ａにあるのと同じである。
【０１８０】
段階３０２１は、ＲＲＣシグナリングがグループＩＤを含むことを除いて、図３Ａの段階３０２と同様である。
【０１８１】
段階３０３、段階３０３１、段階３０４は、図３Ｄにあるのと同じである。
【０１８２】
段階３０５においてＢＳがデータを検出すると、段階３０６３に示されるように、ＢＳは、ＡＣＫ又はＮＡＣＫを含むＤＣＩメッセージを送信する。
【０１８３】
段階３０４１において、グラントフリーＵＥは、図３Ｂ及び図３Ｃで説明されたものと同様の方式でＤＣＩシグナリングをチェックする。グラントフリーＵＥは、予め定められたサーチスペースにおいてチェックし、グループＩＤを用いて、リソース割り当てに対するさらなる命令及び他の命令のためにＤＣＩをデコードする。
【０１８４】
段階３０６２において、ＢＳは、グループ識別子を有するＤＣＩを用いて、新たな伝送リソースを割り当てる又は更新する。
【０１８５】
第２のバッチデータ伝送がＵＥに到着した場合、ＵＥは、グループＤＣＩからの更新された伝送リソースに基づいて、段階３０７１において第２のバッチデータを伝送する。段階３０８及び段階３０９は、段階３０５及び段階３０６と同様のアクティビティを実行する。
【０１８６】
図３Ｅは、グループ割り当てを有するＲＲＣシグナリングを用いることを含むＵＬのグラントフリー伝送に関する別の実施形態の手順を示す。
【０１８７】
段階３００、段階３０１、段階３０２１及び段階３０３は、図３Ｄにあるのと同じである。
【０１８８】
段階３０４１において、グラントフリーＵＥは、図３Ｄで説明されたものと同様の方式でＤＣＩシグナリングをチェックする。ＵＥは、予め定められたサーチスペースにおいてチェックし、グループＩＤを用いて、リソース割り当てに対するさらなる命令及び他の命令のためにＤＣＩをデコードする。
【０１８９】
段階３０６２において、ＢＳは、グループＤＣＩを用いて新たな伝送リソースを割り当てる又は更新する。
【０１９０】
第１のバッチデータがＵＥに到着した場合（段階３０３１）、ＵＥは、グループＤＣＩから割り当てられた伝送リソースに基づいて、段階３０４において第１のバッチデータを伝送する。段階３０８においてＢＳがデータを検出すると、段階３０９に示されるように、ＢＳは、ＡＣＫ又はＮＡＣＫを含むＤＣＩメッセージを送信する。
ＤＣＩアクティブ化を有するＲＲＣシグナリング
【０１９１】
図３Ｆは、相補ＤＣＩシグナリングを有するＲＲＣシグナリングを用いることを含むＵＬのグラントフリー伝送に関する別の実施形態の手順を示す。ＤＣＩシグナリングは、割り当てられたグラントフリーリソース上の伝送に関するアクティブ化又は非アクティブ化としての役目を果たし得る。アクティブ化及び非アクティブ化インジケータは、ＵＥがグラントフリー伝送を実行することを許可されている又は許可されていないことを示すＤＣＩメッセージを用いて、ＢＳより送信される。この場合、ＤＣＩアクティブ化は、グラントフリーリソース割り当てに関するさらなる情報を提供し得る。ＤＣＩアクティブ化なしで、ＲＲＣシグナリングを用いてだけでは、ＵＥは、グラントフリー伝送に関する十分な情報を得られないかもしれない。
【０１９２】
いくつかの実施形態において、ＤＣＩは、以下の表２に示されるフォーマットを有し得る。
【表２】
0006838822.tif 000003
【０１９３】
第１のＲＳ値、リソースホッピングシーケンスとの組み合わせにおける第１のリソースブロック及びＲＳホッピングシーケンス（又はフレームにわたって単に予め定められたＲＳホッピングルール）に基づいて、ＵＥは、各ＣＴＵにおける特定のリソース／ＲＳ割り当てを見つけ出すことができる。
【０１９４】
ＲＲＣシグナリングは、グラントフリーＵＥ  ＩＤ又はグループＩＤをＵＥのグループに割り当てる。ＲＲＣシグナリングはまた、ＤＣＩアクティブ化を検索する場所をＵＥが認識するように、サーチスペースの規定を含む。ＲＲＣシグナリングを受信した後に、ＵＥは、さらなるＤＣＩシグナリングを受信するまで、依然としてＧＦ伝送を実行できない。いくつかの場合では、ＤＣＩシグナリングは、グラントフリー伝送のアクティブ化としての機能を果たし得る。いくつかの実施形態において、ＤＣＩシグナリングは、単に、ＵＥに対する特定の一部のグラントフリーリソースに役立てるために、半静的な相補シグナリングとしての機能を果たす。ＵＥは、ＤＣＩアクティブ化を受信するまで待機しなければならない。したがって、ＵＥは、アクティブ化及び非アクティブ化インジケータに対するサーチスペースをモニタリングしなければならない。グラントフリーＵＥは、グラントフリー伝送のアクティブ化又は非アクティブ化のための割り当てられたグラントフリー又はグループＩＤを用いてＤＣＩをデコードする。
【０１９５】
段階３００及び段階３０１は、図３Ａにあるのと同じである。
【０１９６】
段階３０２２は、ＲＲＣシグナリングがグラントフリーＩＤを含むことを除いて、図３Ａの段階３０２と同様である。
【０１９７】
段階３０２３は、ＵＥが、ＲＲＣシグナリング、又は、場合によりＲＲＣ及びシステムシグナリングの組み合わせに規定されるサーチスペースでのアクティブ化を含むＤＣＩメッセージをチェックすることを含む。
【０１９８】
段階３０２４において、ＢＳは、ＤＣＩアクティブ化メッセージをＵＥに送信する。
【０１９９】
段階３０３、段階３０３１、段階３０４、段階３０５及び段階３０６は、図３Ａにあるのと同じである。
【０２００】
アクティブ化の後に、ＵＥは、ＲＲＣシグナリング及びＤＣＩアクティブ化の両方に基づいて、割り当てられたリソース上でグラントフリー伝送を実行する。
【０２０１】
ＵＥは、ＤＣＩアクティブ化を受信した後に、ＤＣＩを常にチェックするわけではない。ＵＥは、ＤＣＩアクティブ化がアクティブ化されるまで、グラントベースのフォーマットで伝送し得る。
【０２０２】
ＤＣＩメッセージは、非アクティブ化のために用いられてもよい。ＵＥが非アクティブ化ＤＣＩを受信した場合、ＵＥは、グラントフリーリソース上での伝送を停止する。
【０２０３】
グラントフリーＵＥリソース構成又はアクティブ化のためのＤＣＩは、第１のサブフレームにおいて、第１のＲＳ値、第１のリソースブロック及び第１のＭＣＳ値を含んでよい。リソースホッピングシーケンスと、ＲＲＣシグナリングにおいて構成されるＲＳホッピングシーケンスとを組み合わせたこの情報を用いて、ＵＥは、各ＣＴＵにおいて正確なリソース／ＲＳ割り当てを見つけ出すことができる。
【０２０４】
いくつかの他の実施形態において、ＲＲＣシグナリングの後に、ＵＥは、さらなるＤＣＩメッセージをチェックし続けてよい。グラントベースの伝送のためにＵＥを動的にスケジューリングするＤＣＩがある場合、グラントフリーＵＥは、依然として、ＤＣＩに基づいたグラントベースの伝送を実行することが可能であってよい。伝送の後に、グラントフリーＵＥは、グラントフリー伝送に切り替えることができる。いくつかの他の実施形態において、ＤＣＩは、ＵＥに対する初期伝送をスケジューリングし、また、ＲＲＣシグナリングと共にＵＥのグラントフリー割り当てを構成するのに役立つ情報、例えば、ＭＣＳ、初期のＲＳ、初期のリソースを提供してよい。
【０２０５】
いくつかの実施形態において、ＵＥは、あるパケットの初期（又は、第１のパケット）のグラントフリー伝送を開始し、１又は複数の反復は、ＵＥに対するグラントフリーリソース事前構成に基づいて、初期伝送に含まれ得る。初期伝送の後に、ＵＥは、ＢＳからのＡＣＫ、ＮＡＣＫ又はＤＣＩシグナリンググラントを待機する。ＮＡＣＫ（例えば、ＵＥパイロットに対する）メッセージが受信された又は何も受信されなかった場合、ＵＥは、構成された再伝送用のグラントフリーリソースを用い、ＤＣＩシグナリングがＵＬのグラントを含む場合、ＵＥは、グラントベースの再伝送に切り替え、ＢＳは、別のＤＣＩベースのシグナリングを任意選択的に用いて、パケットに対するグラントベースの再伝送を、予め構成されたリソースを用いたグラントフリー再伝送に変更することができる。
【０２０６】
別のＤＣＩシグナリングにより示される他の実施形態において、あるパケットの第１の再伝送には、グラントベースのリソースを用い、当該パケットの第２〜Ｎの再伝送（適用可能な場合）には、グラントフリー割り当てリソースを用いる。別の実施形態において、あるパケットの第１の再伝送には、あるＤＣＩシグナリングにより示されるグラントベースのリソースを用い、当該パケットの第２〜Ｎの再伝送（適用可能な場合）には、別のＤＣＩシグナリングにより示されるグラントフリー割り当てリソースを用いる。これらの変更は、他のインジケータ又はオプションにより示されることもできる。次の新たなデータパケット伝送に関して、ＵＥは、予め割り当てられた（又は予め構成された）リソースと共にグラントフリー伝送を依然として用いており、これは、グラントフリースキームにおいて、ＵＥが、再伝送パケットに対してグラントベースの伝送に切り替えることをＢＳにより通知されるまで、新たなデータパケットがグラントフリー伝送及び再伝送を常に用いることを意味する。
【０２０７】
あるパケットの再伝送に関して、ＢＳは、ＤＣＩシグナリングを用いて、グラントベースの伝送に変更できる。いくつかの実施形態において、予め構成されたリソースを伴うグラントフリー伝送モードに再伝送を戻す新たなＤＣＩシグナリングがあり得る。新たなＤＣＩシグナリングのシグナリングは、１ビットであってよい。例えば、ＤＣＩフォーマットにおいて、新たなフィールド、グラントフリー又はグラントベースの再伝送インジケータがあってよく、０に等しいこのフィールドの値は、再伝送がグラントベースの伝送であることを示し、１に等しい値は、再伝送がグラントフリー伝送に切り替わっていることを示す。
【０２０８】
ＢＳにより構成される少なくとも２つのタイプのＵＥがあり得る。構成は、ＲＲＣシグナリング、制御チャネル又はＵＥに対して予め定められたものにおいて行われ得る。第１タイプのＵＥに関して、初期のＧＦ伝送の後に、ＵＥは、ＡＣＫ／ＮＡＣＫメッセージのみをモニタリングする。ＡＣＫをモニタリングする場合、ＵＥに対して異なる可能性があり得る。いくつかの実施形態において、ＵＥは、ＡＣＫを正確に受信するまで、ＡＣＫ／ＮＡＣＫを連続的にモニタリングして、連続的な伝送を実行してよい。連続的な伝送の最大数Ｋがあり得、数Ｋは、例えば、ＲＲＣシグナリングを通じてネットワークにより構成されてよく、又は、ＤＣＩにおいて構成されてよい。別の実施形態において、ＵＥは、再伝送の前に、予め定められたタイムスロット内に到着するＡＣＫ／ＮＡＣＫを待機してよい。ＵＥが予め定められた時間制限内にＡＣＫを受信した場合、ＵＥは再伝送を停止し、そうでない場合、ＵＥは再伝送する。いくつかの他の実施形態において、ＵＥは、ＡＣＫ／ＮＡＣＫフィードバックをチェックする前に、Ｋ回の伝送を連続的に実行してよい。ＵＥがチェックしたときに、ＵＥがＡＣＫを受信していない場合、ＵＥは、別のＫ回の伝送を実行してよい。別の実施形態において、ＵＥは、ＡＣＫ／ＮＡＣＫをチェックすることなく連続伝送をＫ回実行して、ＤＲＸ／スリーピングモードに入ってよい。ＡＣＫ／ＮＡＣＫは、例えば、ＤＣＩにおける、ＰＨＩＣＨ又は制御チャネルのような専用のＡＣＫ／ＮＡＣＫチャネルを通じて伝送され得る。
【０２０９】
第２タイプのＵＥに関して、初期のグラントフリー伝送の後に、ＵＥは、ＡＣＫ／ＮＡＣＫ及びスケジューリング情報の両方をモニタリングできる。スケジューリング情報は、通常、ＤＣＩにおいて伝送される。スケジューリング情報は、伝送リソースブロック、参照信号、ＭＣＳ、冗長バージョン（ＲＶ）及び他の伝送パラメータを含んでよい。いくつかの実施形態において、（サブフレーム／ＴＴＩの単位で）間隔ＴをモニタリングするＵＥは、ネットワークにより構成され得る。いくつかの実施形態において、Ｔ＞１である。他の実施形態において、Ｔ＝１である。
【０２１０】
図３Ｇは、相補ＤＣＩシグナリングと共にＲＲＣシグナリングを用いることを含むＵＬのグラントフリー伝送に関する別の実施形態の手順を示す。
【０２１１】
以下で説明されるＲＲＣシグナリング情報は、本開示で説明されたすべての他の実施形態及び例（図３Ａから図３Ｇ）にも適用可能であってよい。
【０２１２】
ＲＲＣシグナリングは、既知の半永続的なスケジューリング（ＳＰＳ）、例えば、ＬＴＥ−ＳＰＳフォーマット構成用のＲＲＣシグナリングのフォーマットと同様のフォーマットを有するグラントフリー伝送リソースを規定するための情報を含み得る。
【０２１３】
ＵＬ構成フィールド内のフィールドは、限定されるものではないが、以下の例を含んでよい。
【０２１４】
ＲＲＣシグナリングは、グラントフリーＩＤフィールド（例えば、ＧＦ−ＲＮＴＩ）、及び、ＵＬに関して構成するため（ｇｆ−ＣｏｎｆｉｇＵＬ）、及び／又は、ダウンリンク（ＤＬ）に関して構成するため（ｇｆ−ＣｏｎｆｉｇＤＬ）の１又は複数の構成フィールドを含んでよい。
【０２１５】
いくつかの実施形態において、グラントフリーＩＤ（ＧＦ−ＲＮＴＩ）又はグループＩＤ（Ｇｒｏｕｐ＿ＲＮＴＩ）は、リソースホッピングパターンとの予め定められたマッピング関係を有するように割り当てられてよい。例えば、ＧＦ−ＲＮＴＩは、図５Ａに示されるＵＥインデックスを含んでよく、本開示で説明されるように、リソースホッピングパターンとの一意のマッピングを有する。いくつかの実施形態において、ＧＦ−ＲＮＴＩは、（リソースホッピングパターン及びＲＳホッピングパターンを識別するために用いられる）ＵＥインデックス、及び、ＤＣＩをデコードするために用いられるＵＥ  ＩＤ（Ｃ−ＲＮＴＩ）の両方を包含してよい。いくつかの実施形態において、ＵＥインデックスは、ＧＦ−ＲＮＴＩの最初の数ビット間にあってよく、ＤＣＩをデコードするためのＵＥ  ＩＤは、他の数ビットであってよい。いくつかの実施形態において、ＵＥインデックス及びＤＣＩをデコードするためのＵＥ  ＩＤは、ＧＦ−ＲＮＴＩにおいて共にマスキングされてよく、予め定められた値を用いてＸＯＲ関数を実行することにより取り出され得る。いくつかの実施形態において、ＧＦ−ＲＮＴＩは、リソースホッピングパターン及びＲＳホッピングパターンとの１対１のマッピング関係を有する。そのようなシナリオにおいて、リソースホッピングパターン及びＲＳホッピングパターンは、ＲＲＣにおいて明示的にシグナリングされる必要はないかもしれない。
【０２１６】
ＵＬ構成フィールド内のフィールドは、限定されるものではないが、以下の例を含んでよい。すべてのフィールドは、状況に応じて任意選択的であってよい。
【０２１７】
暗黙的な解除の前の空き伝送の数を示すフィールド。値ｅ２は、２つの伝送に対応し、ｅ３は、３つの伝送に対応するなどである。（ｉｍｐｌｉｃｉｔＲｅｌｅａｓｅＡｆｔｅｒ）［３ＧＰＰ  ＴＳ３６．３２１、「進化型ユニバーサル地上無線アクセス（Ｅ−ＵＴＲＡ）、媒体アクセス制御（ＭＡＣ）プロトコル仕様書」[６、５．１０．２]を参照］。
【０２１８】
パラメータのリスト用のフィールド：それぞれ、アンテナポートＰ０用及びアンテナポートＰ１用の
【数１】
0006838822.tif 000004
である。フィールドｎ１−ＰＵＣＣＨ−ＡＮ−ＰｅｒｓｉｓｔｅｎｔＬｉｓｔＰ１は、ＰＵＣＣＨ−ＣｏｎｆｉｇＤｅｄｉｃａｔｅｄ−Ｖ１０２０内のｔｗｏＡｎｔｅｎｎａＰｏｒｔＡｃｔｉｖａｔｅｄＰＵＣＣＨ−Ｆｏｒｍａｔ１ａ１Ｂが真に設定されている場合のみ適用可能である。そうでない場合、このフィールドは構成されない（ｎ１ＰＵＣＣＨ−ＡＮ−ＰｅｒｓｉｓｔｅｎｔＬｉｓｔ、ｎ１ＰＵＣＣＨ−ＡＮ−ＰｅｒｓｉｓｔｅｎｔＬｉｓｔＰ１）［３ＧＰＰ  ＴＳ３６．２１３：「進化型ユニバーサル地上無線アクセス（Ｅ−ＵＴＲＡ）：物理層プロシージャ」［２３、１０．１］を参照］。
【０２１９】
ダウンリンクの半永続的なスケジューリングのための、構成されたＨＡＲＱプロセスの回数を規定するフィールド。（ｎｕｍｂｅｒＯｆＣｏｎｆＳＰＳ−Ｐｒｏｃｅｓｓｅｓ）［ＴＳ３６．３２１［６］を参照］
【０２２０】
アップリンクの半永続的なスケジューリング又はアップリンクグラントフリー伝送のための、構成されたＨＡＲＱプロセスの回数を規定するフィールド。このフィールドは、非同期ＵＬ  ＨＡＲＱに対して構成され得る。そうでない場合、このフィールドは構成されなくてよい。（ｎｕｍｂｅｒＯｆＣｏｎｆＵｌＳＰＳ−Ｐｒｏｃｅｓｓｅ）ＴＳ３６．３２１［６］を参照。
【０２２１】
パラメータ、ＰＯ＿ＮＯＭＩＮＡＬ＿ＰＵＳＣＨ（０）であるフィールド。単位ｄＢｍ  ステップ１。このフィールドは、永続的なスケジューリング又はグラントフリー伝送構成のみに適用可能である。選択セットアップが用いられ、ｐ０−Ｐｅｒｓｉｓｔｅｎｔが存在しない場合、ｐ０−ＮｏｍｉｎａｌＰＵＳＣＨの値をｐ０−ＮｏｍｉｎａｌＰＵＳＣＨ−Ｐｅｒｓｉｓｔｅｎｔに適用する。アップリンク電力制御サブフレームセットは、ｔｐｃ−ＳｕｂｆｒａｍｅＳｅｔにより構成され、このフィールドは、アップリンク電力制御サブフレームセット１を適用する。（ｐ０−ＮｏｍｉｎａｌＰＵＳＣＨ−Ｐｅｒｓｉｓｔｅｎｔ）ＴＳ３６．２１３［２３、５．１.１．１］を参照。
【０２２２】
パラメータ、ＰＯ＿ＮＯＭＩＮＡＬ＿ＰＵＳＣＨ（０）であるフィールド。単位ｄＢｍ  ステップ１。このフィールドは、永続的なスケジューリングのみに適用可能である。ｐ０−ＰｅｒｓｉｓｔｅｎｔＳｕｂｆｒａｍｅＳｅｔ２−ｒ１２が構成されない場合、ｐ０−ＮｏｍｉｎａｌＰＵＳＣＨ−ＳｕｂｆｒａｍｅＳｅｔ２−ｒ１２の値をｐ０−ＮｏｍｉｎａｌＰＵＳＣＨ−ＰｅｒｓｉｓｔｅｎｔＳｕｂｆｒａｍｅＳｅｔ２に適用する。Ｅ−ＵＴＲＡＮは、このフィールドがアップリンク電力制御サブフレームセット２に適用する場合、アップリンク電力制御サブフレームセットがｔｐｃ−ＳｕｂｆｒａｍｅＳｅｔにより構成される場合のみこのフィールドを構成する。（ｐ０−ＮｏｍｉｎａｌＰＵＳＣＨ−ＰｅｒｓｉｓｔｅｎｔＳｕｂｆｒａｍｅＳｅｔ２）ＴＳ３６．２１３［２３、５．１.１．１］を参照。
【０２２３】
パラメータ、ＰＯ＿ＵＥ＿ＰＵＳＣＨ（０）であるフィールド。単位ｄＢ。このフィールドは、永続的なスケジューリングのみに適用可能である。選択セットアップが用いられ、ｐ０−Ｐｅｒｓｉｓｔｅｎｔが存在しない場合、ｐ０−ＵＥ−ＰＵＳＣＨの値をｐ０−ＵＥ−ＰＵＳＣＨ−Ｐｅｒｓｉｓｔｅｎｔに適用する。アップリンク電力制御サブフレームセットがｔｐｃ−ＳｕｂｆｒａｍｅＳｅｔにより構成される場合、このフィールドは、アップリンク電力制御サブフレームセット１を適用する。（ｐ０−ＵＥ−ＰＵＳＣＨ−Ｐｅｒｓｉｓｔｅｎｔ）ＴＳ３６．２１３［２３、５．１.１．１］を参照。
【０２２４】
パラメータ、ＰＯ＿ＵＥ＿ＰＵＳＣＨ（０）であるフィールド。単位ｄＢ。このフィールドは、永続的なスケジューリング及びグラントフリー伝送のみに適用可能である。ｐ０−ＰｅｒｓｉｓｔｅｎｔＳｕｂｆｒａｍｅＳｅｔ２−ｒ１２が構成されない場合、ｐ０−ＵＥ−ＰＵＳＣＨ−ＳｕｂｆｒａｍｅＳｅｔ２の値をｐ０−ＵＥ−ＰＵＳＣＨ−ＰｅｒｓｉｓｔｅｎｔＳｕｂｆｒａｍｅＳｅｔ２に適用する。Ｅ−ＵＴＲＡＮは、このフィールドがアップリンク電力制御サブフレームセット２を適用する場合において、アップリンク電力制御サブフレームセットがｔｐｃ−ＳｕｂｆｒａｍｅＳｅｔにより構成される場合のみ、このフィールドを構成する。（ｐ０−ＵＥ−ＰＵＳＣＨ−ＰｅｒｓｉｓｔｅｎｔＳｕｂｆｒａｍｅＳｅｔ２）ＴＳ３６．２１３［２３、５．１.１．１］を参照。
【０２２５】
半永続的なスケジューリングＣ−ＲＮＴＩを規定するフィールド、ＴＳ３６．３２１［６］を参照。（ｓｅｍｉＰｅｒｓｉｓｔＳｃｈｅｄＣ−ＲＮＴＩ）及びグラントフリー伝送の場合において、グラントフリー伝送用のＵＥ  ＩＤ（ＧＦ−ＲＮＴＩ）又はグループベースのグラントフリー伝送用のグループＩＤ（Ｇｒｏｕｐ−ＲＮＴＩ）。
【０２２６】
ダウンリンクにおける半永続的なスケジューリング間隔を規定するフィールド。サブフレームの数内の値。値ｓｆ１０は１０個のサブフレームに対応し、ｓｆ２０は、２０個のサブフレームに対応するなどである。ＴＤＤに関して、ＵＥは、このパラメータを（１０個のサブフレームのうち）最も近い整数に切り捨てるものとし、例えば、ｓｆ１０が１０個のサブフレームに対応し、ｓｆ３２が３０個のサブフレームに対応し、ｓｆ１２８が１２０個のサブフレームに対応する。（ｓｅｍｉＰｅｒｓｉｓｔＳｃｈｅｄＩｎｔｅｒｖａｌＤＬ）ＴＳ３６．３２１［６］を参照。
【０２２７】
アップリンクにおける半永続的なスケジューリング間隔又はグラントフリー伝送間隔、サブフレームの数の値を規定するフィールド。値ｓｆ１０は１０個のサブフレームに対応し、ｓｆ２０は、２０個のサブフレームに対応するなどである。ＴＤＤに関して、ＵＥは、このパラメータを（１０個のサブフレームのうち）最も近い整数に切り捨てるものとし、例えば、ｓｆ１０が１０個のサブフレームに対応し、ｓｆ３２が３０個のサブフレームに対応し、ｓｆ１２８が１２０個のサブフレームに対応する。（ｓｅｍｉＰｅｒｓｉｓｔＳｃｈｅｄＩｎｔｅｒｖａｌＵＬ）［ＴＳ３６．３２１［６］を参照］
【０２２８】
アップリンクにおける２つの間隔半永続的なスケジューリング又は２つの間隔グラントフリー伝送をトリガするためのフィールド。このフィールドが存在する場合、２つの間隔ＳＰＳは、アップリンクに対して有効にされる。そうでない場合、このフィールドは、無効化され得る。（ｔｗｏＩｎｔｅｒｖａｌｓＣｏｎｆｉｇ）［ＴＳ３６．３２１  ［６、  ５．１０］を参照］
【０２２９】
サブフレームの数を単位としてリソースホッピングパターンの周期を規定するＵＬフィールドに関するグラントフリーフレーム間隔。フィールドが任意選択的であり得る場合、フレーム長を用いてよい（デフォルトでシステムに規定されるフレーム長を用いる）。
【０２３０】
２つのグラントフリー伝送機会の間隔を規定するグラントフリースケジューリング間隔ＵＬフィールド。いくつかの実装において、指定されていない場合、フィールドのデフォルトは１である。間隔は、２つのグラントフリーリソース間の時間間隔であってよく、場合により、グラントフリーリソースの周期性と呼ばれる。
【０２３１】
ＬＴＥ半永続的なスケジューリング（ＳＰＳ）に用いられるものと同様の目的を果たし得る電力制御関連パラメータ用のフィールドがあってもよい。
【０２３２】
周波数領域内のＣＴＵ又はＣＴＵ領域ブロックサイズごとに用いられるＲＢの番号を規定するＣＴＵサイズ周波数フィールド。いくつかの実施形態において、グラントフリーリソースの周波数領域インジケーションは、リソースブロックインデックス（物理的なリソースブロックインデックス又は仮想的なリソースブロックインデックス）を示し得る。リソースブロックインデックスは、開始又は終了ＲＢインデックス及びＲＢの番号を用いて示されることもできる。いくつかの実装において、時間領域サイズは、サブフレーム又はＴＴＩに対してデフォルトであってよく、そのため、周波数領域のみが必要とされる。当該フィールドは、ＳＩＢに規定されている場合、又は、相補ＤＣＩシグナリングがある場合には不要である。リソースの時間領域サイズ（例えば、ＴＴＩ）は、例えば、スロット、ミニスロット、複数のスロット、１つのＯＦＤＭシンボル又は複数のＯＦＤＭシンボルがＲＲＣにおいて規定されることもできる。グラントフリーリソースの時間領域位置を規定する別のフィールドがあってよい。例えば、ＲＲＣシグナリングにおいて周期的にシグナリングされる以外に、オフセット値があり得る。オフセット値は、あるグラントフリーリソースの時間位置を示し、例えば、システムフレーム番号（ＳＦＮ）＝０に対するグラントフリーリソースの時間位置（例えば、スロットインデックス）を示すことができる。いくつかの実施形態において、オフセットは、シグナリングされる必要はなくてよく、例えば、スロット０においてデフォルト値を有することができる。
【０２３３】
リソースホッピングパターンを規定するリソースホッピングパターンフィールド。いくつかの実施形態において、リソースホッピングパターンフィールドは、グラントフリースケジューリング間隔ＵＬ値に等しい単位時間を有する各フレーム及び各時間間隔における周波数位置インデックスのシーケンスとして規定される。いくつかの実施形態において、リソースホッピングパターンフィールドは、一般に、各時間間隔での各フレームにおける周波数位置インデックスのシーケンスとして規定される。時間間隔は、ＴＴＩ、スロット、タイムスロット、サブフレーム、ミニスロット、ＯＦＤＭシンボル、ＯＦＤＭシンボルの数又は任意の時間単位であり得る。時間間隔はまた、グラントフリーリソースの時間位置であり得、グラントフリーリソースの位置は、リソースの構成された周期性により分離され得る。例えば、リソースホッピングパターンは、フレーム内又はリソースホッピングパターンの周期内の各スロットにおける周波数区分又はサブバンドインデックスとして規定され得る。いくつかの実施形態において、リソースホッピングパターンフィールドは、各フレーム内の各時間間隔におけるＣＴＵインデックスのシーケンスにより規定される。リソースホッピングパターンは、１）予め定められたリソース割り当てルールから規定される単一のＵＥインデックス、２）各時間間隔の周波数インデックスを示すリソースホッピングインデックスシーケンス、又は、３）各タイムスロットにおいて用いられ得る実際の物理的な時間−周波数リソースの任意の暗黙的な又は明示的なシグナリングのうちのいずれか１つの形式でグラントフリーＵＥに提供されてよい。ここで、リソースホッピングパターンはまた、グラントフリーリソースの時間−周波数リソースのインジケーションを含む。 
【０２３４】
ＲＳホッピングシーケンスを規定するＲＳホッピングシーケンスフィールド。ＲＳホッピングシーケンスフィールドは、フレームｎにおいて用いられるＲＳのインデックスを含んでよい。ＲＳが時間間隔毎に変化する場合、ＲＳホッピングシーケンスフィールドは、各時間間隔でのインデックスのシーケンスを含んでよい。相補ＤＣＩが利用可能な場合には、ＲＳホッピングシーケンスは必要とされなくてよい。ＲＳホッピングシーケンスは、１）固定されたＲＳ及び２）各フレーム内のＲＳホッピングシーケンスのうちのいずれか１つの形式でグラントフリーＵＥに提供されてよい。ＲＳホッピングシーケンスは、一般に、異なるリソースにおける参照信号のインジケーションを指す。それは、異なる時間−周波数グラントフリーリソースにおける単一のＲＳインデックス又は異なるＲＳインデックスであり得る。異なる伝送又は再伝送ステータスのためにシグナリングされる複数のＲＳインデックスがあり得る。例えば、ＲＳインデックスは、初期のグラントフリー伝送のためにＵＥにシグナリングされてよく、別のＲＳインデックスは、反復／再伝送の残りのためにＵＥにシグナリングされてよい。
【０２３５】
相補ＤＣＩシグナリングが用いられない場合にＭＣＳ情報を提供するＭＣＳフィールド。
【０２３６】
ＧＦ＿ＩＤ又はＧｒｏｕｐ＿ＩＤにより予め定められてもよい、さらなるＤＣＩグラント用のサーチスペースフィールド。
【０２３７】
ＲＲＣフォーマットは、ＵＥがグラントフリーＵＥであるか、又は、ＵＥがＧＦリソースを用いて伝送することが可能であるかのインジケーションを含んでよい。ＲＲＣフォーマットは、ＤＣＩを用いてさらなる命令をデコードするために用いられるグラントフリーＵＥ  ＩＤ（例えば、ＧＦ＿ＲＮＴＩ）又はグループベースのＩＤ（例えば、Ｇｒｏｕｐ＿ＲＮＴＩ）を含んでよい。
【０２３８】
いくつかの実施形態において、ＤＣＩシグナリングは、追加の関連情報をＵＥに提供するために用いられてよい。いくつかの実装では、アクティブ化又は非アクティブ化インジケータがＤＣＩを用いて提供されてよい。アクティブ化及び非アクティブ化インジケータは、ＵＥが、ＵＥに対して規定されるグラントフリー伝送リソースを使用することが許可されているか、又は、許可されていないことを示すために、ＢＳにより送信され得る。
【０２３９】
いくつかの実施形態では、ＤＣＩアクティブ化なしで、ＲＲＣシグナリングを用いるだけでは、ＵＥは、グラントフリー伝送に関する十分な情報を得られないかもしれない。
ＤＣＩフォーマット
【０２４０】
ＵＬにおけるグラントフリー、又は、伝送／再伝送用の送信又はグラントをアクティブ化／解除するために用いられる、又は、ＲＲＣシグナリングと共にグラントフリーリソースを構成するために用いられるＤＣＩフォーマット。ＤＣＩフォーマットは、あるＵＬセル内のＰＵＳＣＨのスケジューリングのために用いられるＤＣＩフォーマットと同様であってよい。
【０２４１】
以下の情報は、ＤＣＩフォーマットを用いて伝送されるＤＣＩフォーマットに含まれ得る。ＤＣＩフォーマットは、他の新たなフィールドを有してよく、本開示で説明されるそれらのいくつか及び当該フィールドのすべては任意選択的であってよい。
【０２４２】
０又は３ビットであり得るキャリアインジケータフィールド。このフィールドは、（３ＧＰＰ  ＴＳ３６．２１３：「進化型ユニバーサル地上無線アクセス（Ｅ−ＵＴＲＡ）：物理層プロシージャ」［３］）における規定に従って存在する。
【０２４３】
１ビットであり得るフォーマット０／フォーマット１Ａ区別のフラグ、０に等しい値は、フォーマット０を示し、１に等しい値はフォーマット１Ａを示す。
【０２４４】
［３］のセクション８．４に規定されるような、１ビットである周波数ホッピングフラグ。このフィールドは、リソース割り当てタイプ１のための対応するリソース割り当てフィールドの最上位ビット（ＭＳＢ）として用いられる。
【０２４５】
【数２】
0006838822.tif 000005
ビットであるリソースブロック割り当て及びホッピングリソース割り当てフィールド。リソース割り当てタイプ０のみに対するＰＵＳＣＨホッピングの場合、ＮＵＬ＿ｈｏｐＭＳＢビットは、［３］のセクション８．４に示されるように、
【数３】
0006838822.tif 000006
の値を取得するために用いられる。
【数４】
0006838822.tif 000007
ビットに等しいビットの数は、ＵＬサブフレーム内の第１のスロットのリソース割り当てを提供する。リソース割り当てタイプ０を有する非ホッピングＰＵＳＣＨの場合、
【数５】
0006838822.tif 000008
ビットは、［３］のセクション８．１．１に規定されるようなＵＬサブフレーム内のリソース割り当てを提供する。リソース割り当てタイプ１を有する非ホッピングＰＵＳＣＨの場合、周波数ホッピングフラグフィールドと、リソースブロック割り当て及びホッピングリソース割り当てフィールドとの連結は、［３］のセクション８．１．２に規定されるように、ＵＬサブフレーム内のリソース割り当てフィールドを提供する。
【０２４６】
［３］のセクション８．６に規定されるような５ビットである変調及び符号化スキーム並びに冗長バージョンフィールド。
【０２４７】
１ビットである新たなデータインジケータフィールド。
【０２４８】
スケジュールされたＰＵＳＣＨ用のＴＰＣコマンド−［３］のセクション５．１．１．１に規定されるような２ビット。
【０２４９】
（３ＧＰＰ  ＴＳ３６．２１１：「進化型ユニバーサル地上無線アクセス（Ｅ−ＵＴＲＡ）物理チャネル及び変調」［２］）のセクション５．５．２．１．１に規定されるような３ビットであるＤＭ  ＲＳ及びＯＣＣインデックスフィールド用の巡回シフト。
【０２５０】
［３］のセクション５．１．１．１、７．２．１、８及び８．４に規定されるような２ビットであるＵＬインデックスフィールド。このフィールドは、アップリンク−ダウンリンク構成０を有するＴＤＤオペレーションのみに存在する。
【０２５１】
［３］のセクション７．３に規定されるような２ビットであるダウンリンク割り当てインデックス（ＤＡＩ）フィールド。このフィールドは、ＴＤＤプライマリセル、及び、アップリンク−ダウンリンク構成１−６を有するＴＤＤオペレーション又はＦＤＤオペレーションのいずれ一方を有する場合のみ存在する。［３］のセクション７．２．１に規定されるような１、２又は３ビットであるＣＳＩ要求フィールド。２ビットのフィールドは、わずか５つのＤＬセルで構成されるＵＥに、及び、１より多くのＤＬセルで構成されるＵＥに適用し、対応するＤＣＩフォーマットが、［３］に規定されるようなＣ−ＲＮＴＩにより与えられるＵＥに固有のサーチスペース上にマッピングされる場合、１より多くのＣＳＩ処理を伴う上位層により構成されるＵＥに適用し、及び、対応するＤＣＩフォーマットが、［３］に規定されるようなＣ−ＲＮＴＩにより与えられるＵＥに固有のサーチスペース上にマッピングされる場合、パラメータｃｓｉ−ＭｅａｓＳｕｂｆｒａｍｅＳｅｔを有する上位層による２つのＣＳＩ測定セットで構成され、かつ、対応するＤＣＩフォーマットが［３］に規定されるようなＣ−ＲＮＴＩにより与えられるＵＥに固有のサーチスペース上にマッピングされる場合のＵＥに適用する。３ビットフィールドは、５より多くのＤＬセルで構成され、対応するＤＣＩフォーマットが［３］に規定されるようなＣ−ＲＮＴＩにより与えられるＵＥに固有のサーチスペース上にマッピングされる場合に、ＵＥに適用される。２ビット又は３ビットフィールドによりカバーされないシナリオに関しては、１ビットフィールドを適用する。
【０２５２】
０又は１ビットであるＳＲＳ要求フィールド。このフィールドは、［３］に規定されるようなＣ−ＲＮＴＩにより与えられるＵＥに固有のサーチスペース上にマッピングされるＰＵＳＣＨをスケジューリングするＤＣＩフォーマットのみに存在できる。このフィールドの解釈は、［３］のセクション８．２において提供されている。
【０２５３】
１ビットであるリソース割り当てタイプフィールド。
【数６】
0006838822.tif 000009
の場合のみ、このフィールドは存在する。このフィールドの解釈は、［３］のセクション８．１において提供されている。所与のサーチスペース上にマッピングされるフォーマット０内の情報ビットの数が、同じサービングセルをスケジューリングするためのものであり、かつ、（フォーマット１Ａに添付の任意のパディングビットを含む）同じサーチスペース上にマッピングされるフォーマット１Ａのペイロードサイズより少ない場合、ペイロードサイズがフォーマット１Ａのペイロードサイズと等しくなるまで、ゼロが、フォーマット０に添付されるものとする。
【０２５４】
いくつかの実施形態において、アクティブ化ＤＣＩは、以下のフォーマットを有し得る。
【表３】
0006838822.tif 000010
【０２５５】
いくつかの実施形態において、非アクティブ化（又は、解除）ＤＣＩは、以下のフォーマットを有し得る。
【表４】
0006838822.tif 000011
【０２５６】
いくつかの実施形態において、アクティブ化ＤＣＩは、以下のフォーマットを有し得る。
【表５】
0006838822.tif 000012
【０２５７】
上記のフォーマットにおいて、ＤＣＩアクティブ化は、半静的なリソース構成又は初期のスケジューリンググラントに関するいくつかの情報も含む。半静的なリソース構成に用いられる場合。第１のＲＳ値、リソースホッピングシーケンスとの組み合わせにおける第１のリソースブロック及びＲＳホッピングシーケンス（又は、フレームにわたって単に予め定められたＲＳホッピングルール）に基づいて、ＵＥは、各ＣＴＵにおける特定のリソース／ＲＳ割り当てを見つけ出すことができる。
【０２５８】
いくつかの実施形態において、ＤＣＩは、１回の伝送の代わりに、ＡＣＫが受信されるまでの連続伝送をスケジューリングするために用いられ得る。伝送のホッピングパターンは、予め定められ、ＲＲＣシグナリングにおいてＵＥに対して構成され、又は、ＤＣＩフォーマットに示されてよい。連続的な再伝送のホッピングパターン用のインジケータは、既存のフィールド、例えば、リソースブロックフィールド、又は、新たなフィールド、例えば、ホッピングパターンを示すホッピングインデックスにおいて規定され得る。
【０２５９】
いくつかの実装において、グラントフリーリソース割り当てに関する追加情報は、ＤＣＩを用いるＢＳにより提供され得る。例えば、ＤＣＩは、情報、例えば、リソースホッピングパターン又は参照信号（ＲＳ）ホッピングパターンをＵＥに提供するために用いられ得る。このシナリオにおいて、ＲＲＣシグナリングは、リソースホッピングパターン及び参照信号（ＲＳ）ホッピングパターンを構成する必要はないかもしれない。いくつかの実施形態において、ＤＣＩの新たなフィールド、例えば、ＲＲＣシグナリングに関して説明したようなフィールドと同様のリソースホッピングパターン又はＲＳホッピングパターンがあり得る。いくつかのシナリオにおいて、この情報は、既存のＤＣＩフォーマットに示され得る。例えば、リソースホッピングパターンは、リソースブロック割り当てフィールドに示され得る。いくつかの実施形態において、ＲＳホッピングパターンは、ＤＭＲＳ巡回シフトフィールドに示され得る。
【０２６０】
ＲＲＣシグナリングは、グラントフリーＵＥ  ＩＤ又はグループＩＤをＵＥのグループに割り当てる。ＲＲＣシグナリングは、ＤＣＩアクティブ化を検索する場所をＵＥが認識するように、サーチスペースの規定を含んでもよい。代替的に、これは、ＢＳによりブロードキャストされるシステム情報に含まれていてよい。
【０２６１】
ＲＲＣシグナリングを受信した後に、ＵＥがＤＣＩシグナリングを受信するまで、ＵＥは、依然としてグラントフリー伝送を実行できない。いくつかの場合において、ＤＣＩシグナリングは、グラントフリー伝送のアクティブ化としての機能を果たし得る。いくつかの実施形態において、ＤＣＩシグナリングは、単に、ＵＥに対する特定の一部のグラントフリーリソースに役立てるために、半静的な相補シグナリングとしての機能を果たす。ＵＥは、いずれかのグラントフリー伝送を実行する前に、ＤＣＩアクティブ化を受信まで待機しなければならない。したがって、ＵＥは、少なくともアクティブ化及び非アクティブ化インジケータに対するサーチスペースだけでなく、場合により、伝送リソースを決定するのに役立てるためにＵＥにより用いられ得る追加の特徴に対するサーチスペースもモニタリングする。
【０２６２】
グラントフリーＵＥは、グラントフリー伝送のアクティブ化又は非アクティブ化のための割り当てられたグラントフリーＵＥ  ＩＤ又はグループＩＤ、若しくは、ＵＥにより用いられ得る追加情報を用いてＤＣＩをデコードする。
【０２６３】
図３Ｇを参照すると、段階３００及び段階３０１は、図３Ｆにあるのと同じである。
【０２６４】
段階３０２において、ＢＳは、グラントフリーＵＥに対して用いられる伝送リソースを選択した後に、ＲＲＣシグナリングを通じてＵＥにＵＬ伝送リソース割り当てを送信する。ＲＲＣシグナリングは、上述のように、既存のＳＰＳシグナリングと一致し得るグラントフリーＩＤ及び他のフィールドを含む。本開示で前述したリソースホッピングパターンフィールド又はグラントフリーフレーム間隔フィールドなど、ＬＴＥ  ＳＰＳシグナリングで用いられていない他のフィールドがあり得る。ＲＲＣシグナリングは、図３Ａについて説明したＲＲＣシグナリングフィールドのすべてを任意選択的に含むことができる。ＲＲＣシグナリングは、リソースの周期、電力制御パラメータ、反復の回数Ｋ、周波数ホッピングが用いられるか否かを示すホッピングフラグなどを含んでよい。
【０２６５】
段階３０３は、ＵＥがＲＲＣシグナリングにおいて規定されたサーチスペースでＤＣＩをチェックすることを含む。いくつかの実装において、ＤＣＩは、ＲＲＣシグナリング及び／又はシステム情報の組み合わせにおいて、グラントフリー伝送リソースを決定するために、ＵＥにより用いられる追加情報を含んでよい。いくつかの実装において、ＤＣＩは、アクティブ化インジケータを含んでよい。ＵＥは、ＲＲＣシグナリングで、又は、場合により、ＲＲＣシグナリングとシステムシグナリングとの組み合わせにおいて規定されたサーチスペースでＤＣＩを検索してよい。
【０２６６】
段階３０２１において、ＢＳは、アクティブ化インジケータ及び／又はＵＥに対するリソース割り当てを規定する際に使用するための情報を含み得るＤＣＩメッセージを送信する。
【０２６７】
段階３０３２において、ＵＥは、すべてのＵＬ伝送リソースを取得する。これは、ＵＥがＲＲＣシグナリング情報、システム情報、ＤＣＩ情報又はこれらの組み合わせのいずれかを用いて、グラントフリー伝送リソースを決定することを含む。
【０２６８】
段階３０３１において、基地局への伝送のために第１のバッチデータがグラントフリーＵＥに到着する。
【０２６９】
段階３０４において、第１のバッチデータが到着した後に、ＵＥは、割り当てられたグラントフリー伝送リソースに基づいて第１のバッチデータ伝送を伝送する。グラントフリーリソースは、半静的にＵＥに割り当てられてよい。ここで、半静的が、タイムスロット毎に動作する「動的な」オプションと比較して用いられる。例えば、半静的であれば、所与の期間、つまり、２００又はそれより長いタイムスロットで周期的に動作できる。グラントフリーＵＥが割り当てられたリソースを取得すると、グラントを取得することなくデータが到着した直後に、割り当てられたリソースを用いてデータを伝送してよい。ＵＥは、割り当てられたＵＬ伝送リソースを用いて第１のバッチデータの初期伝送を伝送してよい。いくつかの実施形態において、第１のバッチデータがグラントフリーＵＥのバッファに到着すると、ＵＥは、次の時間間隔又はＵＥに割り当てられるリソースからアクセスできる早い機会のＣＴＵ領域を決定する。ＵＥは、データが到着した後に、ＣＴＵアクセスの次の時間間隔を決定し、ＵＥは、割り当てられたリソースホッピングシーケンスに基づいて、その時間間隔でＣＴＵ領域を探す。そして、ＵＥは、当該ＣＴＵ領域及びその領域に対して割り当てられたＲＳを用いてデータの第１のバッチの初期伝送を伝送してよい。伝送は、ＲＳ信号及びデータ信号を含んでよい。
【０２７０】
段階３０５において、ＢＳは、第１のバッチデータ伝送を受信した後に、データを検出する。いくつかの実施形態において、ＵＥが、ＢＳにメッセージを送信した場合、ＢＳは、まず、ＭＡ署名を検出することを試みる。ＭＡ署名を検出することは、アクティビティ検出と称される。アクティビティ検出の実行が成功することより、ＢＳは、ＵＥがグラントフリーアップリンク伝送を送信したことを認識する。しかしながら、アクティビティ検出の成功は、ＵＥの身元をＢＳに明らかにしてもよいし、しなくてもよい。例えば、以下の表８及び表９に示されるように、ＵＥとＭＡ署名との間に予め定められたＲＳパターンがある場合、アクティビティ検出の成功は、グラントフリーアップリンク伝送を送信するＵＥの身元を明らかにする。いくつかの実施形態において、アクティビティ検出は、例えば、ＵＥ  ＩＤがデータとは別個にエンコードされた場合、ＵＥ  ＩＤを取得することをさらに含み得る。
【０２７１】
アクティビティ検出が成功した後に、ＢＳは、ＭＡ署名と、データメッセージと共に任意選択的に多重化された追加の参照信号とに基づいてチャネル推定を実行し、そして、データをデコードすることを試みる。
【０２７２】
段階３０６において、ＢＳは、デコードした結果に基づいてＡＣＫ又はＮＡＣＫを送信する。ＢＳは、ＲＳ信号をデコードすることにより、まずアクティビティ検出を実行し、ＲＳ信号を用いてチャネル推定を実行し、そして、データをデコードすることを試みることにより、第１のバッチデータの初期伝送をデコードすることを試みる。ＢＳがデータのデコードに成功できた場合、ＢＳは、デコードに成功したことを確認するために、ＵＥにＡＣＫを送信してよい。ＢＳがデータのデコードに成功しなかった場合、ＢＳは、ＮＡＣＫをＵＥに送信してよい、又は、フィードバックを一切送信しない。いくつかの実施形態において、段階３０４におけるデータの第１のバッチの初期伝送の後に、段階３０３において、ＵＥは、リソース割り当てに従って、次に利用可能なリソースを用いてデータの第１のバッチをすぐに再伝送することを選択してよい。いくつかの他の実施形態において、ＵＥは、予め定められた期間待機してよく、ＵＥが予め定められた期間内にＡＣＫを受信した場合、ＵＥは再伝送を実行しない。アクティブ化の後に、ＵＥは、ＲＲＣシグナリング及びＤＣＩアクティブ化の両方に基づいて、割り当てられたリソース上でグラントフリー伝送を実行する。
【０２７３】
いくつかの実施形態において、ＵＥは、ＤＣＩアクティブ化を受信した後に、ＤＣＩを常にチェックするわけではない。いくつかの実施形態において、ＢＳがＤＣＩを用いてＵＥをグラントベースの伝送に切り替え得る場合に備えて、ＵＥは、ＤＣＩメッセージをモニタリングする。いくつかの実施形態において、ＵＥは、ＤＣＩ非アクティブ化がある場合に備えて、ＤＣＩメッセージをモニタリングする。いくつかの実施形態において、ＵＥは、ＤＣＩアクティブ化がアクティブ化されるまで、グラントベースのフォーマットで伝送し得る。
【０２７４】
ＤＣＩメッセージは、非アクティブ化のために用いられてもよい。ＵＥが非アクティブ化ＤＣＩを受信した場合、グラントフリーリソース上での伝送を停止する。
【０２７５】
グラントフリーＵＥリソース構成又はアクティブ化のためのＤＣＩは、第１のサブフレームにおいて、第１のＲＳ値、第１のリソースブロック及び第１のＭＣＳ値を含んでよい。リソースホッピングシーケンスと、ＲＲＣシグナリングにおいて構成されるＲＳホッピングシーケンスとを組み合わせたこの情報を用いて、ＵＥは、各ＣＴＵにおける正確なリソース／ＲＳ割り当てを見つけ出すことができる。
【０２７６】
いくつかの他の実施形態において、ＲＲＣシグナリングの後に、ＵＥは、さらなるＤＣＩメッセージをチェックし続けてよい。グラントベースの伝送のためにＵＥを動的にスケジューリングするＤＣＩがある場合、グラントフリーＵＥは、依然として、ＤＣＩに基づいたグラントベースの伝送を実行することが可能であってよい。伝送の後に、グラントフリーＵＥは、グラントフリー伝送に切り替えることができる。いくつかの他の実施形態において、ＤＣＩは、ＵＥに対する初期伝送をスケジューリングし、また、ＲＲＣシグナリングと共にＵＥのグラントフリー割り当てを構成するのに役立つ情報、例えば、ＭＣＳ、初期のＲＳ、初期のリソースを提供してよい。
【０２７７】
図３Ｈは、相補ＤＣＩシグナリングと共にＲＲＣシグナリングを用いることを含むＵＬのグラントフリー伝送に関する別の実施形態の手順を示す。図３Ｈと図３Ｇとの違いは、図３Ｈでは、ＤＣＩアクティブ化がアクティブ化信号のみを提供してよいが、必要な情報、例えば、ＭＣＳ、リソースブロック、ＵＥのリソース構成用のＲＳを包含しなくてよいことにある。ＵＥは、初期伝送及び／又は再伝送を有効にするためにＲＲＣ及び／又はシステム情報からのすべての必要な情報を有していない可能性があり、ひいては、ＵＥは、アクティブ化ＤＣＩを越えてさらなるＤＣＩの初期伝送又は後続の伝送のために伝送リソースを規定する追加情報が提供されるべきである。図３Ｇにおいて、ＤＣＩアクティブ化は、リソース構成に関するいくつかの相補情報、例えば、第１のＭＣＳ、ＲＳ及びリソースブロックを提供してもよく、したがって、ＵＥは、ＤＣＩアクティブ化の後に、グラントフリー伝送を開始できる。
【０２７８】
段階３００及び段階３０１は、図３Ｇにあるのと同じである。
【０２７９】
段階３０２において、ＢＳは、グラントフリーＵＥに用いられる伝送リソースを選択した後に、ＲＲＣシグナリングを通じてＵＥにＵＬ伝送リソース割り当てを送信する。ＲＲＣシグナリングは、上述のように、既存のＳＰＳシグナリングと一致し得るグラントフリーＩＤ及び他のフィールドを含む。本開示で前述したリソースホッピングパターンフィールド又はグラントフリーフレーム間隔フィールドなど、ＬＴＥ  ＳＰＳシグナリングで用いられていない他のフィールドがあり得る。
【０２８０】
段階３０３は、ＵＥがＲＲＣシグナリングにおいて規定されたサーチスペースでＤＣＩをチェックすることを含む。いくつかの実装において、ＤＣＩは、ＲＲＣシグナリング及び／又はシステム情報の組み合わせにおいて、グラントフリー伝送リソースを決定するために、ＵＥにより用いられる追加情報を含んでよい。いくつかの実装において、ＤＣＩは、アクティブ化インジケータを含んでよい。ＵＥは、ＲＲＣシグナリングで、又は、場合により、ＲＲＣシグナリングとシステムシグナリングとの組み合わせにおいて規定されたサーチスペースでＤＣＩを検索してよい。
【０２８１】
段階３０２１において、ＢＳは、アクティブ化インジケータを含み得るＤＣＩメッセージを送信する。
【０２８２】
段階３０３の反復において、ＵＥは、ＤＣＩのサーチスペースを再度チェックする。
【０２８３】
段階３０２２において、ＢＳは、初期のスケジューリングのためにＤＣＩを伝送する。
【０２８４】
段階３０３２において、ＵＥは、すべてのＵＬ伝送リソースを取得する。これは、ＵＥがＲＲＣシグナリング情報、システム情報、ＤＣＩ情報又はこれらの組み合わせのいずれかを用いて、グラントフリー伝送リソースを決定することを含む。
【０２８５】
段階３０３１において、基地局への伝送のために第１のバッチデータがグラントフリーＵＥに到着する。
【０２８６】
段階３０４において、第１のバッチデータが到着した後に、ＵＥは、割り当てられたグラントフリー伝送リソースに基づいて第１のバッチデータ伝送を伝送する。グラントフリーリソースは、半静的にＵＥに割り当てられてよい。ここで、半静的が、タイムスロット毎に動作する「動的な」オプションと比較して用いられる。例えば、半静的であれば、所与の期間、つまり、２００又はそれより長いタイムスロットで周期的に動作できる。グラントフリーＵＥが割り当てられたリソースを取得すると、グラントを取得することなくデータが到着した直後に、割り当てられたリソースを用いてデータを伝送してよい。ＵＥは、割り当てられたＵＬ伝送リソースを用いて第１のバッチデータの初期伝送を伝送してよい。いくつかの実施形態において、第１のバッチデータがグラントフリーＵＥのバッファに到着すると、ＵＥは、次の時間間隔又はＵＥに割り当てられるリソースからＵＥがアクセスできる早い機会のＣＴＵ領域を決定する。ＵＥは、データが到着した後に、ＣＴＵアクセスの次の時間間隔を決定し、ＵＥは、割り当てられたリソースホッピングシーケンスに基づいて、その時間間隔でＣＴＵ領域を探す。そして、ＵＥは、当該ＣＴＵ領域及びその領域に対して割り当てられたＲＳを用いてデータの第１のバッチの初期伝送を伝送してよい。伝送は、ＲＳ信号及びデータ信号を含んでよい。
【０２８７】
段階３０５において、ＢＳは、第１のバッチデータ伝送を受信した後に、データを検出する。いくつかの実施形態において、ＵＥが、ＢＳにメッセージを送信した場合、ＢＳは、まず、ＭＡ署名を検出することを試みる。ＭＡ署名を検出することは、アクティビティ検出と称される。アクティビティ検出の実行が成功することにより、基地局は、ＵＥがグラントフリーアップリンク伝送を送信したことを認識する。しかしながら、アクティビティ検出の成功は、ＵＥの身元をＢＳに明らかにしてもよいし、しなくてもよい。例えば、以下の表８及び表９に示されるように、ＵＥとＭＡ署名との間に予め定められたＲＳパターンがある場合、アクティビティ検出の成功は、グラントフリーアップリンク伝送を送信するＵＥの身元を明らかにする。いくつかの実施形態において、アクティビティ検出は、例えば、ＵＥ  ＩＤがデータとは別個にエンコードされた場合、ＵＥ  ＩＤを取得することをさらに含み得る。
【０２８８】
アクティビティ検出が成功した後に、ＢＳは、ＭＡ署名と、データメッセージと共に任意選択的に多重化された追加の参照信号とに基づいてチャネル推定を実行し、そして、データをデコードすることを試みる。
【０２８９】
段階３０６において、ＢＳは、デコードした結果に基づいてＡＣＫ又はＮＡＣＫを送信する。ＢＳは、ＲＳ信号をデコードすることにより、まずアクティビティ検出を実行し、ＲＳ信号を用いてチャネル推定を実行し、そして、データをデコードすることを試みることにより、第１のバッチデータの初期伝送をデコードすることを試みる。ＢＳがデータのデコードに成功できた場合、ＢＳは、デコードに成功したことを確認するために、ＵＥにＡＣＫを送信してよい。ＢＳがデータのデコードに成功しなかった場合、ＢＳは、ＮＡＣＫをＵＥに送信してよい、又は、フィードバックを一切送信しない。いくつかの実施形態において、段階３０４におけるデータの第１のバッチの初期伝送の後に、段階３０３において、ＵＥは、リソース割り当てに従って、次に利用可能なリソースを用いてデータの第１のバッチをすぐに再伝送することを選択してよい。いくつかの他の実施形態において、ＵＥは、予め定められた期間待機してよく、ＵＥが予め定められた期間内にＡＣＫを受信した場合、ＵＥは再伝送を実行しない。アクティブ化の後に、ＵＥは、ＲＲＣシグナリング及びＤＣＩアクティブ化の両方に基づいて、割り当てられたリソース上でグラントフリー伝送を実行する。
【０２９０】
段階３０２６において、ＢＳは、グラントフリー伝送リソースの非アクティブ化又は解除のためのＤＣＩを伝送してよい。非アクティブ化／解除の前に１回の伝送のみが示されている一方、一連の伝送があり得、それらのいくつかが、デコードに成功し、その他が再伝送及び含み得る任意のシグナリングを必要とし得ることはない。
ＡＣＫまで連続伝送するためのＤＣＩ
【０２９１】
いくつかの実施形態において、ＤＣＩは、伝送を停止するためにトリガが達するまで、複数の伝送に対する伝送リソースをスケジューリングする機能を規定してよい。例えば、一実装例において、リソースは、初期伝送を含む１からＫ回繰り返し伝送するためにスケジューリングされ得る。最大のＫ回に達したときに、ＵＥは、そのデータの試みられた伝送に対するリソースを用いることを停止する。別の実装において、リソースは、ＡＣＫが基地局から受信されるまで繰り返し伝送するためにスケジューリングされ得る。ＡＣＫが受信されると、ＵＥは、そのデータの試みられた伝送に対するそのリソースを用いることを停止する。
【０２９２】
当該機能を実装するために、ＤＣＩは、図３Ｈの段階３０２２に示されるように、データの初期伝送をスケジューリングするための情報を含み得る。後続の再伝送のための伝送リソースは、ＲＲＣシグナリング又は他のＤＣＩのうちの少なくとも１つにおいて、ＵＥに提供される予め定められたパターンからＵＥに知られ得る。
【０２９３】
いくつかの実施形態において、ＵＥは、あるパケットの初期（又は、第１のパケット）のグラントフリー伝送を開始し、１又は複数の反復は、ＵＥに対するグラントフリーリソース事前構成に基づいて、初期伝送に含まれ得る。初期伝送の後に、ＵＥは、ＢＳからのＡＣＫ／ＮＡＣＫ又はＤＣＩシグナリンググラントを待機する。ＮＡＣＫ（例えば、ＵＥパイロットに対する）メッセージが受信された又は何も受信されなかった場合、ＵＥは、構成された再伝送用のグラントフリーリソースを用い、ＤＣＩシグナリングがＵＬのグラントを含む場合、ＵＥは、グラントベースの再伝送に切り替え、ＢＳは、別のＤＣＩベースのシグナリングを任意選択的に用いて、パケットに対するグラントベースの再伝送を、予め構成されたリソースを用いたグラントフリー再伝送に変更することができる。
【０２９４】
別のＤＣＩシグナリングにより示される他の実施形態において、あるパケットの第１の再伝送には、グラントベースのリソースを用い、当該パケットの第２〜Ｎの再伝送（適用可能な場合）には、グラントフリー割り当てリソースを用いる。別の実施形態において、あるパケットの第１の再伝送には、あるＤＣＩシグナリングにより示されるグラントベースのリソースを用い、当該パケットの第２〜Ｎの再伝送（適用可能な場合）には、別のＤＣＩシグナリングにより示されるグラントフリー割り当てリソースを用いる。これらの変更は、他のインジケータ又はオプションにより示されることもできる。次の新たなデータパケット伝送に関して、ＵＥは、予め割り当てられた（又は予め構成された）リソースと共にグラントフリー伝送を依然として用いており、これは、グラントフリースキームにおいて、ＵＥが、再伝送パケットに対してグラントベースの伝送に切り替えることをＢＳにより通知されるまで、新たなデータパケットがグラントフリー伝送及び再伝送を常に用いることを意味する。
【０２９５】
あるパケットの再伝送に関して、ＢＳは、ＤＣＩシグナリングを用いて、グラントベースの伝送に変更できる。いくつかの実施形態において、予め構成されたリソースを伴うグラントフリー伝送モードに再伝送を戻す新たなＤＣＩシグナリングがあり得る。新たなＤＣＩシグナリングのシグナリングは、１ビットであってよい。例えば、ＤＣＩフォーマットにおいて、新たなフィールド、グラントフリー又はグラントベースの再伝送インジケータがあってよく、０に等しいこのフィールドの値は、再伝送がグラントベースの伝送であることを示し、１に等しい値は、再伝送がグラントフリー伝送に切り替わっていることを示す。
【０２９６】
ＢＳにより構成される少なくとも２つのタイプのＵＥがあり得る。構成は、ＲＲＣシグナリング、制御チャネル又はＵＥに対して予め定められたものにおいて行われ得る。第１タイプのＵＥに関して、初期のＧＦ伝送の後に、ＵＥは、ＡＣＫ／ＮＡＣＫメッセージのみをモニタリングする。ＡＣＫをモニタリングするＵＥに対して異なる可能性があり得る。いくつかの実施形態において、ＵＥは、ＵＥがＡＣＫを正確に受信するまで、ＡＣＫ／ＮＡＣＫを連続的にモニタリングして、連続的な伝送を実行してよい。伝送の最大連続回数Ｋがあり得、数Ｋは、例えば、ＲＲＣシグナリングを通じてネットワークにより構成されてよく、又は、ＤＣＩにおいて構成されてよい。いくつかの他の実施形態において、ＵＥは、Ｋ回の伝送を連続的に伝送してよく、Ｋは、予め定められている又はシグナリングされる。別の実施形態において、ＵＥは、再伝送の前に、予め定められたタイムスロット内に到着するＡＣＫ／ＮＡＣＫを待機してよい。ＵＥが予め定められた時間制限内にＡＣＫを受信した場合、ＵＥは再伝送を停止し、そうでない場合は、再伝送する。いくつかの他の実施形態において、ＵＥは、ＡＣＫ／ＮＡＣＫフィードバックをチェックする前に、Ｋ回の伝送を連続的に実行してよい。ＵＥがチェックしたときに、ＵＥがＡＣＫを受信していない場合、ＵＥは、別のＫ回の伝送を実行してよい。別の実施形態において、ＵＥは、ＡＣＫ／ＮＡＣＫをチェックすることなくＫ回の連続伝送を実行して、ＤＲＸ／スリーピングモードに入ってよい。ＡＣＫ／ＮＡＣＫは、例えば、ＤＣＩにおけるＰＨＩＣＨ又は制御チャネルのような専用のＡＣＫ／ＮＡＣＫチャネルを通じて伝送され得る。
【０２９７】
第２タイプのＵＥに関して、初期のグラントフリー伝送の後に、ＵＥは、ＡＣＫ／ＮＡＣＫ及びスケジューリング情報の両方をモニタリングできる。スケジューリング情報は、通常、ＤＣＩにおいて伝送される。スケジューリング情報は、伝送リソースブロック、参照信号、ＭＣＳ、冗長バージョン（ＲＶ）及び他の伝送パラメータを含んでよい。いくつかの実施形態において、（サブフレーム／ＴＴＩの単位で）間隔ＴをモニタリングするＵＥは、ネットワークにより構成され得る。いくつかの実施形態において、Ｔ＞１である。他の実施形態において、Ｔ＝１である。
【０２９８】
以下の説明は、本開示で説明されるすべての場合に適用され得る。グラントフリーＵＥが初期伝送を実行した後に、１つのオプションは、ＵＥがＡＣＫが受信されるまで連続的に伝送することであり、そのため、伝送の回数Ｋは、チャネル状態及びＡＣＫの遅延に応じて動的である。別のオプションは、半統計的な構成である、連続的な伝送に対する固定された回数、例えば、３回、４回を設定することである。以下では、伝送の回数Ｋを決定するために、２つのオプションがある。ＵＬのグラントフリー伝送機会に関して、Ｋ回の伝送が終わるまでＡＣＫ／ＮＡＣＫを有することを予期することなく、Ｋ回の連続的な伝送（又は反復）が実行される。ＵＬのグラントフリー伝送機会に関して、早期に伝送終了するための任意のタイムスロットでＡＣＫが到着する可能性があることを期待して、最大でＫ回の連続的な伝送（又は反復）が実行される。
【０２９９】
図３Ｉは、ＵＬグラントフリー伝送の手順についての別の実施形態を示す。図３Ｉに示されるように、段階３００において、グラントフリー伝送が可能なＵＥは、まず、ＴＲＰ又はＢＳによりサポートされるネットワークに入り、例えば、ＬＴＥネットワークのランダムアクセス手順の一部（ＲＡＣＨ）として、ランダムアクセス（ＲＡ）チャネルを通じてプリアンブルを送信することにより、初期アクセスを実行してよい。例えば、ＵＥが大量の小さなデータパケットを伝送することを予期する場合、ＵＥは、ＵＥがグラントフリー伝送可能であることを示すインジケーションをＢＳにシグナリングしてよい。
【０３００】
段階３０１において、ＢＳは、ＲＡＣＨ  ＲＡプリアンブルを受信して、ＵＥにより用いられるＵＬ伝送リソースを選択してよい。ＵＬ伝送リソースを提供する実施形態は、フレームに予め定められたＭＡホッピングパターンを含んでよい。例として、ＭＡホッピングパターンは、フレーム内の予め定められた時間−周波数リソースホッピングパターン又は予め定められたＲＳホッピングパターン、若しくは、その両方を含んでよい。ＭＡホッピングパターンは、アップリンクグラントフリー多元接続伝送において、異なる数のＵＥをサポートするユニバーサルＲＳ及び伝送リソースマッピングスキームを提供する。ＢＳは、例として、ＭＡホッピングパターンを節約するために、ネットワークから予め定められたＭＡホッピングパターンを取得できる、又は、ＢＳは、予め定められたパターン生成スキーム又は予め定められたルールに基づいて、ＭＡホッピングパターンを生成することにより、ＭＡホッピングパターンを取得できる。
【０３０１】
図３Ｉの段階３０２において、ＵＥは、ＵＥに対して用いられる伝送リソースを選択した後に、ＵＥにＵＬ伝送リソース割り当てを送信する。本実施形態では、伝送割り当てを割り当てるために３つのオプションがある。以下でより詳細に説明される。
【０３０２】
段階３０３において、ＵＥは、すべてのＵＬ伝送リソースを取得する。いくつかの実施形態において、ＵＥは、伝送リソース割り当てを受信した後に、本開示において説明された予め定められたルールに基づいて、伝送リソースを導出できる。いくつかの実施形態において、ＵＥは、上記の伝送リソース割り当てを受信した後に、テーブル、及び、予め定められた伝送リソースホッピングパターンを検索できる。ＵＥは、予め定められた伝送リソースパターン及びテーブルを保存でき、また、ＵＥは、更新情報を指示するシグナリングを受信した後に、予め定められた伝送リソースパターン及びテーブルを更新できる。
【０３０３】
段階３０４において、データがＵＥに到着した場合、ＵＥは、割り当てられた伝送リソースに基づいて第１のバッチデータ伝送を伝送する。グラントフリーリソースは、半静的にＵＥに割り当てられてよい。グラントフリーＵＥが割り当てられたリソースを取得すると、ＵＥは、グラントを取得することなくデータが到着した直後に、割り当てられたリソースを用いてデータを伝送してよい。段階３０４において、ＵＥは、割り当てられたＵＬ伝送リソースを用いてデータの第１のバッチの初期伝送を伝送してよい。段階３０４の前に、ＵＥは、上記で説明される任意の方法からアクセスできるリソースを見つけ出している。いくつかの実装において、段階３０４は、ＵＥのバッファにデータの第１のバッチが到着すると、ＵＥは、次の時間間隔又はＵＥに割り当てられるリソースからアクセスできる最も早い機会のＣＴＵ領域を決定する手順を含んでよい。処理は以下のとおりであってよい。ＵＥは、データが到着した後、ＣＴＵアクセスの次の時間間隔を決定し、ＵＥは、割り当てられたリソースホッピングシーケンスに基づいて、その時間間隔でＣＴＵ領域を探す。そして、ＵＥは、当該ＣＴＵ領域及びその領域に対して割り当てられたＲＳを用いてデータの第１のバッチの初期伝送を伝送してよい。伝送は、ＲＳ信号及びデータ信号を含んでよい。段階３０５において、ＢＳは、第１のバッチデータ伝送を受信した後に、データを検出する。ＵＥが、ＢＳにメッセージを送信した場合、ＢＳは、まず、ＭＡ署名を検出することを試みる。ＭＡ署名を検出することは、アクティビティ検出と称される。アクティビティ検出の実行が成功することより、ＢＳは、ＵＥがグラントフリーアップリンク伝送を送信したことを認識する。しかしながら、アクティビティ検出の成功は、ＵＥの身元をＢＳに明らかにしてもよいし、しなくてもよい。表８及び表９に示すＵＥとＭＡ署名との間に予め定められたＲＳパターンがある場合、アクティビティ検出の成功は、グラントフリーアップリンク伝送を送信するＵＥの身元を明らかにする。いくつかの実施形態において、アクティビティ検出は、以下で説明される図６Ａの例示的なメッセージ１２８と同様に、例えば、ＵＥ  ＩＤがデータとは別個にエンコードされた場合、ＵＥ  ＩＤを取得することをさらに含み得る。
【０３０４】
アクティビティ検出が成功した後に、ＢＳは、ＭＡ署名と、データメッセージと共に任意選択的に多重化された追加の参照信号とに基づいてチャネル推定を実行し、そして、データをデコードすることを試みる。
【０３０５】
段階３０６において、ＢＳは、デコードした結果に基づいてＡＣＫ又はＮＡＣＫを送信する。ＢＳは、ＲＳ信号をデコードすることにより、まずアクティビティ検出を実行し、ＲＳ信号を用いてチャネル推定を実行し、そして、データをデコードすることを試みることにより、データの第１のバッチの初期伝送をデコードすることを試みる。ＢＳがデータのデコードに成功できた場合、ＢＳは、デコードに成功したことを確認するために、ＵＥにＡＣＫを送信してよい。ＢＳがデータのデコードに成功しなかった場合、ＢＳは、ＮＡＣＫをＵＥに送信してよい、又は、フィードバックを一切送信しない。いくつかの実施形態において、段階３０４におけるデータの第１のバッチの初期伝送の後に、段階３０３において、ＵＥは、リソース割り当てに従って、次に利用可能なリソースを用いてデータの第１のバッチをすぐに再伝送することを選択してよい。いくつかの他の実施形態において、ＵＥは、予め定められた期間待機してよく、ＵＥが予め定められた期間内にＡＣＫを受信した場合、ＵＥは再伝送を実行しない。そうでない場合、ＵＥは、待機期間の後、次に利用可能なＣＴＵリソースにおいてデータの第１のバッチを再伝送する。 
【０３０６】
第２のバッチデータがＵＥに到着した場合、ＵＥは、通信することなく取得した伝送リソースに基づいて、段階３０７において第２のバッチデータをネットワークエンティティに伝送し、対応する伝送リソース割り当ては、伝送リソースをＵＥに割り当てる。段階３０８において、ＢＳは、第２のバッチデータ伝送を受信した後に、データを検出する。段階３０７から段階３０９は、段階３０４から段階３０６と同様のアクティビティを実行する。
【０３０７】
図３Ｊは、ＵＬのグラントフリー伝送に関する別の実施形態の手順を示す。図３Ｉから図３Ｊと比較すると、図３Ｊは、再伝送プロセスを示す。再伝送プロセスは、ＡＲＱ又はＨＡＲＱプロセスであってよい。ＨＡＲＱ再伝送は、ＬＴＥにおいて用いられる同様のＨＡＲＱプロセスとして、チェイスコンバイニング（Ｃｈａｓｅ  ｃｏｍｂｉｎｉｎｇ、ＣＣ）又は増分冗長度（ＩＲ）を用いて実現されてよい。段階３００、３０１、３０２、３０３及び３０４は、図３Ｉにおける同じ段階と同様である。段階３０５において、ＢＳは、第１のバッチデータ伝送を受信した後に、データを検出する。デコードの試みが失敗するかもしれず、ＢＳは、第１の伝送後に、ＡＣＫを送信しなくてよい。
【０３０８】
段階３０４１において、ＵＥは、図５Ａから図５Ｄ及び表７から表１０に基づいて、上記の取得した伝送リソースに基づいて、再伝送データパケットを送信する。段階３０８において、ＢＳは、信号の第１のバッチの再伝送を受信した後に、データをデコードすることを試みる。デコードは、再伝送及び初期伝送から受信した信号を組み合わせて、データ信号をデコードすることを含み得る。データのデコードに成功した場合、段階３０６１において、ＢＳは、ＵＥにＡＣＫを送信してよい。ＵＥは、初期伝送後に、ＡＣＫが受信されていない場合、ＡＣＫが受信されるまで、段階３０６１の後に、段階３０３におけるリソース割り当てに従って、次に利用可能なリソースを用いてデータの第１のバッチを再伝送し続けてよい。初期伝送から再伝送に用いられるリソースは、リソース及びＲＳホッピングパターン又はシーケンス割り当てに従ってよい。（例えば、段階３０６１の後に）ＵＥがＢＳからＡＣＫを受信した場合、段階３１０において、ＵＥは、データの第１のバッチの再伝送を停止してよい。
【０３０９】
いくつかの状況において、データの第１のバッチは、デコードされることに成功したかもしれないが、ＵＥは、遅延のせいでまだＢＳからＡＣＫを受信していないかもしれない。この場合、ＵＥは、ＡＣＫが受信されるまで、段階３０４１と同様にデータの第１のバッチを依然として再伝送し得る。以前の伝送においてデータがデコードされているので、ＢＳは、冗長データを受信し得る。この場合、ＢＳは、データの同じバッチのデコードに成功した後に受信したデータ信号を破棄することを選択してよい。
【０３１０】
図３Ｋは、ＵＬグラントフリー伝送の手順の別の実施形態を示す。リソース領域は、グラントベースのみ、又は、グラントフリー及びグラントベースの両方の混合物として割り当てられてよい。グラントフリー領域内のいずれかをスケジューリングするか否かをＢＳが決定し得るので、専用のグラントフリー領域がない可能性がある。代替的に又はさらに、リソース領域は、異なる用途で割り当てられてよい。例えば、ｍＭＴＣ領域が異なるカバレッジレベルのサブ領域に分割され得るので、ｍＭＴＣ領域は、ｕＲＬＬＣ領域とは異なってよい。ｅＭＢＢが任意の領域で及び／又は常にスケジューリングされる場合のみ、ｕＲＬＬＣは、混在されたグラントフリー／グラントベース領域に割り当てられ得る。図３Ｉと比較して、図３Ｋの段階３００１において、ＵＥは、ＵＥにグラントフリーモードを実行させるシグナリングを受信する。この状況において、ＢＳは、ＵＥが伝送する小さなデータパケットのバッチを有することをモニタリングし、ＵＥがグラントフリーモードで伝送することを示すグラントフリー伝送リソースを選択する。いくつかの実施形態において、ＢＳは、グラントフリーモードを実行して、グラントフリー伝送リソースを割り当てることを同時にＵＥに知らせてよく、例えば、段階３００１及び段階３０２が１つの段階でシグナリングされ得る。段階３０３、３０４、３０５、３０６、３０７、３０８及び３０９は、図３Ｉの同じ段階と同様である。
伝送／再伝送識別用のＲＳ
【０３１１】
上記の例のいくつかでは、単一のＲＳがＵＥに割り当てられる。ＲＳが初期伝送／再伝送の試みを識別するためにも用いられる場合、冗長バージョン（ＲＶ）、複数のＲＳ又はＲＳタプルは、単一のＵＥに割り当てられ得る。初期伝送及び再伝送は、異なるＲＶを用いてよい。データがエンコードされた場合、エンコードされたビットは、（場合により、互いに重複する）異なるセットに区分けされ得る。各セットは、異なるＲＶである。例えば、いくつかのＲＶは、他のＲＶより多くのパリティビットを有し得る。各ＲＶは、ＲＶインデックス（例えば、ＲＶ０、ＲＶ１、ＲＶ２...など）により識別される。特定のＲＶを用いて、アップリンク伝送が送信された場合、そのＲＶに対応するエンコードされたビットのみが伝送される。種々のチャネル符号が、例えば、ターボ符号、低密度パリティ検査（ＬＤＰＣ）符号、Ｐｏｌａｒ符号などのエンコードされたビットを生成するために用いられてよい。ＵＥ内のエラー制御符号器は、チャネル符号化を実行してよい。データをデコードするために、１つの予め定められたＲＶしかない場合に限り、グラントフリーアップリンク伝送において受信したデータのＲＶインデックスを基地局が認識する必要があり得る。
【０３１２】
例えば、１つのＲＳのみが単一のＵＥに割り当てられる場合、ｐ１は、ＵＥ１に割り当てられてよい。２つのＲＳが単一のＵＥに割り当てられる場合、ｐ１１は、初期伝送の試みを示してよく、ｐ１２は、任意の再伝送の試みを示してよい。２より多くのＲＳが単一のＵＥに割り当てられる場合、ｐ１１は、初期伝送を示してよく、各後続の再伝送の試みは、ｐ１２（ＲＶ２）、ｐ１３（ＲＶ３）、ｐ１４（ＲＶ１）などにより示されてよい。
固定されたグループ割り当て
【０３１３】
図５Ｆに示されるように、ＵＥのグループ化は、固定されたグループ割り当てスキームで変更しなくてよい。各ＵＥのグループは、フレーム内の各時間間隔に対して異なるリソース４０２−４０８が割り当てられ得る。ＲＳは、異なるグループ間で再使用されてよいが、ＲＳ衝突を回避するために、同じグループ内のＵＥ間で異なってよい。例えば、ＵＥ１−６は、６つの異なるＲＳシーケンスが割り当てられてよいが、ＵＥ１及びＵＥ７は、同じＲＳシーケンスが割り当てられる。ＵＥは、ブロードキャストチャネル又はＲＲＣシグナリングを通じてグループに割り当てられてよい。グループベースのシグナリング、例えば、グループベースのマルチキャストＤＣＩは、グループのリソースホッピングパターンを変更するために用いられてよい。ＵＥが各グループ間の固定されたＩＤを割り当てられた場合、ＵＥは、余分なシグナリングなしでグループ間のそのＩＤに基づいてそのＲＳを選択してよい。各ＵＥに割り当てられるＲＳは、２つのＵＥが互いに衝突しないように擬似乱数ホッピングパターンに従う。シード又はシーケンスは、ＲＳホッピングパターンを表し得る。ＵＥの数がサポートできる利用可能なＲＳの数より多い場合、ＢＳは、残りのＵＥが物理リソース及びＲＳホッピングパターンをランダムに選択し得るように、ブロードキャスト又はＲＲＣシグナリングを通じて示され得る。
【０３１４】
固定されたグループ化リソースパターンは、巡回シフト方法を用いて生成されてもよい。さらに、時間間隔インデックスｋにおけるＵＥセットｉとＵＥセットｉ−１との間の第１の巡回シフト数は、時間インデックスｋ−１におけるＵＥセットｉとＵＥセットｉ−１との間の第２の巡回シフト数と同じであり、ｋは、１からＭの任意の値であり、ｉは２からＮである。いくつかの実施形態において、時間間隔インデックスｋにおけるＵＥセットｉは、時間間隔インデックスｋ−１におけるＵＥセットｉとの巡回シフト関係を有する。この巡回シフト手順は、同じＵＥが、１フレーム内の異なる時間間隔において異なる周波数位置のインデックスを有することを保証し、周波数ダイバーシチ利得を提供する。
【０３１５】
固定されたグループ化リソースパターンはまた、式ベースのルール、例えば、ＵＥの周波数位置インデックス＝（ＵＥインデックス＋タイムスロットインデックス＋定数）ｍｏｄ（周波数区分の数Ｍ）を用いて生成され得る。固定されたグループのリソースパターンの式（図５Ｆ）と、前述した（図５Ａ）のＵＥの再グループ化したリソースパターンの式との違いは、ＵＥセットインデックスが常に１に設定されることにある。図５Ａにおいて説明されたＵＥの再グループ化リソースパターンと同様に、リソースパターンは、フレーム間で固定されてよく、又は、予め定められたパターンに従ってフレーム間で変化してよい。例えば、フレーム番号及び／又はセルＩＤは、ＵＥの再グループ化したリソースパターン（図５Ａ）に関して説明した方法と同様のやり方で式に加えられてよい。
【０３１６】
図４は、ＵＬのグラントフリー伝送のためのユニバーサルリソース（例えば、ＭＡホッピングパターン）割り当てに関する実施形態に係る方法４００を示し、無線デバイス、例えば、コントローラ（例えば、基地局（ＢＳ）、ｇＮＢなど）により実行され得る。図４を参照すると、方法４００は、段階４１０で始まり、複数のユーザ機器（ＵＥ）は、ＢＳにより、予め定められたルールに基づいて、グループの第１セットにグループ化される。複数のＵＥは、時間−周波数リソースホッピングパターンを生成するために巡回シフトスキーム又は擬似乱数スキームに基づいてグループ化され、複数のＵＥは、ＲＳホッピングパターンを生成するためにＲＳの衝突回避スキームに基づいてグループ化される。上記の巡回シフトスキーム又は擬似乱数スキームに基づいて、ＵＥは、同じＵＥが互いに常に衝突することがないように、各グラントフリーリソースにおいて、異なるようにグループ化され得る。巡回シフトスキームは、ＵＥの数が特定の閾値以下であるときに、パーティションの数が素数であり、グラントフリーリソース機会の数より大きい又はその数に等しい場合に、フレームにおいてＵＥがアクセスできる２つのグラントフリー機会において、２つのＵＥが同じグループに属することはないことを保証し得る。
【０３１７】
上記のＲＳの衝突回避スキームに基づいて、ＲＳシーケンス割り当ては、同じ時間−周波数リソース上でのＲＳ衝突を回避するために、時間−周波数リソース割り当て結果に基づいて決定されてよい。ますます多くのグラントフリーＵＥがシステムに入る場合、ＲＳプールは、直交パイロットシーケンスから非直交パイロットシーケンスに、そして、ランダムなパイロットシーケンスプールへと徐々に拡張してよい。マッピングスキームのインデックスは、トラフィック負荷、複数のＵＥの数、ＲＳリソース又は時間−周波数リソースのうちの少なくとも１つにおける変化に基づいて更新されてよく、当該更新は、システム情報、ブロードキャストチャネル、又は、共通の制御チャネル若しくはＵＥに固有の制御チャネルのうちの少なくとも１つを通じてＵＥに伝送されてよい。これら及び他の態様並びにその他が、以下でより詳細に説明される。
【０３１８】
上記で言及したように、ＲＳ検出は、グラントフリー通信にとって重要であり得、グラントフリー通信に対するＲＳ衝突回避スキームが望ましい。たとえＲＳが本開示における好適な実施形態として説明されていたとしても、本明細書で説明される実施形態は、他の多元接続（ＭＡ）署名にも適用可能であることに留意されたい。ＭＡ署名は、コードブック／コードワード、シーケンス、インタリーバ及び／又はマッピングパターン、復調参照信号（例えば、チャネル推定用の参照信号）、プリアンブル、空間的な次元及びパワー次元のうちの少なくとも１つを含んでよい（が、これらに限定されるものではない）。用語「パイロット」は、参照信号を少なくとも含む信号を指す。いくつかの実施形態において、パイロットは、場合により、チャネル推定指向のプリアンブル又はランダムアクセスチャネル（ＬＴＥのようなＲＡＣＨ）のプリアンブルと共に、復調参照信号（ＤＭＲＳ）を含んでよい。
【０３１９】
いくつかの実施形態において、新たなグラントフリーＵＥがネットワークにアクセスする場合、又は、グラントフリーＵＥがネットワークを離れて、ＭＡリソースを解除する場合、ネットワーク又はＢＳは、上記のルールに基づいて予め定められたＭＡホッピングパターンを更新できる。
【０３２０】
方法４００は、段階４２０に進み、複数のＵＥは、グループの第２セットに再グループ化される。その後、時間−周波数リソースは、第２の時間間隔に対するグループの第２セットに基づいて再度割り当てられる。
【０３２１】
チャネルダイバーシチ及びリソースユニット間のユーザトラフィックの不均衡の利点を利用して、一部のリソースホッピングを伴うＵＥの（再）グループ化は、複数のリソースユニットが伝送スロット毎に利用可能である場合、異なる伝送を考慮できる。すなわち、リソースユニットは、いくつかの予め構成されたホッピングパターンに従う異なる周波数位置において及び異なるタイムスロットを介して構成され得る。そして、ＵＥは、異なるタイムスロットを介して異なるリソースユニットにおける伝送を有することができ、その結果、伝送スロットを介したＵＥの（再）グループ化をもたらす。ここで、異なる伝送は、ＵＥからの初期伝送及び／又は再伝送であり得る。図５Ａから図５Ｄは、同じリソースユニットを共有するＵＥの数が制限され、連続的な再伝送にわたってリソースユニットは異なる周波数位置を有するという思想を明示するための例である。ＵＥの（再）グループ化スキームを用いたそのようなリソースホッピングの利益の１つは、リソースユニット間に不均等なトラフィック負荷が生じた場合に異なるリソースユニット間のリソース利用のバランスを取ることである。
ＵＥのグループ化を再構成しない半静的な更新又はＧＦリソース
【０３２２】
ネットワーク又はＢＳは、トラフィック負荷、ＵＥの数、ＲＳリソース及び／又は物理リソースに従って、グラントフリーリソースの量を更新してよい。グラントフリーリソースは、いくつかの予め画定されたパターンを含んでよく、各パターンは、固定パターンですべてのリソース間に割り当てられるグラントフリーリソースの特定の量を表し得る。実施形態において、グラントフリーリソース構成及び更新は、用いられパターンのインデックスのみを示し得る。ＢＳは、システム情報、ブロードキャストチャネル及び／又は共通の制御チャネルを通じてグラントフリーリソース割り当ての更新をＵＥに通知してよい。
【０３２３】
グラントフリーリソースが増加又は減少した場合、シーケンスは、個々のＵＥにシグナリングすることなく制御される衝突したＵＥのグループ化及びＲＳ衝突のない割り当てを維持するためにパンクチャリングされ得る。図５Ｇに示されるように、グラントフリーリソースを半分に減らした後に、機会の数は、半分に減らされてよいが、最大衝突数及びＲＳリソース要件は、同じままであってよい。図５Ｇに示される例として、グラントフリーリソースの半分が取り除かれているので、自動リソースホッピングシーケンス更新が以下のとおりであってよい。
【０３２４】
ＵＥ１：０、０、０、１＝＞０、０；
【０３２５】
ＵＥ２：０、１、１、１＝＞０、１；
【０３２６】
ＵＥ３：１、０、１、０＝＞１、１；及び
【０３２７】
ＵＥ４：１、１、０、０＝＞１、０、ここで、０、１は、周波数位置インデックスを示し、ｐ１、ｐ２は、同じ時間周波数リソースが割り当てられたＵＥに対する異なるパイロットシーケンスを示す。したがって、元のリソースホッピングシーケンス「０、０、０、１」、「０、１、１、１」、「１、０、１、０」及び「１、１、０、０」は、時間間隔１、２、３及び４用であり、更新されたリソースホッピングシーケンス「０、０」、「０、１」、「１、１」及び「１、０」は、時間間隔１及び３用である。
巡回シフトスキーム
【０３２８】
巡回シフトスキームに基づいたグループ化は、時間−周波数リソースホッピングパターンをグループ化するためであり、時間−周波数リソースホッピングパターンは、時間間隔インデックスｋにおけるＮ個のＵＥセットに割り当てられるＭ個の伝送リソースを有し、ＵＥの各セットは、Ｍ個のＵＥを有し、時間間隔インデックスｋにおけるＵＥセットｉは、時間間隔インデックスｋにおけるＵＥセットｉ−１との巡回シフト関係を有する。いくつかの実施形態において、時間間隔インデックスｋにおけるＵＥセットｉは、時間間隔インデックスｋ−１におけるＵＥセットｉとの巡回シフト関係を有し、ｋは、１からＭの任意の値であり、１からＮである。いくつかの実施形態において、時間間隔インデックスｋにおけるＵＥセットｉとＵＥセットｉ−１との間の第１の巡回シフト数が、時間インデックスｋ−１におけるＵＥセットｉとＵＥセットｉ−１との間の第２の巡回シフト数とは異なり、ｋは、１からＭの任意の値であり、ｉは２からＮである。いくつかの実施形態において、時間間隔インデックスｋにおけるＵＥセットｉとＵＥセットｉ−１との間の第１の巡回シフト数は、時間インデックスｋ−１におけるＵＥセットｉとＵＥセットｉ−１との間の第２の巡回シフト数と同じであり、ｋは、１からＭの任意の値であり、ｉは２からＮである。
【０３２９】
図５Ａから図５Ｄは、巡回シフトスキームに基づいたリソース割り当て及びホッピングスキームの実施形態を示す。図５Ａから図５Ｄ内の各ブロックは、例えば、ＣＴＵ０からＣＴＵ１９は、時間−周波数リソースを表す。たとえ、図５Ａから図５Ｄに示される時間−周波数リソースが等しいとしても、他の実施形態では、各ＵＥのグループに割り当てられる時間−周波数リソースは、互いに等しくなくてよいことに留意されたい。各時間−周波数リソースブロック内の数字０−１９は、ＵＥグループインデックスを示し得る。時間位置インデックス０から４は、時間間隔１から４を表してよく、位置インデックスは、連続する時間間隔及び／又は不連続な時間間隔で存在できる。一実施形態において、時間位置インデックス０から４は、サブフレーム０から３に対応してよい。別の実施形態において、時間位置インデックス０から４は、サブフレーム０、２、４及び６、又は、他の実施形態において他のサブフレームに対応してよい。
【０３３０】
例として図５Ａを挙げると、図５Ａは、各フレーム内の２０個のＣＴＵ領域の予め定められた時間−周波数位置を示す。図５Ａ及び表６に示されるように、２０個のＣＴＵ領域は、ＣＴＵ０からＣＴＵ１９としてインデックス付けされてよい。ＣＴＵ領域の時間−周波数位置及びサイズのようなものは、ＢＳ及びＧＦ  ＵＥの両方に知られている。ＵＥが、アクセスするＣＴＵ領域のインデックスを認識した場合、ＵＥは、アクセスするＣＴＵ領域の物理的な時間及び周波数位置を見つけ出すことができる。表７は、図５Ａに示される異なるＣＴＵ領域の予め定められた時間−周波数位置の表を示す。表は、グラントフリー伝送を実行する前にＵＥにより知られているので、ＵＥは、ＣＴＵインデックスが知られている場合、ＣＴＵ領域の時間周波数位置を見つけ出すことができる。例えば、ＣＴＵ１０は、時間−周波数位置（ｔ３、ｆ１）を有する。時間周波数位置は、タイムスロットのインデックスであってよく、周波数帯又はそれは、既知の開始及び終了帯域幅を有する既知の開始及び終了時間及び周波数帯域を有する時間間隔であってよい。
【表６】
0006838822.tif 000013
【表７】
0006838822.tif 000014
【０３３１】
いくつかの実施形態において、ＣＴＵ領域の時間−周波数位置は、予め定められていないが、半永続的な構成であり得る。それらは、ブロードキャストチャネル又は共通の制御チャネルにおいてシグナリングされ得る。ＵＥは、ネットワークにアクセスする前に、又は、少なくともグラントフリー伝送を実行する前に情報をデコードしてよい。
【０３３２】
サブフレームは、各グラントフリーリソースの時間間隔、又は、ＵＥがグラントフリーリソースにアクセスする少なくとも１つの機会を有する時間間隔を通常表し得る。サブフレームは、ＬＴＥ／５Ｇサブフレーム、タイムスロット、ＴＴＩ、数ミリ秒などであってよい。図５Ａから図５Ｄに示されるサブフレーム又は時間位置インデックス０から３は、異なる物理リソースインデックスにマッピングされ得る論理インデックスであってよい。フレームは、リソース及び／又はＲＳパターンがそれ自体を反復することを開始し得る、又は、予め定められたルールに基づいて変更し得る期間を通常表す。用語「サブフレームインデックス」、「時間位置インデックス」、「時間インデックス」及び「タイムスロットインデックス」は、本開示の全体にわたって互換的に用いられる。 
【０３３３】
ＵＥは、単位時間毎、例えば、ＴＴＩ、時間間隔又はサブフレーム毎に１又は複数のグラントフリーアクセス機会にアクセスすることができ得る。ＵＥは、物理リソース、及び／又は、リソースホッピングパターン及びＲＳインデックス又はＲＳホッピングパターンインデックスを示すＲＳホッピングシーケンスを割り当てられてよい。リソース及びＲＳホッピングパターンは、フレーム内のグラントフリー機会のための異なるリソース及びＲＳ割り当てを含んでよく、フレーム毎の反復パターン、又は、フレーム構造において規定される単位時間／周波数であってよい。ｍＭＴＣにおいて、パターンは、スーパーフレーム内で異なっていてよく、スーパーフレーム毎に繰り返してよい。物理リソース及びＲＳ割り当てパターンは、各フレーム／スーパーフレームにわたって変化してもよいが、ＢＳ及びＵＥの両方に知られる予め定められたルールに従ってよい。
【０３３４】
巡回シフトベースのリソースホッピングパターン生成に関して、Ｍをパーティションの数、例えば、周波数区分（又は、周波数位置インデックスの番号）とし、Ｌを１フレームあたりの各ＵＥに対するグラントフリー機会の数（又は、時間位置インデックスの数）。図５Ａにおいて、Ｍ＝５及びＬ＝４である。Ｍが素数である場合、Ｍ＞＝Ｌであり、ＵＥの数がＭ２より少ない又はＭ２に等しい場合、２つのＵＥがフレーム内の２つの機会において同じグループに属することがないように、すべてのＵＥはグループに割り当てられ得る。）とし、ＵＥの数がＭ×（Ｍ−１）より少ない場合、２つのＵＥがフレーム内の２つの機会において同じグループに属することがないように、また、同じＵＥが、１フレームにおいて異なる時間間隔で異なる周波数位置のインデックスに割り当てられ得るように、すべてのＵＥがグループに割り当てられ得る。
【０３３５】
複数のＵＥのうちの第１のＭ個又はＭ個のＵＥの第１セットに関して、ＵＥインデックスのＭ個の異なる配列が見つけられる可能性があり、Ｍ個の異なる配列のうちのＬ個の配列が選択されてよく、選択されたＬ個の配列は、Ｌ個の時間位置インデックスのうちのＭ個の周波数位置にマッピングされてよい。Ｍ個の異なる配列は、巡回シフトにより１つの配列パターンが生成され得る。例えば、ＵＥインデックス１−５は順番に、Ｍ個の異なる配列｛１  ２  ３  ４  ５｝、｛５  １  ２  ３  ４｝、｛４  ５  １  ２  ３｝、｛３  ４  ５  １  ２｝及び｛２  ３  ４  ５  １｝を含んでよく、巡回シフト数０、１、２、３、４を巡回シフト配列｛１  ２  ３  ４  ５｝によりそれぞれ有する生成される。この巡回シフト手順は、同じＵＥが、１フレーム内の異なる時間間隔において異なる周波数位置のインデックスを有し、周波数ダイバーシチ利得を提供することを保証する。
【０３３６】
一般に、Ｍ個の配列の中から任意のＬ個は、グラントフリーリソースパターン生成のために用いられ得る。この例では、Ｌ＝４なので、第１の４つの配列のみがフレーム内のグラントフリー機会のために用いられる。第１の４つの配列｛１  ２  ３  ４  ５｝、｛５  １  ２  ３  ４｝、｛４  ５  １  ２  ３｝及び｛３  ４  ５  １  ２｝は、それぞれ、時間間隔１、２、３及び４に対して用いられ得る。各配列におけるインデックスの順序は、周波数位置インデックスに対応する。次のＭ個のＵＥ又はＭ個のＵＥの第２セットに関して、以前のＭ個のＵＥ割り当ては、Ｍ個のＵＥの第１セットの位置に関連するサブフレームインデックス又は同じサブフレーム内の時間位置インデックス｛６  ７  ８  ９  １０｝、｛９  １０  ６  ７  ８｝、｛７  ８  ９  １０  ６｝及び｛１０  ６  ７  ８  ９｝により巡回的にシフトされ得る。同様に、サブフレーム又は時間位置毎に対するＭ個のＵＥの次のセットは、Ｍ個のＵＥの以前のセットに関連するサブフレームインデックス｛１１  １２  １３  １４  １５｝、｛１３  １４  １５  １１  １２｝、｛１５  １１  １２  １３  １４｝及び｛１２  １３  １４  １５  １１｝により巡回的にシフトされ得る。したがって、最後のＭ個のＵＥ又はＵＥの第４セットのマッピングは、４つの時間間隔に対して、｛１６  １７  １８  １９  ２０｝、｛１７  １８  １９  ２０  １６｝、｛１８  １９  ２０  １６  １７｝及び｛１９  ２０  １６  １７  １８｝であってよい。サブフレームインデックスによる巡回シフトは、本開示における好適な実施形態として用いられており、別の実施形態では、巡回シフト手順のために別の数が用いられてもよいことに留意されたい。
【０３３７】
対応するサブフレームのためのセットから同じ位置のＵＥが１つのグループにグループ化され、同じ時間−周波数リソースに割り当てられてよい。例えば、時間間隔１において、ＵＥ１、６、１１及び１６は、各セットの第１の位置において、時間−周波数リソースＣＴＵ０にグループ化されて割り当てられる。ここで、用語「セット」及び「グループ」は、リソース割り当てに対するＵＥの配列及びＵＥのグループを区別するために用いられていることに留意されたい。例えば、ＵＥ１−５は、ＵＥの第１セットにあるが、リソース割り当てのために異なるグループにある。例として図５Ａの時間間隔１、２、３及び４を挙げると、時間間隔１と比較して、時間間隔２におけるＵＥ１からＵＥ５で構成される第１のＵＥセットについての巡回シフト数は１であり、時間間隔２と比較して、時間間隔３におけるＵＥ１からＵＥ５で構成される第１のＵＥセットについての巡回シフト数は１であり、時間間隔３と比較して、時間間隔４におけるＵＥ１からＵＥ５で構成される第１のＵＥセットについての巡回シフト数は１である。時間間隔１と比較して、時間間隔２におけるＵＥ６からＵＥ１０で構成される第２のＵＥセットについての巡回シフト数は２であり、時間間隔２と比較して、時間間隔３におけるＵＥ６からＵＥ１０で構成される第２のＵＥセットについての巡回シフト数は２であり、時間間隔３と比較して、時間間隔４におけるＵＥ６からＵＥ１０で構成される第２のＵＥセットについての巡回シフト数は２である。時間間隔１と比較して、時間間隔２におけるＵＥ１１からＵＥ１５で構成される第３のＵＥセットについての巡回シフト数は３であり、時間間隔２と比較して、時間間隔３におけるＵＥ１１からＵＥ１５で構成される第３のＵＥセットについての巡回シフト数は３であり、時間間隔３と比較して、時間間隔４におけるＵＥ１１からＵＥ１５で構成される第３のＵＥセットについての巡回シフト数は３である。時間間隔１と比較して、時間間隔２におけるＵＥ１６からＵＥ２０で構成される第４のＵＥセットについての巡回シフト数は４であり、時間間隔２と比較して、時間間隔３におけるＵＥ１６からＵＥ２０で構成される第４のＵＥセットについての巡回シフト数は４であり、時間間隔３と比較して、時間間隔４におけるＵＥ１６からＵＥ２０で構成される第４のＵＥセットは４である。 
【０３３８】
図５Ａと比較すると、図５Ｂにおける違いは、時間間隔４におけるＵＥのグループ化パターンの第１から第４のＵＥのセットが時間間隔２に移動し、時間間隔２におけるＵＥのグループ化パターンが時間間隔３に移動し、時間間隔３におけるＵＥのグループ化パターンが時間間隔４に移動したことにある。この代替的な設計に基づいて、時間間隔１から４における時間−周波数リソースホッピングパターンは、依然として、２つのＵＥが時間間隔１から４において同じＣＵＴを割り当てられることができないという要件を満たすことができる。しかしながら、図５Ｂのみが一例を示しており、ある時間間隔におけるＵＥのグループ化パターンは、他の時間間隔に移動され得ることが理解されるべきである。
【０３３９】
物理リソースは、フレーム毎に用いられるグラントフリー（ＧＦ）リソースの特有の定義を提供するＵＥに割り当てられてよい。フレーム内の時間−周波数リソースは、この目的のために区分けされてよい。例えば、アップリンク伝送帯域幅全体が、期間、例えば、フレーム内の各タイムスロットに対する区分の数に分割されてよく、時間−周波数リソースブロックは、ＵＥに割り当てられてよい。物理リソース割り当てパターンは、フレーム内で異なっていてよく、フレーム毎に繰り返してよい。物理リソース割り当てパターンは、各フレームにわたって変化してもよいが、ＢＳ及びＵＥの両方に知られる予め定められたルールに従ってよい。例えば、これは、本開示において後でより詳細に説明されるように、フレーム番号の付加を通じて実現され得る。図５Ａと比較すると、図５Ｃにおける違いは、フレームｎの時間間隔１から４におけるＵＥのグループ化パターンの第１から第４のＵＥのセットが、フレームｎ＋１の時間間隔１から４において同じグループ化パターンを有することにある。図５Ｃのみが異なるフレームにおける同じグループ化パターンの例を提供しているが、代替的な実施形態では、異なるフレーム内の異なるグループ化パターンが適合され得、例として、フレームｎは、図５Ａのグループ化パターンに適合し、フレームｎ＋１は、図５Ｂのグループ化パターンに適合する。 
【０３４０】
図５Ｃはまた、上記で説明したように、ＡＣＫを受信するまで、自動的な再伝送に関するリソース割り当てスキームを示す。図示されるように、フレームｎの時間インデックス１の前に、伝送するためのデータがＵＥ１に到着し、ＵＥ１が周波数インデックス１を有するリソースを用いてフレームｎの時間インデックス１においてデータの初期伝送を実行する。フレームｎの時間インデックス２及び３並びにフレーム（ｎ＋１）の時間インデックス０において、ＵＥ１は、２、３及び０の周波数インデックスを有するリソースを用いて第１、第２及び第３のデータの再伝送をそれぞれ実行する。ＵＥ１は、フレーム（ｎ＋１）の時間インデックス１においてＡＣＫを受信した後に再伝送を停止する。
【０３４１】
図５Ｃと同様、ＵＥが時間インデックス１と時間インデックス２との間に到着した場合、ＵＥ１は、周波数インデックス２を有するリソースを用いて、フレームｎの時間インデックス２においてデータの初期伝送を実行してよく、そして、ＵＥ１は、フレームｎの時間インデックス３、周波数インデックス３、及び、フレームｎ＋１の時間インデックス０、周波数インデックス０をそれぞれ有するリソースを用いてデータの第１及び第２の再伝送（又は、反復）を実行できる。伝送／反復の回数がＫに達した場合、又は、再伝送を示すＵＬのグラントが受信された場合、ＵＥは、再伝送／反復を停止してよく、任意選択的に、ＵＥがＢＳからＡＣＫを受信した場合、反復が停止されてもよい。
【０３４２】
ＵＥの再伝送スキームと組み合わせた場合、固定されたグループ化スキーム（例えば、図５Ｆに規定されるリソースパターン）と比較して、図５Ａから図５Ｄに規定されるリソースホッピングパターンを用いたＵＥの再グループ化スキームについてのいくつかの利点がある。第１に、図５Ｃから分かり得るように、同じＵＥに対して連続的な再伝送にわたってリソースユニットは、異なる周波数位置を有し、これは、伝送／再伝送が同じ周波数帯で行われる場合と比較して、周波数ダイバーシチ利得を提供する。第２に、図５Ａから図５Ｄ及び図５Ｆのすべてにおける設計は、最大数に対して、各ＣＴＵにおける潜在的な衝突の回数を制限した（２０個のＵＥに対して、図５Ａから図５Ｄ及び図５Ｆの例では４）。第３に、ＵＥの再グループ化スキームは、同じデータの伝送及び再伝送についての異なる試みにおいて、２つ又はそれより多くのＵＥの連続伝送を回避できる。例えば、ＵＥ１及びＵＥ１０は、図５Ｃにおける同じＣＴＵ６において初期のグラントフリー伝送を実行し得る。次の時間間隔において、ＵＥ１の再伝送はＣＴＵ１２にホッピングされ、一方、ＵＥ１０の再伝送はＣＴＵ１３にホッピングされ、したがって、次の時間間隔における２つのＵＥの連続的な衝突を回避する。図５Ｆに規定されるような固定されたＵＥのグループ化スキームに関して、初期伝送において衝突する２つのＵＥは、再伝送において連続的に衝突し得る。第４に、ＵＥの再グループ化は、ユーザトラフィックの不均衡により良好に対処できる。例えば、図５Ａから図５Ｄにおいて、ＣＴＵ０内のＵＥグループ（ＵＥ１、ＵＥ６、ＵＥ１１、ＵＥ１６）のすべてが、高い確率で衝突し得る他のＵＥと比較して非常に高いデータ到着率を有し、次のスロットにおいて、ＵＥの再グループ化に起因して、４つのＵＥは異なるグループに再分散され、したがって衝突確率を低減する。したがって、リソースホッピングパターンを設計するために用いられる巡回シフト及び他の方法は、連続的な又は近い時間間隔で複数の場所において２つのＵＥが共にグループ化される確率を低減することを目標とする。
【０３４３】
図５Ｃは、図５Ａに規定されるリソースパターンを有する図３Ｂの処理の例を示す。図５Ｃには、フレーム毎に繰り返されるリソースパターンを有する２つのフレームが示される。この例では、リソース割り当てから、ＵＥ１は、ＵＥ１に対するリソースホッピングパターン又はシーケンスがＣＴＵ０、ＣＴＵ６、ＣＴＵ１２、ＣＴＵ１８であることを見つけ出す。ＵＥ１に対するデータの第１のバッチが時間位置インデックス０及び１の間に到着する。したがって、ＵＥ１に対する次の時間間隔は時間位置１である。したがって、ＵＥ１は、フレームｎのリソース領域ＣＴＵ６、フレームｎのＣＴＵ１２、フレームｎのＣＴＵ１８及びフレームｎ＋１のＣＴＵ０におけるデータの第１のバッチの連続的な伝送／再伝送を実行する。そして、ＵＥ１は、フレームｎ＋１における時間位置０及び１の間にＴＲＰからＡＣＫを受信する。結果として、ＵＥ１は、データの第１のバッチのいずれかのさらなる再伝送を停止する。
【０３４４】
リソース割り当てパターン、例えば、図５Ａにより規定されるものを生成するために、２つの方法、すなわち、巡回シフト方法及び擬似乱数方法が上記で説明されている。同じＵＥが常に互いに衝突しないように、ＵＥは、各グラントフリーリソースにおいて異なるようにグループ化されてよい。巡回シフト方法は、ＵＥの総数が、ある閾値以下であるときに、パーティションの数が素数であり、グラントフリーリソース機会の数より大きい又はその数に等しい場合、ＵＥが、フレームにおいてアクセスできる２つのグラントフリー機会において同じグループに２つのＵＥが属することはないことを保証し得る。
【０３４５】
図５Ｄは、図５Ａ、５Ｂ及び５Ｃと比較した、例示的なリソースグループホッピング、及び、再伝送に従うＵＥのリソース再グループ化を示し、図５Ｄにおける違いは、ＣＴＵ５が、図５Ａにおける周波数リソースｆ１ではなく周波数リソースｆｎを占有しており、ＣＴＵ１５が、図５Ａにおける周波数リソースｆ１ではなく、周波数リソースｆｎを占有していることにある。異なる周波数リソースを用いることで、再伝送スキームと組み合わせられた場合、いくつかの周波数ダイバーシチ利得を提供し得る。
擬似乱数方法ベースのリソースホッピングシーケンス生成
【０３４６】
リソースホッピングパターン生成は、擬似乱数スキームを用いて生成されてもよい。擬似乱数方法は、一旦決定すると、その後にグループ化が固定され得ることを意味する。１つの擬似乱数方法は、以下のように生成され得る。第１のＭ個のＵＥが別個の配列を用いてグループに割り当てられた後に、Ｍ個のＵＥの第１セットと衝突し得るＵＥの第２及び後続のセットは、フレーム内の第１のサブフレーム又は時間間隔に対するＵＥの第１セットと同じ順序で割り当てられ得る。ＵＥの第１セットは、ＵＥ１−Ｍであり、ＵＥの第２セットは、ＵＥ（Ｍ＋１）−（２Ｍ）であり、ＵＥの第３セットは、ＵＥ（２Ｍ＋１）−（３Ｍ）などである。第２及び各後続のサブフレームに関して、周波数区分は、前にＵＥと共にグループ化されているすべて他のＵＥを回避するために、ＵＥに対してランダムに選択され得る。さらに、１つのＵＥが選択した区分はまた、以前のＵＥが同じセットにおいて選択したすべての区分を制限すべきである。例えば、ＵＥ８及びＵＥ３は、第１のサブフレームにおいて同じグラントフリーリソースにアクセスできるので、ＵＥ８は、第２のサブフレームにおけるＵＥ３と同じ区分を選択することを回避する。さらに、ＵＥ８は、ＵＥ６及び７が同じセットにあるので、これらを有するグループに配置されない可能性がある。
【０３４７】
別の実施形態において、擬似乱数方法ベースのリソースホッピングシーケンスは、以下のやり方で生成され得る。前に規定されたようなＭ個のＵＥのセットに関して。ＢＳは、Ｍ個のＵＥインデックスについてのすべて可能な配列をリストアップしてよい。例えば、図５ＡにおけるＭ個のユーザの第１セットに関して、Ｍ＝５であり、我々は、配列｛１、２、３、４、５｝、｛１、３、５、４、２｝、｛２、１、４、３、５｝、｛３、４、５、２、１｝、｛５、１、４、２、３｝などを有することができる。そして、ＢＳは、時間位置インデックス毎に、（例えば、図５Ａにおける）リソース割り当てパターンでＬ個のサブフレームにマッピングされるすべての可能な配列の中からＬ個の配列をランダムに選択できる。固定又はホッピングのいずれかであるが、同じグループ内の他のＵＥとのＲＳ衝突がないことを保証しつつ、ＲＳは、前述と同じ方法により決定され得る。そして、ＢＳは、ＵＥにマッピングするリソースグループ化から決定されたリソース及びＲＳホッピングシーケンスを送信してよい。
【０３４８】
別の実施形態において、上記の擬似乱数方法は、ＵＥの数が閾値より大きい場合に、巡回シフト方法の最上位に適用され得る。これは、ＵＥの数が一定の数より多い場合、２つのＵＥがフレーム内で同じグラントフリーリソースに２回アクセスすることがないことを保証でき得るわけではないからである。この場合、ＵＥの数が閾値より大きい場合、擬似乱数方法を適用したほうがより良いかもしれない。例えば、図５Ａでは、ＵＥの数が２０より大きい場合、擬似乱数スキームを適用してよい。
ＲＳパターン
【０３４９】
ＲＳシーケンス割り当ては、同じ時間−周波数リソース上でのＲＳ衝突を回避するために、時間−周波数リソース割り当て結果に基づいて決定されてよい。ＲＳは、テーブル８に示されるように、フレーム全体についてＵＥの各セットに割り当てられてよく、例えば、ＲＳ  Ｐ１―Ｐ６は、Ｐ１をＵＥ１−５に、Ｐ２をＵＥ６−１０に、Ｐ３をＵＥ１１−１５に、Ｐ４をＵＥ１６−２０に、Ｐ５をＵＥ２１に、グラントベース（ＧＢ）の通信用に予約されたＰ６として、割り当てられてよい。代替的に、ＵＥの各セットは、依然として同じＲＳが割り当てられてよいが、ＲＳは、テーブル９に示されるように、フレーム内のサブフレームにわたってホッピングされてよい。Ｐ１−Ｐ６は、同じＲＳ、異なるＲＳホッピングパターン又は（例えば、再伝送識別のための）複数のＲＳタプルを表してよい。したがって、同じ物理リソース内で異なるＵＥに割り当てられたＲＳインデックスに関して、ＲＳは、例えば、伝送時間間隔（ＴＴＩ）毎にＲＳインデックスの配列を用いることにより区別し得る。例えば、ＲＳホッピングインデックス１から６は、Ｐ１：１、２、３、４、Ｐ２：２、３、４、５、Ｐ３：３、４、５、６、Ｐ４：４、５、６、１、Ｐ５：５、６、１、２、Ｐ６（あらゆる機会を利用可能にするＧＢ用に又はＧＦ  ＵＥ用に予約されている）：６、１、２、３を意味し得る。
【表８】
0006838822.tif 000015
【表９】
0006838822.tif 000016
【０３５０】
上記の例は、１フレーム内のＲＳ割り当てを示す。ＲＳ割り当ては、ＲＳ衝突を回避しつつフレーム間で変化し得る。例として、各ＵＥは、フレーム番号ｍｏｄＲＳの総数をインデックスに加えてよい。別の例として、ＲＳ割り当て又はＲＳインデックスは、フレーム上でホッピングしており、例えば、ＲＳインデックス＝フレーム０に対して割り当てられたインデックス＋（フレーム＃）＋（セルＩＤ）ｍｏｄ（利用可能なＲＳの合計）である。用語「フレーム＃」及び「（セルＩＤ）ｍｏｄ（利用可能なＲＳの合計）」は、この式において任意選択的である。ここで、用語「フレーム＃」は、フレームインデックスを示し、ｍｏｄは剰余演算子を示す。代替的に、ＲＳインデックスは、例えば、各ＧＦ機会において、ＲＳ衝突がないことを保証するために、フレーム内のサブフレーム又は時間間隔にわたってホッピングされ得る。例えば、フレーム０＋（フレーム＃）＋（セルＩＤ）ｍｏｄ（利用可能なＲＳの合計）＋（サブフレーム＃）ｍｏｄ（利用可能なＲＳの合計）に対して、ＲＳインデックス＝割り当てられたインデックスであり、「フレーム＃」、「（セルＩＤ）ｍｏｄ（利用可能なＲＳの合計）」及び「（サブフレーム＃）ｍｏｄ（利用可能なＲＳの合計）」は任意選択的である。
【０３５１】
リソース割り当てパターンのサブフレーム／時間位置インデックスは、時間−周波数リソースの利用及び／又は通信効率を向上させるために、例えば、周波数ダイバーシチを最大化させるために、シャッフルされ得る。例として、図５Ａに示されるような上記の方法から取得される元の時間−周波数割り当て結果は、図５Ｂに示される結果を取得するためにシャッフルされ得る。図５Ａ及び図５Ｂに示される例と同様に、図５Ａの時間間隔２における割り当て結果は、図５Ｂの時間間隔３に移動し、図５Ａの時間間隔４における割り当て結果は、図５Ｂの時間間隔２に移動する。代替的に又はさらに、同じ時間間隔におけるグループに対応する周波数位置インデックスは、シャッフルされ得る。例えば、同じ時間間隔における周波数インデックス０及び周波数インデックス１が交換され得る。したがって、図５Ｂにおいて、ＣＴＵの割り当て結果が交換され得る。
【０３５２】
上記の時間−周波数割り当て方法は、例えば、ＵＥ＝（ＵＥインデックス＋（ＵＥセットインデックス）×タイムスロットインデックス＋定数）ｍｏｄ（周波数区分の数Ｍ）の周波数位置インデックスなどの式で表されてよく、ＵＥセットインデックス＝ｆｌｏｏｒ（（ＵＥインデックス１）／Ｍ）＋１であり、時間位置インデックス及び周波数位置インデックスは０で始まる。例えば、ＵＥ１２及びＭ＝５に関して、ＵＥセットインデックス＝２である。時間位置インデックス２において、定数＝−１を用いることで、図５Ａに示されるように、ＵＥ＿１２の周波数インデックス＝（１２＋３×２−１）ｍｏｄ５＝２となる。
【０３５３】
別の実施形態において、タイムスロット又は時間位置インデックスは、サブフレームインデックス又はいくつかの他の時間インデックスであってよい。さらに別の実施形態において、フレームインデックスが加えられてよく、上記の式は、ＵＥの周波数インデックス＝（ＵＥインデックス＋（ＵＥセットインデックス）×タイムスロットインデックス＋フレームインデックス＋定数）ｍｏｄ（周波数区分の数Ｍ）となる。さらに別の実施形態において、セルＩＤが加えられてよく、上記の式は、ＵＥの周波数位置インデックス＝（ＵＥインデックス＋ＵＥセットインデックス）×タイムスロットインデックス＋セルＩＤ＋定数）ｍｏｄ（周波数区分の数Ｍ）となり得る。式の後に、タイムスロット及び／又は周波数インデックスは、上記で言及したようにシャッフルされ得る。シグナリングは、ＢＳがＵＥインデックスをシグナリングすることしか必要としないので、非常にリソース効率が良い可能性がある。時間−周波数割り当て結果は、式がＵＥに対する事前知識である場合、当該式からＵＥにより生成され得る。
【０３５４】
（Ｌ＋１）番目のグラントフリー機会又は時間間隔から、ＵＥのグループ化が第１のＬ番目のグラントフリー機会と同様に反復され得る。実施形態において、グループ化は、より良好な周波数ダイバーシチを実現するために、リソースマッピング用に再度シャッフルされてよい。
【０３５５】
図３Ａに戻って参照すると、段階３０２において、ＢＳは、ＵＥに対して用いられる伝送リソースを選択した後に、ＵＥにＵＬ伝送リソース割り当てを送信する。本実施形態では、伝送割り当てを割り当てるために３つのオプションがある。
【０３５６】
オプション１：ＵＬ伝送リソース割り当ては、ＵＥに割り当てられた伝送リソースホッピングパターンを示すＵＥインデックスを含む。段階３０１において、ＢＳは、物理リソース及びＲＳのうちの少なくとも一方をＵＥに割り当てることを含み得るグラントフリーＵＥに対する伝送リソースを選択する。ＢＳは、リソース割り当てパターンに従って伝送リソースを割り当ててよい。リソース割り当てパターンは、物理リソース割り当てパターン及びＲＲＣ割り当てパターンのうちの少なくとも一方を含んでよい。物理リソース割り当てパターンは、異なるＵＥがアクセスできるＣＴＵ領域を規定してよい。図５Ａは、そのような物理リソース割り当てパターンの例を示す。図５Ａにおいて、ＣＴＵ領域枠内のインデックスは、このＣＴＵ領域にアクセスすることが可能なＵＥを指す。例えば、割り当てられたインデックス１、６、１１、１６を有するＵＥは、ＣＴＵ０にアクセスできる。表８は、ＲＲＣ割り当てパターンの例を示す。一実施形態では、段階３０２において、ＢＳのみがＵＥインデックスをＵＥに割り当てており、ＵＥは、表１０に基づいて、ＵＥがアクセスできるＣＴＵ領域、及び、リソース割り当てパターン及びＲＲＣ割り当てパターンから用いられるＲＳを見つけ出すことができる。表４は、図５Ａ及び表８及び表９から導出されるリソース及びＲＳホッピングパターンにＵＥインデックスのマッピングを規定する表を提供する。例えば、ＵＥが、ＵＥインデックス５を割り当てられている場合、ＵＥは、ＣＴＵ領域、ＣＴＵ４、ＣＴＵ５、ＣＴＵ１１、ＣＴＵ１７にアクセスでき、ＲＳ  ｐ１、ｐ１、ｐ１、ｐ１、をそれぞれ用いる。ＵＥがＣＴＵインデックスを決定すると、ＵＥは、アクセスでき、ＵＥは、予め定められた又はシグナリングされたＣＴＵの位置テーブル（例えば、表８）を用いて、アクセスできる物理リソースの時間−周波数を取得できる。同様に、ＵＥは、ＲＳインデックスに基づいて用いられるＲＳシーケンスを見つけ出すことができる。
【表１０】
0006838822.tif 000017
【０３５７】
段階３０１において、ＢＳは、ＵＥがシステムにアクセスする順序に基づいて、ＵＥにリソースを割り当てることを選択してよい。例えば、システムにアクセスする第１のグラントフリーＵＥは、リソース割り当てパターンでＵＥインデックス１を割り当てられ得る。システムにアクセスする第２のグラントフリーＵＥは、ＵＥインデックス２などを割り当てられ得る。グラントフリーＵＥがもはや接続された状態ではない、又は、もはやグラントフリーリソースを必要としていない場合、ＢＳは、このＵＥに以前に割り当てられたのと同じインデックスを、システムに接続される新たなグラントフリーＵＥに再び割り当ててよい。いくつかの実施形態において、ＢＳ又はＴＲＰは、他の順序に基づいて、リソースを割り当ててよい。例えば、ＢＳは、閾値以下であり、前に用いられていたＵＥインデックスの中からインデックスをランダムに取り出し、システムに接続される新たなＵＥにそれを割り当ててよい。
【０３５８】
オプション２：ＵＬ伝送リソース割り当ては、ＵＥに割り当てられた伝送リソースホッピングパターンを示すＣＴＵインデックスを含む。段階３０１において、ＢＳは、グラントフリーＵＥに対して伝送リソースを選択し、ＴＲＰ又はＢＳは、ＵＥがアクセスできるＣＴＵ領域のインデックスをシグナリングしてよい。ＣＴＵインデックスから、ＵＥは、アクセスできるリソースの物理的な位置を取得できる。また、ＢＳは、ＲＳインデックスをＵＥに直接シグナリングしてよく、ＣＴＵインデックス及びＲＳインデックスは、同じ伝送リソース割り当てにおいて搬送されることができる、又は、別個の伝送リソース割り当てにより送信されることができる。例えば、図５Ａに規定されるリソース割り当てパターンによれば、ＵＥにインデックス５を割り当てる代わりに、ＢＳは、ＣＴＵ領域のインデックス、ＣＴＵ４、ＣＴＵ５、ＣＴＵ１１、ＣＴＵ１７を直接的にシグナリングしてよい。ＵＥがアクセスできるＣＴＵ領域のインデックスは、リソースホッピングパターン又はリソースホッピングシーケンスと称されることがある。本例においても同様に、ＢＳは、実際のＲＳインデックスｐ１、ｐ１、ｐ１、ｐ１をシグナリングしてもよく、４つのＣＴＵ領域に対してそれぞれアクセスするために用いられるＲＳインデックスを指し得る。ＵＥに対してすべてのＣＴＵ領域にアクセスするために用いられるＲＳインデックスは、ＲＳホッピングパターン又はＲＳホッピングシーケンスと称されることがある。いくつかの実施形態において、ＵＥ毎のＲＳインデックスは、フレーム全体にわたって固定され得る。この場合、ＢＳは、ＵＥ５に対するすべてのＣＴＵ領域に対して、単一のＲＳインデックスｐ１をシグナリングすることを選択してよい。いくつかの実施形態において、ＴＲＰは、ＵＥにより用いられる実際のＲＳシーケンスのいくつかのパラメータをシグナリングしてよい。例えば、Ｚａｄｏｆｆ  Ｃｈｕシーケンスが用いられる場合、ＢＳは、Ｚａｄｏｆｆ  Ｃｈｕシーケンスに用いられるルートインデックス及び巡回シフトをシグナリングしてよい。 
【０３５９】
リソース割り当てパターンに関して、ＣＴＵ領域は、２次元インデックスによりインデックス付けされてもよく、通常、時間及び周波数位置インデックスを含み、実際の時間及び周波数位置に基づいて区分けされる。例えば、図５Ａにおいて、２０個のＣＴＵ領域は、時間位置インデックス０から３を有するリソース領域で構成される４つのセットに分割され得る。各時間位置インデックスは、周波数位置インデックス０から４によりさらにインデックス付けされる５つのＣＴＵ領域を包含してよい。ＣＴＵ４は、時間間隔１及び周波数帯ｆ５の物理リソース位置に対応する時間位置インデックス０及び周波数位置インデックス４に対応し得る。時間位置インデックスは、異なるサブフレーム、異なる時間間隔などに対応し得る。本開示では、時間位置インデックス、タイムスロットインデックス及びサブフレームインデックスが互換的に用いられてよい。周波数位置インデックスは、異なる周波数帯に対応してよい。時間位置インデックス及び周波数位置インデックスは、論理インデックスであってよく、実際の物理的な時間及び周波数リソースに対して異なるマッピングを有することができる。
【０３６０】
上述のように、いくつかの実施形態において、同じ時間位置又は周波数位置インデックスを有するＣＴＵは、実際の物理的な時間又は周波数位置に必ずしも位置合わせされる必要はないかもしれない。異なる時間位置インデックスにおける同じ周波数位置インデックスは、異なる物理的な周波数帯に対応し得る。これは、２つのＣＴＵ領域が同じＵＥに割り当てられる場合に、リソース周波数ホッピングを通じて周波数ダイバーシチ利得を提供するという利点を有する。
【０３６１】
オプション３：ＵＬ伝送リソース割り当てはＣＴＵ領域の各時間位置インデックスに対応する周波数位置インデックスを含み、ＵＥに割り当てられた伝送リソースホッピングパターンを示す。段階３０１において、ＢＳは、グラントフリーＵＥに対する伝送リソースを選択し、ＴＲＰは、各時間位置インデックスにおいてＵＥがアクセスできるＣＴＵ領域の周波数位置インデックスをシグナリングしてよい。例えば、図５Ａに規定されるリソース割り当てパターンによれば、ＵＥにインデックス５を割り当てる代わりに、ＴＲＰは、各時間位置インデックス４、０、１、２においてＵＥがアクセスできるＣＴＵ領域の周波数位置インデックスのシーケンスを直接的にシグナリングしてよい。ＵＥインデックスと、図５Ａから導出された各時間位置インデックスにおけるＣＴＵ領域の周波数位置インデックスとの間のマッピングが表７から表１０に示される。ＵＥがアクセスできるＣＴＵ領域の周波数インデックスについてのこのシーケンスは、リソースホッピングパターン又はリソースホッピングシーケンスとも称され得る。
【０３６２】
図５Ｅは、ＵＥ及びＲＳ空間拡張スキームの実施形態を示す。この例では、ＲＳ割り当て空間は、パイロットシーケンス又はＲＳシーケンスに基づいて徐々に拡張する。具体的には、ＲＳ割り当て空間は、最初に、直交パイロットシーケンス空間５０６から、非直交パイロットシーケンス空間５０４へと、最終的には、ランダムなパイロットシーケンスプール５０２へと拡張してよい。
【０３６３】
登録される第１のＵＥの数は、２つのＵＥが同時に同じグラントフリーリソースにアクセスできることがないように異なるリソースに割り当てられてよく、空間５０８におけるこのスキームは、コンテンションフリーな半永続的なスケジューリング（ＳＰ）スキームと同様であってよい。この場合、各ＵＥは、同じＲＳ又は異なるＲＳを割り当てられてよく、ＲＳ又データ衝突が起こることはない。図５Ａから、リソース及びＲＳ割り当てがこの目標を達成できる。例えば、５個のグラントフリーＵＥのみがシステムに接続されている場合、ＢＳは、図５Ａのリソース割り当てパターンに従って、ＵＥインデックス１−５を５個のＵＥに割り当てることができる。この状況において、グラントフリーアクセスは、２つのＵＥが同じ領域にアクセスすることはできないので、コンテンションフリーである。さらに、ＵＥのリソースは、異なる周波数帯にホッピングされ、したがって、再伝送のためのダイバーシチ利得をもたらす。
【０３６４】
ＲＳ空間は、ＵＥの総数が閾値を超える場合、直交ＲＳ空間２０６へと拡張され得、通常、コンテンションフリーＳＰＳスキームがサポートできるＵＥの数に対応する。この場合、複数のＵＥは、同じグラントフリーリソースに割り当てられてよく、同じグラントフリーリソース領域にアクセスするＵＥは、別個の直交ＲＳを割り当てられてよい。ＲＳ空間は、ＵＥの総数が、直交パイロットシーケンスがサポートし得る数を超える場合、非直交ＲＳ空間に拡張し得る。新たな非直交ＲＳシーケンスは、接続された状態に新しく入ったＵＥに割り当てられ得る。非直交ＲＳ空間は、依然としてパイロット衝突がないことを保証し得る。ＵＥの数が、非直交パイロットシーケンスがサポートし得る数をさらに超える場合、又は、ＵＥが、その現在のＲＳ割り当てを認識していない場合、ＵＥは、ランダムなＲＳ空間５０２からＲＳをランダムに選択してよく、利用可能なＲＳの中からランダムホッピングを行う。
【０３６５】
コンテンションフリーＳＰＳスキームを用いて、図５Ａに示されるような５つの周波数区分を有する例として、最大で５つのＵＥが直交シーケンス（ＯＳ）でサポートされ得る。各ＵＥは、１つの別個の周波数リソースブロックで割り当てられ得る。ＳＰＳ空間５０８内のすべての５つのＵＥは、同じＲＳ、固定されたＲＳホッピングインデックス、又は、異なるＲＳを割り当てられ得る。Ｚａｄｏｆｆ  Ｃｈｕシーケンスの６個の巡回シフト（ＣＳ）及び１つのルートに関して、６個の直交パイロットシーケンスが取得されてよく、高信頼性低レイテンシ通信（ＵＲＬＬＣ）と同様に、最大で３０個のＵＥがＲＳ衝突なく６個の直交パイロットシーケンスを用いて直交ＲＳ空間５０６においてサポートされ得る。６個の直交パイロットシーケンス及び３０個のルートが利用可能な場合、１８０個の非直交パイロットシーケンスが取得され得る。ＵＲＬＬＣ又は大容量タイプ通信（ｍＭＴＣ）と同様に、最大で９００個のＵＥがＲＳ衝突なく非直交ＲＳ空間５０４においてサポートされ得る。ＢＳがＲＳシーケンスをＵＥに割り当てるスキームに関して、ＵＥがもはやアクティブでない場合、例えば、時間の予め定められた期間中、非アクティブである場合、ＢＳは、新たに接続されたＵＥに対する割り当てられたＲＳシーケンス及びホッピングリソースを解除し得る。ランダムなＲＳ空間５０２は、例えば、ｍＭＴＣと同様に、ランダムＲＳ又は物理リソース選択を用いて、大量の接続のために、任意の数のＵＥをサポートしてよい。非直交パイロットシーケンスは、可能性のあるＲＳ衝突をもたらし得る。未接続の状態にあるＵＥにＲＳシーケンスを割り当てることはＢＳにとって困難であるかもしれないので、ランダムなＲＳ空間５０２は、未接続の状態にあるＵＥをサポートしてよい。
【０３６６】
ＵＥが初期アクセスを実行する場合、時間周波数リソース及びＲＳホッピングパターンインデックスのうちの少なくとも１つが、フレーム毎に用いられるＲＳ及びグラントフリー（ＧＦ）リソースについての特有の定義を提供するユーザに割り当てられ得る。周波数及び時間リソースは、物理リソースの例である。物理リソース及びＭＡ署名又はＲＳシーケンスは、ＲＲＣシグナリングのような上位層シグナリングを介して、又は、初期アクセス中、例えば、初期アクセス又はランダムアクセス手順のランダムアクセス応答（ＲＡＲ）中に割り当てられてよい。アクティブなＵＥは、初期アクセス中又は無線リソース制御（ＲＲＣ）接続ステージ中に、リソースホッピングインデックス及び／又はＲＳシーケンスを割り当てられてよい。
【０３６７】
アクティブなＵＥの多くは、直交パイロットシーケンス空間内に維持され得る。ＲＳ割り当ては、時間−周波数リソースを介してホッピングしてよく、及び／又は、ＵＥのアクティビティに基づいて更新してよい。ＲＳシーケンスのホッピングパターンは、ＲＳホッピングシーケンス又はＲＳホッピングパターンと称され得、ＵＥに対する物理リソースのホッピングパターンは、リソースホッピングパターン又はリソースホッピングシーケンスと称され得る。ＵＥのリソース及びＲＳ選択は、ダウンリンク制御情報（ＤＣＩ）又はグループＤＣＩを通じて動的に更新され得る。
【０３６８】
図６Ａは、点線１２４で示されるメッセージの例示的なフォーマットを示す。例１２６において、メッセージは、ＭＡ署名１５２を含み、上記の実施形態における詳細では、ＭＡ署名は、ＲＳであり、例として、パイロットを示すＲＳインデックスである。データ１５４及びＵＥの識別のインジケーション：ＵＥ  ＩＤ１５６（又はＵＥインデックス）。データ１５４及びＵＥ  ＩＤ１５６は、共にエンコードされ、対応する巡回冗長検査（ＣＲＣ）１５８が生成され、メッセージ１２６に含まれる。いくつかの実施形態において、ＵＥ  ＩＤ１５６は、ＣＲＣ１５８に代わりに組み込まれ、ペイロードサイズを減らし得る。別の例において、ＭＡ署名１５２は、署名が以前に使用を認められた場合、任意選択的であり得る。例１２８は、ＵＥ  ＩＤ１５６が別個にデータ１５４からエンコードされる例１２６のバリエーションである。したがって、別個のＣＲＣ１６１は、ＵＥ  ＩＤ１５６と関連付けられる。いくつかの実施形態において、ＵＥ  ＩＤ１５６は、ＣＲＣ１６１は、ＣＲＣ１６１が配置されるヘッダ用である場合、１又は複数の他のヘッダ内にあってよい。例１２８において、ＵＥ  ＩＤ１５６は、ＵＥ  ＩＤ１５６のデコードを容易にするために、データ１５４よりも低い変調及び符号化スキーム（ＭＣＳ）で伝送され得る。ＵＥ  ＩＤ１５６のデコードに成功したが、データ１５４のデコードに成功しない状況があり得る。
【０３６９】
図３Ａを参照すると、ＭＡ署名及びデータ情報の両方を含む通常のメッセージに続いて送信されるＭＡ署名のみを包含し得る形式で、データの第１のバッチは伝送され得る。図６Ｂは、アップリンクチャネルを介してグラントフリーアップリンク伝送でＵＥにより送信される例示的なメッセージフォーマットの別のグループを示す。例３２６において、メッセージは、ＵＥ  ＩＤ３５６と、データ及び１又は複数のパイロット３５４の組み合わせとを含む。
【０３７０】
例３２８において、第１のメッセージは、プリアンブル３５８を含み、第２のメッセージは、データ及び少なくとも１つのパイロット３５４を含む。ＵＥがＵＲＬＬＣを利用している特定の例では、プリアンブル３５８は、プリアンブル３５８がＵＲＬＬＣ  ＵＥのＵＥ  ＩＤ３５６と１対１のマッピング関係を有する専用の利用のためにＵＲＬＬＣ  ＵＥに割り当てられるシーケンスであってよい。第１のメッセージは、データ及び少なくとも１つのパイロット３５４とは別個に伝送され得る。ＢＳは、第１のメッセージを受信して、マッピング関係に基づいて、ＵＲＬＬＣ  ＵＥを識別する。ＢＳは、第２のメッセージを受信し、第２のメッセージ内のパイロットを検出し、検出したパイロットを用いてチャネル推定を実行し、そして、データをデコードする。
【０３７１】
別の実施形態において、プリアンブル３５８は、プリアンブル３５８がＵＥ接続ＩＤと１対１のマッピング関係を有する専用のＵＥ接続ＩＤに関連し得る。ＵＥ接続ＩＤは、専用のセル無線ネットワーク一時識別子（Ｃ−ＲＮＴＩ）又は割り当てられたＣ−ＲＮＴＩであってよい。
【０３７２】
そのようなスキームはまた、他のサービス、例えば、ｅＭＢＢに適用可能であり得る。
【０３７３】
例３２９において、ＵＥ  ＩＤ３５６は、データ及び少なくとも１つのパイロット３５４とは別個に伝送され得る。第１のメッセージはＵＥ  ＩＤ３５６を含み、第２のメッセージはデータ及びパイロット３５４を含む。
【０３７４】
ＢＳは、第１のメッセージを受信し、ＵＥ  ＩＤを識別する。そして、ＢＳは、第２のメッセージを受信し、第２のメッセージ内のパイロットを検出し、検出したパイロットを用いてチャネル推定を実行し、そして、データをデコードする。
【０３７５】
例３２９の一実装例において、ＵＥ  ＩＤ３５６は、データ及びパイロット３５４とは別個に伝送され得、ＵＥ  ＩＤメッセージは、巡回冗長コード（ＣＲＣ）により保護される。第１のメッセージは、第２のメッセージとは異なるヌメロロジーを用いて伝送され得る。ＵＥ  ＩＤ３５６メッセージに用いられるシンボルは、データ及びパイロット３５４に用いられるシンボルとは異なるヌメロロジーを用いることができる。特定の実施形態において、ＵＥ  ＩＤ３５６メッセージに用いられるシンボルは、データ及びパイロット３５４に用いられるシンボルよりも大きなサイクリックプレフィクス（ＣＰ）をＵＥ  ＩＤメッセージ３５６に対して用いることができる。
【０３７６】
いくつかの実装において、例３２９のＵＥ  ＩＤ３５６、例３２８のプリアンブル３５８、又は、例に含まれるパイロットは、バッファステータス情報及びＭＣＳを搬送してもよい。これは、ネットワークがＵＥの将来の伝送のためにＵＬのグラントにおいて適切なリソースサイズを決定することを可能にし得る。
【０３７７】
図７は、本明細書に開示されるデバイス及び方法を実装するために用いられ得るコンピューティングシステム７００のブロック図である。例えば、コンピューティングシステムは、ＵＥ、アクセスノード（ＡＮ）、ＭＭ、ＳＭ、ＵＰＧＷ、ＡＳのうちの任意のエンティティであり得る。特定のデバイスは、示されるコンポーネントのすべて、又は、コンポーネントのサブセットのみを利用してよく、統合のレベルはデバイス毎に変化してよい。さらに、デバイスは、コンポーネントの複数のインスタンス、例えば、複数の処理ユニット、プロセッサ、メモリ、送信機、受信機などを包含してよい。コンピューティングシステム７００は、処理ユニット７０２を含む。処理ユニットは、バス７２０に接続される中央処理装置（ＣＰＵ）７１４及びメモリ７０８を含み、大容量ストレージデバイス７０４、ビデオアダプタ７１０及びＩ／Ｏインタフェース７１２をさらに含んでよい。
【０３７８】
バス７２０は、メモリバス又はメモリコントローラ、ペリフェラルバス、又は、ビデオバスを含む任意のタイプのいくつかのバスアーキテクチャのうちの１又は複数であってよい。ＣＰＵ７１４は、任意のタイプの電子データプロセッサを有してよい。メモリ７０８は、任意のタイプの非一時的なシステムメモリ、例えば、スタティックランダムアクセスメモリ（ＳＲＡＭ）、ダイナミックランダムアクセスメモリ（ＤＲＡＭ）、シンクロナスＤＲＡＭ（ＳＤＲＡＭ）、リードオンリメモリ（ＲＯＭ）又はそれらの組み合わせを有してよい。実施形態において、メモリ７０８は、ブートアップ時に用いるためのＲＯＭ、及び、プログラムを実行している間に使用するためのプログラム及びデータのストレージ用のＤＲＡＭを含んでよい。 
【０３７９】
大容量ストレージ７０４は、データ、プログラム及び他の情報を格納し、データ、プログラム及び他の情報にバス７２０を介してアクセス可能にするように構成される任意のタイプの非一時的なストレージデバイスを有してよい。大容量ストレージ７０４は、例えば、ソリッドステートドライブ、ハードディスクドライブ、磁気ディスクドライブ又は光ディスクドライブのうちの１又は複数を有し得る。
【０３８０】
ビデオアダプタ７１０及びＩ／Ｏインタフェース７１２は、外部の入力及び出力デバイスを処理ユニット７０２に結合するためのインタフェースを提供する。示されるように、例示的な入力及び出力デバイスは、ビデオアダプタ７１０に結合されるディスプレイ７１８及びＩ／Ｏインタフェース７１２に結合されるマウス／キーボード／プリンタ７１６を含む。他のデバイスは、処理ユニット７０２に結合されてよく、追加的な又はより少ないインタフェースカードが利用されてもよい。例えば、シリアルインタフェース、例えば、ユニバーサルシリアルバス（ＵＳＢ）（不図示）が、インタフェースを外部デバイスに提供するために用いられ得る。 
【０３８１】
処理ユニット７０２は、１又は複数のネットワークインタフェース７０６も含み、ノード又は異なるネットワークにアクセスするための有線リンク、例えば、イーサネット（登録商標）ケーブル及び／又は無線リンクを有してよい。ネットワークインタフェース７０６は、処理ユニット７０２が、ネットワークを介してリモートユニットと通信できるようにする。例えば、ネットワークインタフェース７０６は、１又は複数の送信機／送信アンテナ、及び、１又は複数の受信機／受信アンテナを介して無線通信を提供してよい。実施形態において、処理ユニット７０２は、データ処理のためにローカルエリアネットワーク７２２又はワイドエリアネットワークに結合され、リモートデバイス、例えば、他の処理ユニット、インターネット又はリモート記憶設備と通信する。
【０３８２】
図８は、複数のＵＥに用いられ得るグラントフリーな時間−周波数伝送リソースの例を示す。図８のブロック内の数字１から２０は、２０個の別個のＵＥを指す。時間の次元において、図８のグラントフリー伝送リソースは、５つの時間間隔を包含する１０ｍｓのフレームであり、各時間間隔は、２つのサブフレーム又は２ｍｓに対応する。周波数の次元において、伝送リソースは５つの周波数間隔を占有する。それぞれが周波数間隔にある５つのＲＢがある。したがって、合計２５個のリソースブロック（ＲＢ）がある。図８は、単に例に過ぎず、ひいては、グラントフリー伝送リソースは、異なる数の時間間隔及び周波数間隔並びにリソースブロックを有し得る。
【０３８３】
システム情報（例示的なＳＩＢシグナリングに関する）は、グラントフリー周波数開始点をｆ０に、グラント周波数終了ポイントをｆ５に設定することにより、グラントフリー伝送リソースを規定し得る。
【０３８４】
ＳＩＢは、ＲＢサイズに関して、Δｆに等しいグラントフリーＣＴＵ周波数サイズ（図８の場合において、５に等しい）を規定してもよく、グラントフリーＣＴＵ時間サイズは、Δｔに等しく、それは２ｍｓに等しい。いくつかの実施形態において、サブフレーム＝１ｍｓに単位デフォルトがあり得る。
【０３８５】
ＳＩＢにおいて伝送される上記の情報は、フレーム内のすべてのＣＴＵ領域サイズ、位置、区分の数及びタイムスロットを規定する。
【０３８６】
ＵＥに固有のＲＲＣシグナリングの一部として、ＢＳは、多数のフィールドにおいて情報を伝送してよい。
【０３８７】
あるフィールドは、グラントフリーＵＥ識別子を含んでよい。
【０３８８】
あるフィールドは、１０に等しいＵＬに対するグラントフリーフレーム間隔を規定する情報を含んでよく、１０個のサブフレーム又は１０ｍｓと同等である。代替的に、ＵＬフィールド用のグラントフリーフレーム間隔は、グラントベースの伝送のために規定されるのと同じフレームをデフォルトとすることによってもよいので、これは空きであってよい。
【０３８９】
あるフィールドは、２に等しいＵＬに対するグラントフリースケジューリング間隔を規定する情報を含んでよく、時間間隔あたり２ｍｓと同等である。
【０３９０】
あるフィールドは、周波数領域におけるＣＴＵサイズを規定する情報を含んでよい。それは、ＲＢの数に関して規定され得る。いくつかの実施形態において、デフォルトは５に等しい。上述のように、これがＳＩＢにおいて規定されている場合、このフィールドは、用いられなくてもよい。
【０３９１】
あるフィールドは、リソースホッピングパターンを規定する情報を含んでよい。例えば、図８のＵＥ２を参照すると、ＵＥ２に割り当てられるリソースは、（１、２、３、４、０）である。これは、ＵＥ２が、フレームの第１のタイムスロット内の第１の周波数区分（周波数区分０から４のうちの１つであり、０は、図８の上部における周波数区分である）に、フレームの第２のタイムスロット内の第２の周波数区分に、フレームの第３のタイムスロット内の第３の周波数区分に、フレームの第４のタイムスロット内の第４の周波数区分に、及び、フレームの第５のタイムスロット内の第０の周波数区分に現れることを意味する。
【０３９２】
あるフィールドは、ＲＳホッピングパターンを規定する情報を含んでよい。ＲＳホッピングパターンは、ＲＳインデックス又は巡回シフト値、例えばインデックスｐ１であってよい。いくつかの実施形態において、このフィールドは、ＲＳホッピングパターンがリソースホッピングパターンから導出され得る場合、任意選択的であり得る。
【０３９３】
あるフィールドは、ＭＣＳフィールドを規定する情報を含んでよい。このフィールドは、ＭＣＳが予め定められてよく、ＵＥがＭＣＳ自体を選択でき、又は、ＭＣＳは、上述のように、相補ＤＣＩシグナリングを通じて提供され得るので任意選択的であってもよい。
【０３９４】
あるフィールドは、さらなるＤＣＩグラントに対するサーチスペースを規定する情報を含んでよい。サーチスペースは、前述したように、ＲＲＣシグナリング又は予め定められたものの一部として規定されてよい。
【０３９５】
上記のＳＩＢ及びＲＲＣシグナリングは、図８のＵＥ２に対するグラントフリーリソース及びＲＳ割り当てを規定するのに十分である。
【０３９６】
いくつかの実装において、相補ＤＣＩは、例示的なＳＩＢ及びＲＲＣシグナリングがＣＴＵ領域を規定しないが、ＲＲＣがインデックスシーケンスに関してリソースホッピングパターンを規定する場合に用いられ得る。
【０３９７】
図８に関して、ＤＣＩメッセージは、（例えば、時間間隔０における開始及び終了周波数帯又はＲＢを特定することにより）第１の間隔における第１の伝送リソース、及び、時間間隔０及びＭＣＳに用いられるＲＳインデックスｐ１を示してよい。このＤＣＩメッセージに基づいて、ＵＥは、時間間隔０における第１のリソース及びＲＳ、並びに、ＲＲＣシグナリングにおいて規定されたリソースホッピングパターンに基づいて残りのリソースを導出できる。
【０３９８】
図９は、複数のＵＥに用いられ得るグラントフリーな時間−周波数伝送リソースの別の例を示す。図９のブロック内の数字１から２０は、２０個の別個のＵＥを指す。サイズ及び間隔は図８におけるものと同じである。しかしながら、図９では、各時間間隔において異なる周波数区分に同じ４つのＵＥのグループが生じるという点で図８とは異なる、すなわち、ＵＥ１、６、１１及び１６は、フレームの第１のタイムスロット内の（周波数区分０から４のうちの）第０の周波数区分に、フレームの第２のタイムスロット内の第１の周波数区分に、フレームの第３のタイムスロット内の第２の周波数区分に、フレームの第４のタイムスロット内の第３の周波数区分に、及び、フレームの第５のタイムスロット内の第４の周波数区分に現れる。これは、個々のグラントフリーＵＥ  ＩＤとは対照的に、ＲＢの所与のセットを割り当てられるＵＥのすべてが同じグラントフリーグループＩＤを割り当てられることを可能にする。
【０３９９】
このタイプの固定されたグループ化リソース割り当てでは、システム情報（ＳＩＢ）は、図８に関して上記で説明した以前の例と同じグラントフリーＣＴＵ領域を規定し得る。
【０４００】
ＲＲＣシグナリングに関して、ＵＥのグループは、例えば、図９のＵＥ２、７、１２、１７は、同じグラントフリーグループ識別子を割り当てられてよい。
【０４０１】
ＤＣＩメッセージに関して、ＤＣＩメッセージは、ＵＥのグループ、例えば、図９のＵＥ２、７、１２、１７に対してグラントフリーリソース及びＲＳを構成してよく、又は、それらに割り当てられるグラントフリーグループ識別子を用いて、グループとして、ＵＥのグループに対する再伝送をスケジューリングしてもよい。
【０４０２】
本明細書で提供される実施形態に係る方法の１又は複数の段階は、対応するユニット又はモジュールにより実行され得ることを理解されたい。例えば、信号は、送信ユニット又は送信モジュールにより伝送されてよい。信号は、受信ユニット又は受信モジュールにより受信されてよい。信号は、処理ユニット又は処理モジュールにより処理されてよい。他の段階は、サービスクラスタを確立するための確立ユニット／モジュール、インスタンス化ユニット／モジュール、セッションリンクを確立するための確立ユニット／モジュール、維持ユニット／モジュール、上記の段階のうちの段階を実行するための他の実行ユニット／モジュールにより実行されてよい。それぞれのユニット／モジュールは、ハードウェア、ソフトウェア又はそれらの組み合わせであってよい。例として、ユニット／モジュールの１又は複数は、集積回路、例えば、フィールドプログラマブルゲートアレイ（ＦＰＧＡ）又は特定用途向け集積回路（ＡＳＩＣ）であってよい。
【０４０３】
第１例によれば、アップリンクデータ伝送のための方法が提供される。方法は、第１のユーザ機器（ＵＥ）により、ネットワークエンティティから伝送リソース割り当てを受信する段階であって、伝送リソース割り当てはインデックスを有し、インデックスは、伝送リソースホッピングパターンとの予め定められた関係を有し、伝送リソースホッピングパターンは、時間−周波数リソースホッピングパターン及び参照信号（ＲＳ）パターンを有し、各時間−周波数リソース及び各ＲＳの組み合わせは、ＵＥ毎に一意である、段階を備える。方法はまた、第１のＵＥにより、予め定められた関係に基づくフレームの各時間間隔に対応する時間−周波数リソース及びＲＳを取得する段階を備える。方法はまた、第１のＵＥにより、通信することなく、取得した時間−周波数リソースに基づいてデータパケットをネットワークエンティティに伝送する段階であって、対応する伝送リソース要求は、第１のＵＥに割り当てられる伝送リソースを要求する、段階を備える。
【０４０４】
ここで提供される第２例によれば、インデックスは、第１のＵＥに割り当てられた時間−周波数リソースを示すＵＥインデックス及び少なくとも１つのＲＳ、ＵＥに割り当てられた時間−周波数リソースを示す少なくとも１つのコンテンション伝送ユニット（ＣＴＵ）インデックス、又は、ＵＥに割り当てられた時間−周波数リソースを示すＣＴＵ領域の各時間位置インデックスに対応する少なくとも１つの周波数位置インデックスのうちのいずれか１つを有する、第１例に記載の方法。
【０４０５】
第３例によれば、インデックスは、時間−周波数リソースホッピングパターンとの予め定められた関係を有し、参照信号（ＲＳ）パターンは、各ＵＥインデックスが対応するＣＴＵインデックスとの予め定められた関係、及び、フレームの各時間間隔におけるＲＳを有し、各ＣＴＵインデックスは、一意の時間及び周波数リソースを示す、第１例又は第２例に記載の方法が提供される。
【０４０６】
第４例によれば、時間−周波数リソースホッピングパターンは、タイムスロットインデックスｋにおけるＮ個のＵＥセットに割り当てられるＭ個の伝送リソースを有し、ＵＥの各セットは、Ｍ個のＵＥを有し、タイムスロットインデックスｋにおけるＵＥセットｉは、タイムスロットインデックスｋにおけるＵＥセットｉ−１との巡回シフト関係を有する、第３例に記載の方法が提供される。
【０４０７】
第５例によれば、タイムスロットインデックスｋにおけるＵＥセットｉは、タイムスロットインデックスｋ−１におけるＵＥセットｉとの巡回シフト関係を有する、第４例に記載の方法が提供される。
【０４０８】
第６例によれば、方法は、タイムスロットインデックスｋにおけるＵＥセットｉとＵＥセットｉ−１との間の第１の巡回シフト数は、タイムスロットインデックスｋにおけるＵＥセットｉと、タイムスロットインデックスｋ−１におけるＵＥセットｉ−１との間の第２の巡回シフト数とは異なることをさらに備える、第５例に記載の方法が提供される。
【０４０９】
第７例によれば、方法は、タイムスロットインデックスｋにおけるＵＥセットｉとＵＥセットｉ−１との間の第１の巡回シフト数は、タイムスロットインデックスｋにおけるＵＥセットｉと、タイムスロットインデックスｋ−１におけるＵＥセットｉ−１との間の第２の巡回シフト数と同じであることをさらに備える、第５例に記載の方法が提供される。
【０４１０】
第８例によれば、アップリンクデータ伝送のための方法が提供される。方法は、ネットワークエンティティにより、ユーザ機器（ＵＥ）に伝送リソース割り当てを伝送する段階であって、伝送リソース割り当てはインデックスを有し、インデックスは、伝送リソースホッピングパターンとの予め定められた関係を有し、伝送リソースホッピングパターンは、時間−周波数リソースホッピングパターン及び参照信号（ＲＳ）パターンを有し、各時間−周波数リソース及び各ＲＳの組み合わせは、ＵＥ毎に一意である、段階を備える。方法はまた、ネットワークエンティティにより、伝送リソース割り当てに基づき、時間−周波数リソースを介して伝送されたデータパケットを受信する段階を備える。
【０４１１】
第９例によれば、無線通信用に構成されるユーザ機器（ＵＥ）が提供される。ＵＥは、命令を有する非一時的なメモリストレージと、メモリと通信する１又は複数のプロセッサとを備え、１又は複数のプロセッサは、ネットワークエンティティから伝送リソース割り当てを受信する命令であって、伝送リソース割り当てはインデックスを有し、インデックスは、伝送リソースホッピングパターンとの予め定められた関係を有し、伝送リソースホッピングパターンは、時間−周波数リソースホッピングパターン及び参照信号（ＲＳ）パターンを有し、各時間−周波数リソース及び各ＲＳの組み合わせは、ＵＥ毎に一意である、命令と、予め定められた関係に基づくフレームの各時間間隔に対応する時間−周波数リソース及びＲＳを取得する命令と、通信することなく、取得した時間−周波数リソースに基づいてデータパケットをネットワークエンティティに伝送する命令であって、対応する伝送リソース要求は、第１のＵＥに割り当てられる伝送リソースを要求する、命令を実行する。
【０４１２】
第１０例によれば、ネットワークエンティティが提供され、ネットワークエンティティは、命令を有する非一時的なメモリストレージと、メモリと通信する１又は複数のプロセッサとを備え、１又は複数のプロセッサは、ユーザ機器（ＵＥ）に伝送リソース割り当てを伝送する命令であって、伝送リソース割り当てはインデックスを有し、インデックスは、伝送リソースホッピングパターンとの予め定められた関係を有し、伝送リソースホッピングパターンは、時間−周波数リソースホッピングパターン及び参照信号（ＲＳ）パターンを有し、各時間−周波数リソース及び各ＲＳの組み合わせは、ＵＥ毎に一意である、命令と、伝送リソース割り当てに基づき、時間−周波数リソースを介して伝送されたデータパケットを受信する命令とを実行する。
【０４１３】
第１１例によれば、第１のユーザ機器（ＵＥ）により、ネットワークエンティティから伝送リソース割り当てを受信する段階であって、伝送リソース割り当ては、第１のＵＥに用いられる伝送リソースを示し、伝送リソースは、フレーム内の時間−周波数リソースホッピングパターンとの予め定められた関係を有し、時間−周波数リソースホッピングパターンは、タイムスロットインデックスｋにおいてＮ個のＵＥセットに割り当てられるＭ個の伝送リソースを有し、ＵＥの各セットはＭ個のＵＥを有し、時間インデックスｋにおけるＵＥセットｉは、時間インデックスｋにおけるＵＥセットｉ−１との巡回シフト関係を有する、段階と、ＵＥにより、割り当てられた伝送リソースに基づいて、第１のデータ伝送を送信する段階であって、ｋは１からＮの任意の値であり、ｉは２からＮである、段階とを備えるデータ伝送のための方法が提供される。
【０４１４】
第１２例によれば、方法は、時間インデックスｋにおけるＵＥセットｉは、時間インデックスｋ−１におけるＵＥセットｉとの巡回シフト関係を有し、ｋは２からＮの任意の値であることをさらに備える、第１１例に記載の方法が提供される。
【０４１５】
第１３例によれば、方法は、時間インデックスｋにおけるＵＥセットｉとＵＥセットｉ−１との間の第１の巡回シフト数は、時間インデックスｋにおけるＵＥセットと、時間インデックスｋ−１におけるｉＵＥセットｉ−１と間の第２の巡回シフト数とは異なることをさらに備える、第１１例又は第１２例に記載の方法が提供される。
【０４１６】
第１４例によれば、第１のデータ伝送は、データフィールド及び参照信号（ＲＳ）フィールドを有する、第１３例に記載の方法が提供される。
【０４１７】
第１５例によれば、各ＲＳは、各ＵＥセットとの予め定められた関係を有する、第１４例に記載の方法が提供される。
【０４１８】
第１６例によれば、伝送リソース割り当ては、第１のインデックスを有し、第１のインデックスは、時間−周波数リソースのリソースユニットとの関連性を有する、第１５例に記載の方法が提供される。
【０４１９】
第１７例によれば、方法は、時間インデックスｋにおけるＵＥセットｉとＵＥセットｉ−１との間の第１の巡回シフト数は、時間インデックスｋにおけるＵＥセットｉと、時間インデックスｋ−１におけるＵＥセットｉ−１との間の第２の巡回シフト数と同じである、ことをさらに備える、第１１例又は第１２例に記載の方法が提供される。
【０４２０】
第１８例によれば、各セット内で同じ位置のＵＥは、１つのグループにグループ化され、同じ時間−周波数リソースが割り当てられる、第１１例に記載の方法が提供される。
【０４２１】
第１９例によれば、各セット内のＵＥは、同じ参照信号（ＲＳ）シーケンスが割り当てられる、第１８例に記載の方法が提供される。
【０４２２】
第２０例によれば、ＲＳシーケンス割り当ては、同じ時間−周波数リソース上でのＲＳ衝突を回避するために、時間−周波数リソース割り当て結果に基づいて決定される、第１９例に記載の方法が提供される。
【０４２３】
第２１例によれば、ＲＳシーケンスは、初期伝送又は再伝送のうちの少なくとも一方、又は、冗長バージョン（ＲＶ）を識別する、第２０例に記載の方法が提供される。
【０４２４】
第２２例によれば、ＵＥに割り当てられるＲＳシーケンスは、第１のＵＥが非アクティブになった場合に、第２のＵＥに再度割り当られる、第１９例に記載の方法が提供される。
【０４２５】
第２３例によれば、ＲＳシーケンス割り当て結果は、初期のアクセス期間又はＲＲＣ接続ステージのうちの少なくとも一方の間に伝送される、第１９例に記載の方法が提供される。
【０４２６】
第２４例によれば、ＲＳシーケンス割り当て結果はＲＳインデックスを含む、第２３例に記載の方法が提供される。
【０４２７】
第２５例によれば、ＲＳインデックスを有するＲＳシーケンス割り当てスキームは、ＵＥへの事前知識である、第２４例に記載の方法が提供される。
【０４２８】
第２６例によれば、第１時間インデックス及び第２の時間インデックスにおいて第１のグループに割り当てられる時間−周波数リソースは異なる、第１８例に記載の方法が提供される。
【０４２９】
第２７例によれば、時間−周波数リソース割り当て結果は、初期のアクセス期間又は無線リソース制御（ＲＲＣ）接続ステージのうちの少なくとも一方の間に伝送される、第１８例に記載の方法が提供される。
【０４３０】
第２８例によれば、時間−周波数リソース割り当て結果は時間−周波数リソースインデックスを含む、第１８例に記載の方法が提供される。
【０４３１】
第２９例によれば、時間−周波数リソースインデックスを有する時間−周波数リソース割り当てスキームは、ＵＥに対する事前知識である、第２８例に記載の方法が提供される。
【０４３２】
第３０例によれば、時間−周波数リソース割り当て結果は、初期の時間−周波数リソース割り当て及び時間−周波数リソースホッピングパターンのうちの少なくとも一方を含む、第１８例に記載の方法が提供される。
【０４３３】
第３１例によれば、ネットワークエンティティにより、ネットワークエンティティから伝送リソース割り当てを送信する段階であって、伝送リソース割り当ては、第１のＵＥに用いられる伝送リソースを示し、伝送リソースは、フレーム内の時間−周波数リソースホッピングパターンとの予め定められた関係を有し、時間−周波数リソースホッピングパターンは、タイムスロットインデックスｋにおいてＮ個のＵＥセットに割り当てられるＭ個の伝送リソースを有し、ＵＥの各セットはＭ個のＵＥを有し、時間インデックスｋにおけるＵＥセットｉは、時間インデックスｋにおけるＵＥセットｉ−１との巡回シフト関係を有する、段階と、ネットワークエンティティにより、割り当てられた伝送リソースに基づいて、第１のデータ伝送を受信する段階であって、ｋは１からＮの任意の値であり、ｉは２からＮである、段階とを備えるデータ伝送のための方法が提供される。
【０４３４】
第３２例によれば、方法は、時間インデックスｋにおけるＵＥセットｉは、時間インデックスｋ−１におけるＵＥセットｉとの巡回シフト関係を有し、ｋは２からＮの任意の値であることをさらに備える、第３１例に記載の方法が提供される。
【０４３５】
第３３例によれば、方法は、時間インデックスｋにおけるＵＥセットｉとＵＥセットｉ−１との間の第１の巡回シフト数は、時間インデックスｋにおけるＵＥセットと、時間インデックスｋ−１におけるＵＥセットｉ−１との間の第２の巡回シフト数とは異なることをさらに備える、第３１例又は第３２例に記載の方法が提供される。
【０４３６】
第３４例によれば、第１のデータ伝送は、データフィールド及び参照信号（ＲＳ）フィールドを有する、第３１例から第３３例のいずれか１つに記載の方法が提供される。
【０４３７】
第３５例によれば、各ＲＳは、各ＵＥセットとの予め定められた関係を有する、第３１例から第３４例のいずれか１つに記載の方法が提供される。
【０４３８】
第３６例によれば、ネットワークエンティティにより、ＵＥを有するＵＥセットとの予め定められた関係に基づいてＲＳを識別する段階をさらに備える、第３５例に記載の方法が提供される。
【０４３９】
第３７例によれば、ネットワークエンティティにより、伝送リソースと、設定されたＵＥグループとの間の予め定められた関係に基づいてＵＥを識別する段階と、ネットワークエンティティにより、第１のデータ伝送に基づいてデータをデコードする段階とをさらに備える、第３６例に記載の方法が提供される。
【０４４０】
第３８例によれば、無線通信用に構成されるユーザ機器（ＵＥ）が提供され、ＵＥは、命令を有する非一時的なメモリストレージと、メモリと通信する１又は複数のプロセッサとを備え、１又は複数のプロセッサは、ネットワークエンティティから伝送リソース割り当てを受信する命令であって、伝送リソース割り当ては、第１のＵＥに用いられる伝送リソースを示し、伝送リソースは、フレーム内の時間−周波数リソースホッピングパターンとの予め定められた関係を有し、時間−周波数リソースホッピングパターンは、タイムスロットインデックスｋにおいてＮ個のＵＥセットに割り当てられるＭ個の伝送リソースを有し、ＵＥの各セットはＭ個のＵＥを有し、時間インデックスｋにおけるＵＥセットｉは、時間インデックスｋにおけるＵＥセットｉ−１との巡回シフト関係を有する、命令と、割り当てられた伝送リソースに基づいて、第１のデータ伝送を送信する命令であって、ｋは１からＮの任意の値であり、ｉは２からＮである、命令と実行する。
【０４４１】
第３９例によれば、無線通信用に構成されるネットワークエンティティが提供され、ネットワークエンティティは、命令を有する非一時的なメモリストレージと、メモリと通信する１又は複数のプロセッサとを備え、１又は複数のプロセッサは、ユーザ機器（ＵＥ）に伝送リソース割り当てを送信する命令であって、伝送リソース割り当ては、第１のＵＥに用いられる伝送リソースを示し、伝送リソースは、フレーム内の時間−周波数リソースホッピングパターンとの予め定められた関係を有し、時間−周波数リソースホッピングパターンは、ＮセットのＵＥグループに割り当てられるＭセットの伝送リソースを有し、ｋセットの伝送リソースにおけるｉセットのＵＥグループは、ｋセットの伝送におけるｉ−１セットのＵＥグループとの巡回シフト関係を有する、命令と、割り当てられた伝送リソースに基づいて第１のデータ伝送をＵＥから受信する命令であって、値ｋは２からＭであり、値ｉは２からＮである、命令を実行する。
【０４４２】
第４０例によれば、アップリンク（ＵＬ）グラントフリー（ＧＦ）伝送に対する参照信号（ＲＳ）割り当てのための方法が提供され、方法は、基地局（ＢＳ）により、ユーザ機器（ＵＥ）の第１セットの数が第１の閾値以下である場合、ＵＥの第１セットに複数の直交ＲＳシーケンスを割り当てる段階であって、ＵＥはＧＦ機会毎にＲＳを用いる、段階と、ＢＳにより、ＵＥの第１セットのうちの少なくとも１つのＵＥにＲＳシーケンス割り当て結果を伝送する段階とを備える。
【０４４３】
第４１例によれば、ＢＳにより、ＵＥの第１セット及びＵＥの第２セットの総数が第１の閾値より高く、かつ、第２の閾値以下である場合、ＵＥの第２セットに複数の非直交ＲＳシーケンスを割り当てる段階と、ＢＳにより、ＵＥの第２セットのうちの少なくとも１つのＵＥにＲＳシーケンス割り当て結果を伝送する段階とをさらに備える、第４０例に記載の方法が提供される。
【０４４４】
第４２例によれば、ＢＳにより、ＵＥの第１セット、ＵＥの第２セット及びＵＥの第３セットの総数が第２の閾値より高い場合、ＵＥの第３セットにランダムなＲＳシーケンスのプールを割り当てる段階と、ＢＳにより、ＵＥの第３セットのうちの少なくとも１つのＵＥにＲＳシーケンス割り当て結果を伝送する段階とをさらに備える、第４０例に記載の方法が提供される。
【０４４５】
第４３例によれば、ＲＳシーケンスは、初期伝送又は再伝送のうちの少なくとも一方、又は、冗長バージョン（ＲＶ）を識別する、第４０例に記載の方法が提供される。
【０４４６】
第４４例によれば、ＵＥの第３セットのＵＥは、ランダムなＲＳシーケンスのプールからＲＳシーケンスをランダムに選択する、第４０例に記載の方法が提供される。
【０４４７】
第４５例によれば、ＲＳシーケンス割り当て結果は、初期のアクセス期間又は無線リソース制御（ＲＲＣ）接続ステージのうちの少なくとも一方の間に伝送される、第４０例に記載の方法が提供される。
【０４４８】
第４６例によれば、第１のＵＥに割り当てられるＲＳシーケンスは、第１のＵＥが非アクティブになった場合に、第２のＵＥに再度割り当られる、第４０例に記載の方法が提供される。
【０４４９】
第４７例によれば、無線通信用に構成されるネットワークエンティティが提供され、ネットワークエンティティは、命令を有する非一時的なメモリストレージと、メモリと通信する１又は複数のプロセッサとを備え、１又は複数のプロセッサは、ユーザ機器（ＵＥ）の第１セットの数が第１の閾値以下である場合に、複数の直交ＲＳシーケンスをＵＥの第１セットに割り当てる命令であって、ＵＥは、ＧＦ機会毎にＲＳを用いる、命令と、ＵＥの第１セットのうちの少なくとも１つのＵＥにＲＳシーケンス割り当て結果を伝送する命令とを実行する。
【０４５０】
第４８例によれば、アップリンク（ＵＬ）グラントフリー伝送に対する統合されたリソース及び参照信号（ＲＳ）割り当てのための方法が提供され、方法は、基地局（ＢＳ）により、時間−周波数リソース又はＲＳシーケンスのうちの少なくとも一方のインデックスを複数のユーザ機器（ＵＥ）に伝送する段階と、トラフィック負荷、複数のＵＥの数、ＲＳリソース又は時間−周波数リソースのうちの少なくとも１つにおける変化に基づいて、マッピングスキームのインデックスを更新する段階とを備える。
【０４５１】
第４９例によれば、マッピングスキームは、初期アクセス手順又はランダムアクセス手順のうちの少なくとも一方の間に複数のユーザ機器（ＵＥ）に伝送される、第４８例に記載の方法が提供される。
【０４５２】
第５０例によれば、マッピングスキームのインデックスに対する更新は、システム情報、ブロードキャストチャネル又は共通の制御チャネルのうちの少なくとも１つを通じて複数のＵＥに伝送される、第４８例に記載の方法が提供される。
【０４５３】
第５１例によれば、無線通信用に構成されるネットワークエンティティが提供され、ネットワークエンティティは、命令を有する非一時的なメモリストレージと、メモリと通信する１又は複数のプロセッサとを備え、１又は複数のプロセッサは、時間−周波数リソース又はＲＳシーケンスのうちの少なくとも一方のインデックスを複数のユーザ機器（ＵＥ）に伝送する命令と、トラフィック負荷、複数のＵＥの数、ＲＳリソース又は時間−周波数リソースのうちの少なくとも１つにおける変化に基づいて、マッピングスキームのインデックスを更新する命令を実行する。
【０４５４】
第５２例によれば、アップリンク（ＵＬ）グラントフリー伝送のための方法が提供され、ユーザ機器（ＵＥ）により、基地局（ＢＳ）からリソース割り当てを受信する段階であって、リソース割り当ては、タイムスロット毎の伝送リソース情報を有する、段階と、ＵＥにより、第１のタイムスロットの割り当てられたリソースを用いて第１のデータパケットを伝送する段階と、ＵＥにより、第２のタイムスロットの割り当てられたリソースを用いて第１のデータパケットを再伝送する段階と、ＢＳから第１のデータパケットに対する肯定応答を受信する段階と、第１のデータパケットの再伝送を停止する段階とを備える、方法。
【０４５５】
第５３例によれば、無線通信用に構成されるユーザ機器（ＵＥ）が提供され、ＵＥは、命令を有する非一時的なメモリストレージと、メモリと通信する１又は複数のプロセッサとを備え、１又は複数のプロセッサは、基地局（ＢＳ）からリソース割り当てを受信する命令であって、リソース割り当ては、タイムスロット毎に伝送リソース情報を有する、命令と、第１のタイムスロットの割り当てられたリソースを用いて第１のデータパケットを伝送する命令と、第２のタイムスロットの割り当てられたリソースを用いて第１のデータパケットを再伝送する命令と、ＢＳから第１のデータパケットに対する肯定応答を受信する命令と、第１のデータパケットの再伝送を停止する命令とを実行する。
【０４５６】
第５４例によれば、無線リソース制御（ＲＲＣ）シグナリングを用いてユーザ機器（ＵＥ）に対するグラントフリーアップリンク伝送リソース割り当てを伝送する段階を備えるグラントフリー伝送を構成するための方法が提供される。
【０４５７】
第５５例によれば、ＲＲＣシグナリングフォーマットは、グラントフリーＵＥ識別子、複数のグラントフリーＵＥに対するグループ識別子、伝送リソース、リソースホッピングパターン、参照信号（ＲＳ）ホッピングパターン、変調及び符号化スキーム（ＭＣＳ）情報及び位置決めダウンリンク制御情報（ＤＣＩ）メッセージ用のサーチスペースの規定のうちの少なくとも１つを含む、第５４例に記載の方法が提供される。
【０４５８】
第５６例によれば、グラントフリーＵＥ識別子、複数のグラントフリーＵＥに対するグループ識別子、伝送リソース、リソースホッピングパターン、参照信号（ＲＳ）ホッピングパターン、変調及び符号化スキーム（ＭＣＳ）情報及び位置決めダウンリンク制御情報（ＤＣＩ）メッセージ用のサーチスペースの規定のうちの少なくとも１つのために伝送される値を決定する段階をさらに備える、第５５例に記載の方法が提供される。
【０４５９】
第５７例によれば、ＵＥに割り当てられるグラントフリーアップリンク伝送リソース割り当てに対する第１のデータ伝送又は後続の再伝送を受信する段階を備える、第５４例に記載の方法が提供される。
【０４６０】
第５８例によれば、第１のデータ伝送又は後続の再伝送の受信に応答して、第１のデータ伝送又は後続の再伝送のデコードが成功した場合の肯定応答（ＡＣＫ）、第１のデータ伝送又は後続の再伝送のデコードに成功しなかった場合の否定応答（ＮＡＣＫ）、及び、第１のデータ伝送又は後続の再伝送のデコードが成功しなかった場合の再伝送に対するグラントのうちの少なくとも１つを伝送する段階を備える、第５７例に記載の方法が提供される。
【０４６１】
第５９例によれば、ＡＣＫ、ＮＡＫ又は再伝送に対するグラントをダウンリンク制御情報（ＤＣＩ）メッセージにおいて伝送する段階を備える、第５８例に記載の方法が提供される。
【０４６２】
第６０例によれば、ＤＣＩメッセージにおいて伝送リソースの更新を伝送する段階を備える、第５４例に記載の方法が提供される。
【０４６３】
第６１例によれば、ＤＣＩメッセージは、グラントフリーグループＩＤを用いてエンコードされる、第６０例に記載の方法が提供される。
【０４６４】
第６２例によれば、ＤＣＩメッセージにおいてアクティブ化インジケータを伝送する段階を備える、第５４例に記載の方法が提供される。
【０４６５】
第６３例によれば、ＤＣＩメッセージにおいて非アクティブ化インジケータを伝送する段階を備える、第５４例に記載の方法が提供される。
【０４６６】
第６４例によれば、複数のＵＥにアクセス可能なシステム情報をブロードキャストする段階をさらに備える、第５４例に記載の方法が提供される。
【０４６７】
第６５例によれば、システム情報は、グラントフリー周波数伝送リソースの開始（ＧＦｆｒｅｑｕｅｎｃｙＳｔａｒｔ）、グラントフリー周波数伝送リソースの終了（ＧＦｆｒｅｑｕｅｎｃｙＦｉｎｉｓｈ）、グラントフリーＣＴＵサイズ及びＣＴＵ時間サイズ（ＧＦＣＴＵＳｉｚｅＴｉｍｅ）を規定する情報のうちの少なくとも１つを含む、第６４例に記載の方法が提供される。
【０４６８】
第６６例によれば、無線リソース制御（ＲＲＣ）を用いてユーザ機器（ＵＥ）に対するグラントフリーアップリンク伝送リソース割り当てを受信する段階を備えるグラントフリー伝送を構成するための方法が提供される。
【０４６９】
第６７例によれば、ＲＲＣシグナリングフォーマットは、グラントフリーＵＥ識別子、複数のグラントフリーＵＥに対するグループ識別子、伝送リソース、リソースホッピングパターン、参照信号（ＲＳ）ホッピングパターン、変調及び符号化スキーム（ＭＣＳ）情報及び位置決めダウンリンク制御情報（ＤＣＩ）メッセージ用のサーチスペースの規定のうちの少なくとも１つを含む、第６６例に記載の方法が提供される。
【０４７０】
第６８例によれば、ＵＥに割り当てられるグラントフリーアップリンク伝送リソース割り当てに対する第１のデータ伝送又は後続の再伝送を伝送する段階を備える、第６６例に記載の方法が提供される。
【０４７１】
第６９例によれば、第１のデータ伝送又は後続の再伝送のデコードが成功した場合の肯定応答（ＡＣＫ）、第１のデータ伝送又は後続の再伝送のデコードが成功しなかった場合の否定応答（ＮＡＣＫ）、及び、第１のデータ伝送又は後続の再伝送のデコードが成功しなかった場合の再伝送に対するグラントのうちの少なくとも１つを受信する段階を備える、第６８例に記載の方法が提供される。
【０４７２】
第７０例によれば、ダウンリンク制御情報（ＤＣＩ）メッセージにおいて再伝送されたＡＣＫ、ＮＡＫ又はグラントを受信する段階を備える、第６９例に記載の方法が提供される。
【０４７３】
第７１例によれば、ＤＣＩメッセージに対する予め決定されたサーチスペースを検索する段階を備える、第７０例に記載の方法が提供される。
【０４７４】
第７２例によれば、ＲＲＣシグナリングにおいてグラントフリーＵＥに割り当てられたグラントフリーＵＥ識別子に基づいて、ＤＣＩメッセージをデコードする段階をさらに備える、第７１例に記載の方法が提供される。
【０４７５】
第７３例によれば、ＤＣＩメッセージにおいて伝送リソースの更新を受信する、第６６例に記載の方法が提供される。
【０４７６】
第７４例によれば、ＤＣＩメッセージは、グラントフリーグループＩＤを用いてエンコードされる、第７３例に記載の方法が提供される。
【０４７７】
第７５例によれば、ＤＣＩメッセージにおいてアクティブ化インジケータを受信する段階を備える、第６６例に記載の方法が提供される。
【０４７８】
第７６例によれば、ＤＣＩメッセージにおいて非アクティブ化インジケータを受信する段階を備える、第６６例に記載の方法が提供される。
【０４７９】
第７７例によれば、複数のＵＥに関する情報を規定したシステム情報を受信する段階をさらに備える、第６６例に記載の方法が提供される。
【０４８０】
第７８例によれば、システム情報は、グラントフリー周波数伝送リソースの開始（ＧＦｆｒｅｑｕｅｎｃｙＳｔａｒｔ）、グラントフリー周波数伝送リソースの終了（ＧＦｆｒｅｑｕｅｎｃｙＦｉｎｉｓｈ）、グラントフリーＣＴＵサイズ及びＣＴＵ時間サイズ（ＧＦＣＴＵＳｉｚｅＴｉｍｅ）を規定する情報のうちの少なくとも１つを含む、第７６例に記載の方法が提供される。
【０４８１】
第７９例によれば、グラントフリー伝送に用いられる伝送リソースは、ＲＲＣ情報と、システム情報及びデコードされたＤＣＩメッセージのうちの少なくとも１つとに基づいて決定される、第６６例に記載の方法が提供される。
【０４８２】
第８０例によれば、プロセッサと、プロセッサによる実行のためのプログラミングを格納するコンピュータ可読記憶媒体とを備え、プログラミングは、第５４例から第６５例のいずれか１つに記載の方法に係る動作を実行する命令を含む、ネットワークデバイスが提供される。
【０４８３】
第８１例によれば、プロセッサと、プロセッサによる実行のためのプログラミングを格納するコンピュータ可読記憶媒体とを備え、プログラミングは、第６６例から第７９例のいずれか１つに記載の方法に係る動作を実行する命令を含む、ＵＥが提供される。
【０４８４】
例１Ａ。グラントフリー伝送用のユーザ機器（ＵＥ）のための方法であって、ネットワーク機器から、アップリンクデータの伝送及び再伝送用のアップリンクグラントフリー伝送リソース構成を示す無線リソース制御（ＲＲＣ）シグナリングを受信する段階であって、アップリンクグラントフリー伝送リソース構成は、時間リソース、周波数リソース、参照信号（ＲＳ）リソース情報及び２つのグラントフリー伝送機会の間隔を含む、段階と、アップリンクデータの初期伝送のためのダウンリンク制御情報（ＤＣＩ）を受信することなく、ＲＲＣシグナリングに基づいてアップリンクグラントフリー伝送リソースを取得する段階と、アップリンクグラントフリー伝送リソースを用いてアップリンクデータをネットワーク機器に伝送する段階とを備える方法。
【０４８５】
例２Ａ。方法は、アップリンクデータの再伝送に対するグラントを示すＤＣＩメッセージをネットワーク機器から受信する段階と、グラントに基づいて、アップリンクデータをネットワーク機器に再伝送する段階をさらに備える、例１Ａに記載の方法。
【０４８６】
例３Ａ。ＲＲＣシグナリングは、グラントフリーＵＥ識別子をさらに有し、方法は、グラントフリーＵＥ識別子を用いてＤＣＩメッセージをデコードする段階をさらに有する、例２Ａに記載の方法。
【０４８７】
例４Ａ。ＤＣＩメッセージは、アップリンクデータの再伝送に対するグラントを示す１の値に設定された新たなデータインジケータフィールドを有する、例２Ａの方法。
【０４８８】
例５Ａ。ＲＲＣシグナリングは、アップリンクデータの伝送反復の回数をさらに有する、例１Ａ−４Ａのいずれか１つに記載の方法。
【０４８９】
例６Ａ。ＲＲＣシグナリングは、構成されたＨＡＲＱプロセスの回数をさらに有する、例１Ａ−５Ａのいずれか１つに記載の方法。
【０４９０】
例７Ａ。ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに有する、例１Ａから６Ａのいずれか１つに記載の方法。
【０４９１】
例８Ａ。アップリンクデータの再伝送に対するグラントを示すＤＣＩメッセージが受信されていない場合、アップリンクグラントフリー伝送リソースを用いてアップリンクデータを再伝送する段階をさらに備える、例１Ａから７Ａのいずれか１つに記載の方法。
【０４９２】
例９Ａ。伝送反復の回数に達するまで、アップリンクグラントフリー伝送リソースを用いてアップリンクデータを再伝送する段階をさらに備える、例５Ａに記載の方法。
【０４９３】
例１０Ａ。グラントフリー伝送用に構成されるユーザ機器（ＵＥ）であって、ＵＥは、プロセッサとプロセッサによる実行のためのプログラミング命令を格納するコンピュータ可読記憶媒体とを備え、プログラミングは、ネットワーク機器からの無線リソース制御（ＲＲＣ）シグナリングをネットワーク機器から受信する命令であって、ＲＲＣシグナリングは、アップリンクデータの伝送及び再伝送用のアップリンクグラントフリー伝送リソース構成を示し、アップリンクグラントフリー伝送リソース構成は、時間リソース、周波数リソース、参照信号（ＲＳ）リソース情報及び２つのグラントフリー伝送機会の間隔を含む、命令と、アップリンクデータの初期伝送のためのダウンリンク制御情報（ＤＣＩ）を受信することなく、ＲＲＣシグナリングに基づいてアップリンクグラントフリー伝送リソースを取得する命令と、アップリンクグラントフリー伝送リソースを用いて、アップリンクデータをネットワーク機器に伝送する命令とを含む。
【０４９４】
例１１Ａ。コンピュータ可読媒体は、プロセッサにより実行される場合、ＵＥに、アップリンクデータの再伝送に対するグラントを示すＤＣＩメッセージをネットワーク機器から受信させ、グラントに基づいて、アップリンクデータをネットワーク機器に再伝送させるコンピュータ実行可能命令そこに格納する、例１０ＡのＵＥ。
【０４９５】
例１２Ａ。ＲＲＣシグナリングは、グラントフリーＵＥ識別子をさらに有し、コンピュータ可読媒体は、プロセッサにより実行される場合、ＵＥに、グラントフリーＵＥ識別子を用いてＤＣＩメッセージをデコードさせるコンピュータ実行可能命令をそこに格納する、例１１Ａに記載のＵＥ。
【０４９６】
例１３Ａ。ＤＣＩメッセージは、アップリンクデータの再伝送に対するグラントを示す１の値に設定された新たなデータインジケータフィールドを有する、例１１ＡのＵＥ。
【０４９７】
例１４Ａ。ＲＲＣシグナリングは、アップリンクデータの伝送反復の回数をさらに有する、例１０Ａ−１３Ａのいずれか１つに記載のＵＥ。
【０４９８】
例１５Ａ。ＲＲＣシグナリングは、構成されたＨＡＲＱプロセスの回数をさらに有する、例１０Ａ−１４Ａのいずれか１つに記載のＵＥ。
【０４９９】
例１６Ａ。ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに有する、例１０Ａから１５Ａのいずれか１つに記載のＵＥ。
【０５００】
例１７Ａ。コンピュータ可読媒体は、プロセッサにより実行される場合、ＵＥに、アップリンクデータの再伝送に対するグラントを示すＤＣＩメッセージが受信されていない場合、アップリンクグラントフリー伝送リソースを用いてアップリンクデータを再伝送させるコンピュータ実行可能命令をそこに格納する、例１０Ａから１６Ａのいずれか１つに記載のＵＥ。
【０５０１】
例１８Ａ。コンピュータ可読媒体は、プロセッサにより実行される場合、ＵＥに、伝送反復の回数に達するまで、アップリンクグラントフリー伝送リソースを用いてアップリンクデータを再伝送させるコンピュータ実行可能命令をそこに格納する、例１４Ａに記載のＵＥ。
【０５０２】
例１９Ａ。グラントフリー伝送用のネットワーク機器のための方法であって、アップリンクデータの伝送及び再伝送用のアップリンクグラントフリー伝送リソース構成を示す無線リソース制御（ＲＲＣ）シグナリングをユーザ機器（ＵＥ）に伝送する段階であって、アップリンクグラントフリー伝送リソース構成は、時間リソース、周波数リソース、参照信号（ＲＳ）リソース情報及び２つのグラントフリー伝送機会の間隔を含む、段階と、アップリンクデータの初期伝送のためのダウンリンク制御情報（ＤＣＩ）を伝送することなく、ＲＲＣシグナリングに基づいて割り当てられたアップリンクグラントフリー伝送リソースを用いて伝送されるアップリンクデータをＵＥから受信する段階とを備える方法。
【０５０３】
例２０Ａ。方法は、アップリンクデータの再伝送に対するグラントを示すＤＣＩメッセージをＵＥに伝送する段階と、グラントに基づいて再伝送されるアップリンクデータをＵＥから受信する段階とをさらに有する、例１９Ａに記載の方法。
【０５０４】
例２１Ａ。ＲＲＣシグナリングは、グラントフリーＵＥ識別子をさらに含む、例１９Ａ又は例２０Ａに記載の方法。
【０５０５】
例２２Ａ。ＤＣＩメッセージは、アップリンクデータの再伝送に対するグラントを示す１の値に設定された新たなデータインジケータフィールドを有する、例２０Ａに記載の方法。
【０５０６】
例２３Ａ。ＲＲＣシグナリングは、アップリンクデータの伝送反復の回数をさらに有する、例１９Ａ−２２Ａのいずれか１つに記載の方法。
【０５０７】
例２４Ａ。ＲＲＣシグナリングは、構成されたＨＡＲＱプロセスの回数をさらに有する、例１９Ａ−２３Ａのいずれか１つに記載の方法。
【０５０８】
例２５Ａ。ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに有する、例１９Ａ−２４Ａのいずれか１つに記載の方法。
【０５０９】
例２６Ａ。アップリンクグラントフリー伝送リソースを用いてアップリンクデータの再伝送を受信する段階をさらに備える、例１９Ａ−２５Ａのいずれか１つに記載の方法。
【０５１０】
例２７Ａ伝送反復の回数に達するまで、アップリンクグラントフリー伝送リソースを用いてアップリンクデータの再伝送を受信する段階をさらに備える、例２３Ａに記載の方法。
【０５１１】
例２８Ａ。グラントフリー伝送用に構成されるネットワーク機器であって、プロセッサと、プロセッサによる実行のためのプログラミング命令を格納するコンピュータ可読記憶媒体とを備え、プログラミングは、アップリンクデータの伝送及び再伝送用のアップリンクグラントフリー伝送リソース構成を示す無線リソース制御（ＲＲＣ）シグナリングをユーザ機器（ＵＥ）に伝送する命令であって、アップリンクグラントフリー伝送リソース構成は、時間リソース、周波数リソース、参照信号（ＲＳ）リソース情報及び２つのグラントフリー伝送機会の間隔を含む、命令と、アップリンクデータの初期伝送のためのダウンリンク制御情報（ＤＣＩ）を伝送することなく、ＲＲＣシグナリングに基づいて割り当てられたアップリンクグラントフリー伝送リソースを用いて伝送されるアップリンクデータをＵＥから受信する命令とを含む、ネットワーク機器。
【０５１２】
例２９Ａ。コンピュータ可読媒体は、プロセッサにより実行される場合、ネットワーク機器に、アップリンクデータの再伝送に対するグラントを示すＤＣＩメッセージをＵＥに伝送させ、グラントに基づいて、アップリンクデータをＵＥから受信させる、コンピュータ実行可能命令をそこに格納する、例２８Ａに記載のネットワーク機器。
【０５１３】
例３０Ａ。ＲＲＣシグナリングは、グラントフリーＵＥ識別子をさらに有する、例２８Ａ又は例２９Ａに記載のネットワーク機器。
【０５１４】
例３１Ａ。ＤＣＩメッセージは、アップリンクデータの再伝送に対するグラントを示す１の値に設定された新たなデータインジケータフィールドを有する、例２９Ａに記載のネットワーク機器。
【０５１５】
例３２Ａ。ＲＲＣシグナリングは、アップリンクデータの伝送反復の回数をさらに有する、例２８Ａ−３１Ａのうちのいずれか１に記載のネットワーク機器。
【０５１６】
例３３Ａ。ＲＲＣシグナリングは、構成されたＨＡＲＱプロセスの回数をさらに有する例２８Ａ−３２Ａのいずれか１つに記載のネットワーク機器。
【０５１７】
例３４Ａ。ＲＲＣシグナリングは、電力制御パラメータと、複数のグラントフリーＵＥに対するグループ識別子と、リソースホッピングパターンと、ＲＳホッピングパターンと、変調及び符号化スキーム（ＭＣＳ）情報とのうちの少なくとも１つをさらに有する、例２８Ａから３３Ａのいずれか１つに記載のネットワーク機器。
【０５１８】
例３５Ａ。コンピュータ可読媒体は、プロセッサにより実行される場合、ネットワーク機器に、アップリンクグラントフリー伝送リソースを用いてアップリンクデータの再伝送を受信させるコンピュータ実行可能命令をそこに格納する、例２８Ａから３４Ａのいずれか１つに記載のネットワーク機器。
【０５１９】
例３６Ａ。コンピュータ可読媒体は、プロセッサにより実行される場合、ネットワーク機器に、伝送反復の回数に達するまで、アップリンクグラントフリー伝送リソースを用いてアップリンクデータの再伝送を受信させるコンピュータ実行可能命令をそこに格納する、例３２Ａに記載のネットワーク機器。
【０５２０】
例３７Ａ。グラントフリー伝送用のユーザ機器（ＵＥ）のための方法であって、アップリンクグラントフリー伝送リソース構成を示す無線リソース制御（ＲＲＣ）シグナリングをネットワーク機器から受信する段階であって、アップリンクグラントフリー伝送リソース構成は、伝送反復の回数Ｋを含む、段階と、第１のダウンリンク制御情報（ＤＣＩ）メッセージをネットワーク機器から受信する段階であって、第１のＤＣＩメッセージは、ＵＥがアップリンクグラントフリーデータ伝送を実行することを許可されていることを示すアクティブ化インジケーションと、参照信号（ＲＳ）値のグループから割り当てられたＵＥに対するＲＳ値とを含む、段階と、ＲＲＣシグナリングに示されるアップリンクグラントフリー伝送リソース構成及び第１のＤＣＩメッセージに基づいて、アップリンクグラントフリー伝送リソースを取得する段階と、アップリンクグラントフリー伝送リソースを用いてアップリンクデータをネットワーク機器に伝送する段階とを備える方法。
【０５２１】
例３８Ａ。方法は、第２のＤＣＩメッセージをネットワーク機器から受信する段階であって、第２のＤＣＩメッセージは、ＵＥがアップリンクグラントフリー伝送を実行することを許可されていないことを示す非アクティブ化インジケーションを含む、段階と、アップリンクグラントフリー伝送リソースを用いた伝送を停止する段階とをさらに有する、例３７Ａに記載の方法。
【０５２２】
例３９Ａ。第１のＤＣＩメッセージは、リソースブロック情報と、変調及び符号化スキーム（ＭＣＳ）情報とをさらに有する、例３７Ａに記載の方法。
【０５２３】
例４０Ａ。方法は、ネットワーク機器から第３のＤＣＩメッセージを受信する段階であって、第３のＤＣＩメッセージは、アップリンクデータの再伝送に対するアップリンクグラントを示す、段階をさらに備える、例３７Ａに記載の方法。
【０５２４】
例４１Ａ。ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、例３７Ａに記載の方法。
【０５２５】
例４２Ａ。ＵＥに対するＲＳ値は、別のＵＥに対するＲＳ値とは異なる、例３７Ａに記載の方法。
【０５２６】
例４３Ａ。ＲＳ値のグループから割り当てられるＲＳ値は、直交ＲＳシーケンスから生成される、例３７Ａに記載の方法。
【０５２７】
例４４Ａ。グラントフリー伝送用に構成されるユーザ機器（ＵＥ）であって、プロセッサと、プロセッサによる実行のためのプログラミング命令を格納するコンピュータ可読記憶媒体とを備え、プログラミングは、アップリンクグラントフリー伝送リソース構成を示す無線リソース制御（ＲＲＣ）シグナリングをネットワーク機器から受信する命令であって、アップリンクグラントフリー伝送リソース構成は、伝送反復の回数Ｋを含む、命令と、第１のダウンリンク制御情報（ＤＣＩ）メッセージをネットワーク機器から受信する命令であって、第１のＤＣＩメッセージは、ＵＥがアップリンクグラントフリーデータ伝送を実行することを許可されていることを示すアクティブ化インジケーションと、ＵＥに割り当てられるＲＳを示す参照信号（ＲＳ）情報とを含み、ＲＲＣシグナリングに示されるアップリンクグラントフリー伝送リソース構成及び第１のＤＣＩメッセージに基づいてアップリンクグラントフリー伝送リソースを取得する命令と、アップリンクグラントフリー伝送リソースを用いて、アップリンクデータをネットワーク機器に伝送する命令とを含む、ＵＥ。
【０５２８】
例４５Ａ。プログラミングは、第２のＤＣＩメッセージをネットワーク機器から受信する命令であって、第２のＤＣＩメッセージは、ＵＥがアップリンクグラントフリー伝送を実行することを許可されていないことを示す非アクティブ化インジケーションを含む、命令と、アップリンクグラントフリー伝送リソースを用いた伝送を停止する命令とをさらに含む、例４４Ａに記載のＵＥ。
【０５２９】
例４６Ａ。第１のＤＣＩメッセージは、リソースブロック情報と、変調及び符号化スキーム（ＭＣＳ）情報とをさらに有する、例４４Ａに記載のＵＥ。
【０５３０】
例４７Ａ。プログラミングは、ネットワーク機器から第３のＤＣＩメッセージを受信する命令であって、第３のＤＣＩメッセージは、アップリンクデータの再伝送に対するアップリンクグラントを示す、命令をさらに含む、例４４Ａに記載のＵＥ。
【０５３１】
例４８Ａ。ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、例４４Ａに記載のＵＥ。
【０５３２】
例４９Ａ。ＵＥに対するＲＳ値は、別のＵＥに対するＲＳ値とは異なる、例４４Ａに記載のＵＥ。
【０５３３】
例５０Ａ。ＲＳ値のグループから割り当てられるＲＳ値は、直交ＲＳシーケンスから生成される、例４４Ａに記載のＵＥ。
【０５３４】
例５１Ａ。グラントフリー伝送用のネットワーク機器のための方法であって、アップリンクグラントフリー伝送リソース構成を示す無線リソース制御（ＲＲＣ）シグナリングをユーザ機器（ＵＥ）に伝送する段階であって、アップリンクグラントフリー伝送リソース構成は、伝送反復の回数Ｋを含む、段階と、第１のダウンリンク制御情報（ＤＣＩ）メッセージをＵＥに伝送する段階であって、第１のＤＣＩメッセージは、ＵＥがアップリンクグラントフリー伝送を実行することを許可されていることを示すアクティブ化インジケーションと、ＵＥに割り当てられる参照信号（ＲＳ）を示すＲＳ情報とを含む、段階と、ＲＲＣシグナリングに基づいて割り当てられたアップリンクグラントフリー伝送リソース及び第１のＤＣＩメッセージを用いて伝送されるアップリンクデータをＵＥから受信する段階とを備える方法。
【０５３５】
例５２Ａ。方法は、第２のＤＣＩメッセージをＵＥに伝送する段階であって、第２のＤＣＩメッセージは、ＵＥがアップリンクグラントフリー伝送を実行することを許可されていないことを示す非アクティブ化インジケーションを含む、段階をさらに備える、例５１Ａに記載の方法。
【０５３６】
例５３Ａ。第１のＤＣＩメッセージは、リソースブロック情報と、変調及び符号化スキーム（ＭＣＳ）情報とをさらに有する、例５１Ａに記載の方法。
【０５３７】
例５４Ａ。方法は、ＵＥに第３のＤＣＩメッセージを伝送する段階であって、第３のＤＣＩメッセージは、アップリンクデータの再伝送に対するアップリンクグラントを示す、段階をさらに備える、例５１Ａに記載の方法。
【０５３８】
例５５Ａ。ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、例５１Ａに記載の方法。
【０５３９】
例５６Ａ。ＵＥに対するＲＳ値は、別のＵＥに対するＲＳ値とは異なる、例５１Ａに記載の方法。
【０５４０】
例５７Ａ。ＲＳ値のグループから割り当てられるＲＳ値は、直交ＲＳシーケンスから生成される、例５１Ａに記載の方法。
【０５４１】
例５８Ａ。グラントフリー伝送用に構成されるネットワーク機器であって、プロセッサと、プロセッサによる実行のためのプログラミング命令を格納するコンピュータ可読記憶媒体とを備え、プログラミングは、アップリンクグラントフリー伝送リソース構成を示す無線リソース制御（ＲＲＣ）シグナリングをユーザ機器（ＵＥ）に伝送する命令であって、アップリンクグラントフリー伝送リソース構成は、伝送反復の回数Ｋを含む、命令と、第１のダウンリンク制御情報（ＤＣＩ）メッセージをＵＥに伝送する命令であって、第１のＤＣＩメッセージは、ＵＥがアップリンクグラントフリー伝送を実行することを許可されていることを示すアクティブ化インジケーションと、ＵＥに割り当てられる参照信号（ＲＳ）を示すＲＳ情報とを含む、命令と、ＲＲＣシグナリング及び第１のＤＣＩメッセージに基づいて割り当てられたアップリンクグラントフリー伝送リソースを用いて伝送されたアップリンクデータをＵＥから受信する命令とを含む、ネットワーク機器。
【０５４２】
例５９Ａ。方法は、第２のＤＣＩメッセージをＵＥに伝送する段階であって、第２のＤＣＩメッセージは、ＵＥがアップリンクグラントフリー伝送を実行することを許可されていないことを示す非アクティブ化インジケーションを含む、段階をさらに備える、例５８Ａに記載のネットワーク機器。
【０５４３】
例６０Ａ。第１のＤＣＩメッセージは、リソースブロック情報と、変調及び符号化スキーム（ＭＣＳ）情報とをさらに有する、例５８Ａに記載のネットワーク機器。
【０５４４】
例６１Ａ。方法は、ＵＥに第３のＤＣＩメッセージを伝送する段階であって、第３のＤＣＩメッセージは、アップリンクデータの再伝送に対するアップリンクグラントを示す、段階をさらに備える、例５８Ａに記載のネットワーク機器。
【０５４５】
例６２Ａ。ＲＲＣシグナリングは、２つのグラントフリー伝送機会の間隔と、電力制御関連パラメータと、構成されたＨＡＲＱプロセスの回数と、グラントフリーＵＥ識別子とのうちの少なくとも１つを含む、例５８Ａに記載のネットワーク機器。
【０５４６】
例６３Ａ。ＵＥに対するＲＳ値は、別のＵＥに対するＲＳ値とは異なる、例５８Ａに記載のネットワーク機器。
【０５４７】
例６４Ａ。ＲＳ値のグループから割り当てられるＲＳ値は、直交ＲＳシーケンスから生成される、例５８Ａに記載のネットワーク機器。
【０５４８】
例６５Ａ。グラントフリー伝送用のユーザ機器（ＵＥ）であって、アップリンクグラントフリー伝送リソース構成を示す無線リソース制御（ＲＲＣ）シグナリングをネットワーク機器から受信する手段であって、アップリンクグラントフリー伝送リソース構成は、伝送反復の回数Ｋを含む、手段と、第１のダウンリンク制御情報（ＤＣＩ）メッセージをネットワーク機器から受信する手段であって、第１のＤＣＩメッセージは、ＵＥがアップリンクグラントフリーデータ伝送を実行することを許可されていることを示すアクティブ化インジケーションと、ＲＳ値のグループから割り当てられたＵＥに対する参照信号（ＲＳ）値とを含む、手段と、ＲＲＣシグナリングに示されるアップリンクグラントフリー伝送リソース構成及び第１のＤＣＩメッセージに基づいて、アップリンクグラントフリー伝送リソースを取得する手段と、アップリンクグラントフリー伝送リソースを用いて、アップリンクデータをネットワーク機器に伝送する手段とを備えるＵＥ。
【０５４９】
例６６Ａ。グラントフリー伝送用のネットワーク機器であって、アップリンクグラントフリー伝送リソース構成を示す無線リソース制御（ＲＲＣ）シグナリングをユーザ機器（ＵＥ）に伝送する手段であって、アップリンクグラントフリー伝送リソース構成は、伝送反復の回数Ｋを含む、手段と、第１のダウンリンク制御情報（ＤＣＩ）メッセージをＵＥに伝送する手段であって、第１のＤＣＩメッセージは、ＵＥがアップリンクグラントフリー伝送を実行することを許可されていることを示すアクティブ化インジケーションと、ＵＥに割り当てられる参照信号（ＲＳ）を示すＲＳ情報とを含む、手段と、ＲＲＣシグナリング及び第１のＤＣＩメッセージに基づいて割り当てられたアップリンクグラントフリー伝送リソースを用いて伝送されるアップリンクデータをＵＥから受信する手段とを備えるネットワーク機器。
【０５５０】
本開示は、例示的な実施形態を参照して説明されているが、この説明は、限定的な意味に解釈されることを意図したものではない。本開示の例示的な実施形態の様々な修正及び組み合わせ、及び、他の実施形態は、説明を参照するときに当業者に明らかとなる。したがって、添付の特許請求の範囲は、そのようなあらゆる修正例又は実施形態を包含することが意図されている。
【図１】
0006838822.tif 000018
【図２Ａ】
0006838822.tif 000019
【図２Ｂ】
0006838822.tif 000020
【図２Ｃ】
0006838822.tif 000021
【図３Ａ】
0006838822.tif 000022
【図３Ｂ】
0006838822.tif 000023
【図３Ｃ】
0006838822.tif 000024
【図３Ｄ】
0006838822.tif 000025
【図３Ｅ】
0006838822.tif 000026
【図３Ｆ】
0006838822.tif 000027
【図３Ｇ】
0006838822.tif 000028
【図３Ｈ】
0006838822.tif 000029
【図３Ｉ】
0006838822.tif 000030
【図３Ｊ】
0006838822.tif 000031
【図３Ｋ】
0006838822.tif 000032
【図４】
0006838822.tif 000033
【図５Ａ】
0006838822.tif 000034
【図５Ｂ】
0006838822.tif 000035
【図５Ｃ】
0006838822.tif 000036
【図５Ｄ】
0006838822.tif 000037
【図５Ｅ】
0006838822.tif 000038
【図５Ｆ】
0006838822.tif 000039
【図５Ｇ】
0006838822.tif 000040
【図６Ａ】
0006838822.tif 000041
【図６Ｂ】
0006838822.tif 000042
【図７】
0006838822.tif 000043
【図８】
0006838822.tif 000044
【図９】
0006838822.tif 000045